(57)【要約】  創傷被覆材のセンサの定置を決定するための装置および方法の実施形態が開示されている。いくつかの実施形態において、創傷被覆材には、創傷または患者特性を測定するように構成された複数のセンサが含まれる。一つまたは複数のプロセッサは、創傷または患者特性データならびに定置データを受信するように構成されている。受信されたデータを使用して、複数のセンサ、創傷被覆材、または創傷の定置を決定することができる。センサは、一組のナノセンサを含み得る。創傷被覆材には、ｐＨ感受性インクを含めることができ、これは創傷被覆材の配置を決定するために利用され、創傷に関連付けられたｐＨを決定するために利用され得る。陰圧創傷治療システムでは、創傷被覆材を使用することができる。【選択図】図６Ｂ
2020524544.tif 000002
【特許請求の範囲】
【請求項１】
創傷と接触して位置付けられるように構成された創傷被覆材であって、複数の創傷特性を測定するように構成された複数のセンサを含む、創傷被覆材と、
一つまたは複数のプロセッサを含むコントローラであって、前記複数のセンサの少なくとも一部と通信し、
基準点の位置または配向に関連付けられた定置データを受信し、
前記受信した定置データに少なくとも部分的に基づいて、前記創傷に対する前記少なくとも一つの基準点の位置および／または配向を決定し、
前記少なくとも一つの基準点の前記決定された位置および／または配向に少なくとも部分的に基づいて、前記複数のセンサの第一のセンサの前記創傷の位置および／または配向を決定し、
前記複数のセンサの前記第一のセンサの前記位置および／または配向を、前記複数のセンサの前記第一のセンサの前記創傷の正しい位置および／または配向を示す閾値定置データと比較し、
少なくとも前記比較に基づいて、前記複数のセンサの前記第一のセンサが前記創傷内に正しく位置付けられるという表示を提供するように、さらに構成されたコントローラとを含む、創傷モニタリングおよび／または治療システム。
【請求項２】
前記複数のセンサが、少なくとも一つのナノセンサ、サーミスタ、伝導度センサ、Ｓｐ０２センサ、ｐＨセンサ、色センサ、光学センサ、インピーダンスセンサ、または電極を含む、請求項１に記載のシステム。
【請求項３】
前記光学センサが、赤、緑、青、および透明（ＲＧＢＣ）センサまたは赤、緑青、および白（ＲＧＢＷ）センサのうちの少なくとも一つを含む、請求項２に記載のシステム。
【請求項４】
前記第一のセンサが、前記定置データを検出するように構成された定置センサ以外のセンサである、請求項１〜３のいずれかに記載のシステム。
【請求項５】
前記第一のセンサが、前記定置データを検出するように構成された定置センサである、請求項１〜４のいずれかに記載のシステム。
【請求項６】
前記定置データを検出するように構成された定置センサをさらに備え、前記定置センサが、外部ビデオカメラまたは無線周波数（ＲＦ）センサのうち少なくとも一つを備える、請求項３または４のいずれかに記載のシステム。
【請求項７】
前記定置データを検出するよう構成された定置センサをさらに備え、前記定置センサが前記創傷被覆材に埋め込まれている、請求項３または４のいずれかに記載のシステム。
【請求項８】
前記基準点が、前記定置データを検出するように構成された定置センサの位置または配向に対応する、請求項１〜７のいずれかに記載のシステム。
【請求項９】
前記基準点が、前記創傷被覆材から離れた位置に対応する、請求項１〜８のいずれかに記載のシステム。
【請求項１０】
前記コントローラが、少なくとも前記受信した定置データおよび、前記創傷被覆材および／または第一および第二のセンサの前記創傷の位置および／または配向の間の関係に基づき、前記複数のセンサの第二のセンサの前記創傷の位置および／または配向を決定するように、さらに構成される、請求項１〜９のいずれかに記載のシステム。
【請求項１１】
前記関係が、第一のセンサと第二のセンサとの間の少なくとも既知の位置および／または配向オフセットを含む、請求項１０に記載のシステム。
【請求項１２】
前記複数のセンサの少なくとも一部が、互いに通信および／または共登録するよう構成され、前記コントローラが、共登録データに基づいてさらに前記表示を提供するよう構成されている、請求項１〜１１のいずれかに記載のシステム。
【請求項１３】
前記複数のセンサの少なくとも一つが、調節可能センサ設定で構成され、前記調節可能センサ設定が、少なくとも部分的に前記受信した定置データに基づいて調整されるように構成されている、請求項１〜１２のいずれかに記載のシステム。
【請求項１４】
前記創傷被覆材が、前記創傷に陰圧を伝達するように構成されている、請求項１〜１３のいずれかに記載のシステム。
【請求項１５】
請求項１５に記載の創傷被覆材および前記創傷被覆材に流体接続されるよう構成される陰圧源を含む、キット。
【請求項１６】
複数の創傷特性を測定するよう構成された複数のセンサを含む創傷被覆材を含む、創傷モニタリングおよび／または治療システムを操作する方法であって、
少なくとも一つの基準点に関連付けられた定置データを受信することと、
少なくとも部分的に前記受信した定置データに基づいて、前記複数のセンサの第一のセンサの位置および／または配向を決定することと、
前記複数のセンサの前記第一のセンサの前記位置および／または配向を、前記複数のセンサの前記第一のセンサの前記創傷の正しい位置および／または配向を示す閾値定置データと比較することと、
少なくとも部分的に前記比較に基づいて、前記複数のセンサの前記第一のセンサが前記創傷内に正しく位置付けられているという表示を提供することと、を含み、
前記方法が、前記創傷モニタリングおよび／または治療システムのコントローラによって実施される、方法。
【請求項１７】
前記複数のセンサが、少なくとも一つのナノセンサ、サーミスタ、伝導度センサ、Ｓｐ０２センサ、ｐＨセンサ、色センサ、光学センサ、インピーダンスセンサ、前記定置データを検出するように構成された定置センサ、または電極を含む、請求項１６に記載の方法。
【請求項１８】
前記第一のセンサが、定置センサ以外のセンサである、請求項１６〜１７のいずれかに記載の方法。
【請求項１９】
前記第一のセンサが、前記定置データを検出するように構成された定置センサである、請求項１６〜１８のいずれかに記載の方法。
【請求項２０】
前記基準点が、前記定置データを検出するように構成された定置センサの位置または配向に対応する、請求項１６〜１９のいずれかに記載の方法。
【請求項２１】
前記基準点が、前記創傷被覆材から離れた位置に対応する、請求項１６〜２０のいずれかに記載の方法。
【請求項２２】
少なくとも前記受信した定置データ、ならびに前記創傷被覆材および／または第一および第二のセンサの前記創傷の位置および／または配向との間の関係に基づいて、前記複数のセンサの第二のセンサの前記創傷の位置および／または配向を決定することをさらに含む、請求項１６〜２１のいずれかに記載の方法。
【請求項２３】
前記関係が、第一のセンサと第二のセンサとの間の少なくとも既知の位置および／または配向オフセットを含む、請求項２２に記載の方法。
【請求項２４】
前記複数のセンサの少なくとも一部が、互いに通信および／または共登録するように構成され、前記方法がさらに、共登録データに基づいて前記表示を提供することを含む、請求項１６〜２３のいずれかに記載の方法。
【請求項２５】
前記複数のセンサの少なくとも一つが、調節可能センサ設定で構成され、前記方法が、前記調節可能センサ設定を、少なくとも部分的に前記受信した定置データに基づいて調整することを含む、請求項１６〜２４のいずれかに記載の方法。
【請求項２６】
陰圧を前記創傷に伝達することをさらに含む、請求項１６〜２５のいずれかに記載の方法。
【請求項２７】
創傷と接触して位置づけられるように構成された創傷被覆材であって、創傷被覆材は、複数の創傷特性を測定するように構成された複数のセンサを含み、少なくとも一つのアライメント機能は、創傷被覆材の位置および／または配向に関連付けられる、創傷被覆材と、
センサおよび一つまたは複数のプロセッサを含むコントローラを備える位置検出機器であって、前記コントローラが、前記センサと通信し、
少なくとも部分的に前記センサから受信したデータに基づいて、前記少なくとも一つのアライメント機能の位置および／または配向を決定し、
前記少なくとも一つのアライメント機能の前記決定された位置および／または配向に少なくとも部分的に基づいて、前記創傷被覆材の前記複数のセンサから、少なくとも一つのセンサの前記創傷の位置および／または配向を決定し、
前記創傷に対する前記複数のセンサからの前記少なくとも一つのセンサの前記位置の状態の表示を提供するようにさらに構成された、位置検出機器と、を含む、創傷モニタリングおよび／または治療システム。
【請求項２８】
前記少なくとも一つのアライメント機能がマーキングを含む、請求項２７に記載のシステム。
【請求項２９】
前記マーキングが前記創傷被覆材上に位置付けられる、請求項２８に記載のシステム。
【請求項３０】
前記マーキングが、前記創傷の周辺上またはその近くに位置付けられる、請求項２８に記載のシステム。
【請求項３１】
前記マーキングがｐＨ感受性インクを含む、請求項２８〜３０のいずれかに記載のシステム。
【請求項３２】
前記ｐＨ感受性インクが、ｐＨ感受性インク、染料、または顔料のうちの少なくとも一つを含み、かつ創傷環境のｐＨ変化に応答して色を変化させるように構成されている、請求項３１に記載のシステム。
【請求項３３】
前記位置検出機器の前記コントローラが、前記ｐＨ感受性インクの色の変化を測定するようにさらに構成されている、請求項３２に記載のシステム。
【請求項３４】
前記位置検出機器の前記センサが、光ｐＨセンサまたはスキャナーの少なくとも一つを備える、請求項２７〜３３のいずれかに記載のシステム。
【請求項３５】
前記位置検出機器の前記センサから受信した前記データは、前記位置検出機器に対する前記少なくとも一つのアライメント機能の角度、前記位置検出機器のスキャンビームの軌道に対する前記少なくとも一つのアライメント機能の角度、前記少なくとも一つのアライメント機能と前記位置検出機器との間の距離、前記少なくとも一つのアライメント機能に対応するサイズ、前記少なくとも一つのアライメント機能に対応する歪み、または前記少なくとも一つのアライメント機能に対応する視差の角度量のうちの少なくとも一つを含む、請求項２７〜３４のいずれかに記載のシステム。
【請求項３６】
前記少なくとも一つのアライメント機能が、バーコード、数字、文字、英数字コード、標準形状、不規則形状、またはロゴのうち少なくとも一つを含む、請求項２７〜３５のいずれかに記載のシステム。
【請求項３７】
前記創傷に対する前記少なくとも一つのアライメント機能の前記位置および／または配向は、前記創傷の前記複数のセンサの少なくとも一つのセンサの深さ、前記創傷の一部分からの前記少なくとも一つのセンサの距離、前記少なくとも一つのセンサの配向、または前記創傷上の前記少なくとも一つのセンサの位置のうち少なくとも一つを含む、請求項２７〜３６のいずれかに記載のシステム。
【請求項３８】
前記少なくとも一つのアライメント機能が値と関連付けられ、前記値が平坦な被覆材に対して前記少なくとも一つのアライメント機能のベースライン位置を識別できる、請求項２７〜３７のいずれかに記載のシステム。
【請求項３９】
前記少なくとも一つのアライメント機能が二つのアライメント機能を備える、請求項２７〜３８のいずれかに記載のシステム。
【請求項４０】
前記状態が、前記少なくとも一つのセンサが前記創傷内に正しく位置付けられているという表示を含む、請求項２７〜３９のいずれかに記載のシステム。
【請求項４１】
前記状態が、前記少なくとも一つのセンサが前記創傷内に正しく位置付けられていないという表示を含む、請求項２７〜４０のいずれかに記載のシステム。
【請求項４２】
複数の創傷特性を測定するように構成された複数のセンサと、前記創傷被覆材の上に位置付けられたマーキングとを含む創傷被覆材を含む、創傷モニタリングおよび／または治療システムを操作する方法であって、
位置検出機器から、基準点の位置または配向に関連付けられた定置データを受信し、前記創傷被覆材は、患者の創傷と接触し、複数の創傷特性を測定するように構成された複数のセンサを含むように受信することと、
前記受信した定置データに少なくとも部分的に基づいて、前記創傷に対する前記少なくとも一つの基準点の位置および／または配向を決定することと、
前記少なくとも一つの基準点の前記決定された位置および／または配向に少なくとも部分的に基づいて、前記創傷被覆材の前記複数のセンサから第一のセンサの前記創傷の位置および／または配向を決定することと、
前記少なくとも一つのセンサの前記創傷の前記位置および／または配向の状態を示すことと、を含む、方法。
【請求項４３】
前記複数のセンサが、少なくとも一つのナノセンサ、サーミスタ、伝導度センサ、Ｓｐ０２センサ、ｐＨセンサ、色センサ、光学センサ、インピーダンスセンサ、または電極を含む、請求項４２４１に記載の方法。
【請求項４４】
前記光学センサが、赤、緑、青、および透明（ＲＧＢＣ）センサまたは赤、緑青、および白（ＲＧＢＷ）センサのうちの少なくとも一つを含む、請求項４３に記載の方法。
【請求項４５】
前記第一のセンサが、前記定置データを検出するように構成された定置センサ以外のセンサである、請求項４２〜４４のいずれかに記載の方法。
【請求項４６】
前記第一のセンサが、前記定置データを検出するように構成された定置センサである、請求項４２〜４４のいずれかに記載の方法。
【請求項４７】
前記定置センサが、外部ビデオカメラまたは無線周波数（ＲＦ）センサのうち少なくとも一つを備える、請求項４５〜４６のいずれかに記載の方法。
【請求項４８】
前記定置センサが前記創傷被覆材に埋め込まれている、請求項４５〜４７のいずれかに記載の方法。
【請求項４９】
前記基準点が、前記定置データを検出するように構成された定置センサの位置または配向に対応する、請求項４２〜４８のいずれかに記載の方法。
【請求項５０】
前記基準点が、前記創傷被覆材から離れた位置に対応する、請求項４２〜４９のいずれかに記載の方法。
【請求項５１】
少なくとも前記創傷被覆材および／または第一および第二のセンサの前記創傷の位置および／または配向との間の関係に基づいて、前記複数のセンサの第二のセンサの前記創傷の位置および／または配向を決定することをさらに含む、請求項４２〜５０のいずれかに記載の方法。
【請求項５２】
前記関係が、第一のセンサと第二のセンサとの間の少なくとも既知の位置および／または配向オフセットを含む、請求項５１に記載の方法。
【請求項５３】
前記複数のセンサの少なくとも一部が、互いに通信および／または共登録するように構成されており、前記方法が、共登録データに基づいて前記表示を提供することをさらに含む、請求項４２〜５２のいずれかに記載の方法。
【請求項５４】
前記複数のセンサの少なくとも一つが、調節可能センサ設定で構成され、方法が、前記調節可能センサ設定を、前記受信した定置データに少なくとも部分的に基づいて調整することをさらに含む、請求項４２〜５３のいずれかに記載の方法。
【請求項５５】
前記創傷被覆材が前記創傷に陰圧を伝達するように構成される、請求項４２〜５４のいずれかに記載の方法。
【請求項５６】
前記位置検出機器のセンサが、光ｐＨセンサまたはスキャナーの少なくとも一つを備える、請求項４２〜５５のいずれかに記載の方法。
【請求項５７】
少なくとも一つのアライメント機能が、前記創傷被覆材の位置および／または配向と関連付けられている、請求項４２〜５６のいずれかに記載の方法。
【請求項５８】
前記位置検出機器から受信した前記定置データは、前記位置検出機器に対する前記少なくとも一つのアライメント機能の角度、前記位置検出機器のスキャンビームの軌道に対する前記少なくとも一つのアライメント機能の角度、前記少なくとも一つのアライメント機能と前記位置検出機器との間の距離、前記少なくとも一つのアライメント機能に対応するサイズ、前記少なくとも一つのアライメント機能に対応する歪み、または前記少なくとも一つのアライメント機能に対応する視差の角度量のうちの少なくとも一つを含む、請求項５７に記載の方法。
【請求項５９】
前記少なくとも一つのアライメント機能が、バーコード、数字、文字、英数字コード、標準形状、不規則形状、またはロゴのうち少なくとも一つを含む、請求項５７〜５８のいずれかに記載の方法。
【請求項６０】
前記創傷に対する前記少なくとも一つのアライメント機能の前記位置および／または配向が、前記創傷内の前記少なくとも一つのセンサの深さ、前記創傷の一部分からの前記少なくとも一つのセンサの距離、前記少なくとも一つのセンサの配向、または前記創傷上の前記少なくとも一つのセンサの位置のうち少なくとも一つを含む、請求項５７〜５９のいずれかに記載の方法。
【請求項６１】
前記少なくとも一つのアライメント機能が値と関連付けられ、前記値が平坦な被覆材に対して前記アライメント機能のベースライン位置を識別できる、請求項５７〜６０のいずれかに記載の方法。
【請求項６２】
前記アライメント機能がｐＨ感受性インクを含む、請求項５７〜６０のいずれかに記載の方法。
【請求項６３】
前記ｐＨ感受性インクが、創傷環境のｐＨ変化に応答して色を変化させるように構成されている、請求項６２に記載の方法。
【請求項６４】
前記ｐＨ感受性インクの色の変化を測定することをさらに含む、請求項６２〜６３のいずれかに記載の方法。
【請求項６５】
前記少なくとも一つのアライメント機能が二つのマーキングを含む、請求項５７〜６４のいずれかに記載の方法。
【請求項６６】
前記状態を示すことが、前記少なくとも一つのセンサが前記創傷内に正しく位置付けられていることを示すことをさらに含む、請求項４２〜６５のいずれかに記載の方法。
【請求項６７】
前記状態を示すことが、前記少なくとも一つのセンサが前記創傷内に正しく位置付けられていないことを示すことをさらに含む、請求項４２〜６６のいずれかに記載の方法。
【発明の詳細な説明】
【技術分野】
【０００１】
関連出願の相互参照
本出願は、２０１７年６月２３日に出願された、「ＰＯＳＩＴＩＯＮＩＮＧ  ＯＦ  ＳＥＮＳＯＲＳ  ＦＯＲ  ＳＥＮＳＯＲ  ＥＮＡＢＬＥＤ  ＮＥＧＡＴＩＶＥ  ＰＲＥＳＳＵＲＥ  ＷＯＵＮＤ  ＭＯＮＩＴＯＲＩＮＧ  ＡＮＤ  ＴＨＥＲＡＰＹ  ＡＰＰＡＲＡＴＵＳ」と題した、米国特許出願第６２／５２４，４１３号に対する優先権を主張するものであり、その開示全体は本明細書に組み込まれる。
【０００２】
本開示の実施形態は、様々な治療方法と連通するセンサ可能なモニタリングを介した、組織の治療のための装置、システム、および方法に関する。
【背景技術】
【０００３】
医療のほぼすべての領域が、特に治療中にかかる情報がリアルタイムで収集される場合、治療される組織、器官、またはシステムの状態に関する改善された情報から恩恵を受ける可能性がある。多くのタイプの治療は、センサデータ収集の使用なしに依然として日常的に実施されるが、代わりに、こうした治療は、定量的センサデータではなく、介護者またはその他の限定的手段による目視検査に依存する。例えば、被覆材および／または陰圧創傷療法を介した創傷治療の場合、データ収集は一般的に介護者による目視検査に限定され、また多くの場合、下にある創傷組織は包帯またはその他の視覚障害物によって遮られうる。損傷を受けていない無傷の皮膚でさえ、潰瘍につながりうる血管損傷または深部組織損傷など、裸眼には見えない潜在的な損傷を有しうる。創傷治療と同様に、ギプスまたはその他の覆いで肢の固定化を必要とする整形外科用処置中も、限定された情報のみしか下層組織について収集されない。骨プレートなどの内部組織修復の場合、継続的な直接センサ駆動データ収集は実施されない。さらに、筋骨格機能を保持するために使用される留め具および／またはスリーブは、下にある筋肉の機能または肢の動きを監視しない。直接処置の外には、患者パラメータを監視する能力を追加することによって、ベッドおよび毛布などの一般的な病室のアイテムが改善されうる。
【０００４】
したがって、特に既存の治療方法に組み込むことができるセンサ対応型基材の使用により、改善されたセンサモニタリングへのニーズがある。
【０００５】
大きすぎて自然には閉じられない、もしくはそうでなければ、創傷の部位への陰圧の適用では治癒しない、開放創または慢性創傷の治療は、当該技術分野ではよく知られている。現在当該技術分野で知られている陰圧創傷療法（ＮＰＷＴ）システムは、創傷の上に流体に対して不透過性または半透過性の被覆を置くことと、創傷を囲む患者の組織に対して被覆を封止する、様々な手段を使用することと、陰圧を被覆の真下に作り出し維持するような手法で、陰圧の源（真空ポンプなど）を被覆に接続することと、を伴う。このような陰圧は、創傷における肉芽組織の形成を促進し、かつ人体の通常の炎症プロセスを補助しながら、同時に有害なサイトカインおよび／またはバクテリアを含む可能性がある過剰な流体を除去することにより、創傷の治癒を促進すると考えられている。しかしながら、治療の便益を完全に実現するには、ＮＰＷＴのさらなる改良が必要とされる。
【０００６】
ＮＰＷＴシステムに役立つ、多くの異なるタイプの創傷被覆材が知られている。さまざまな種類の創傷被覆材には、さまざまな種類の材料および層、例えば、ガーゼ、パッド、発泡体パッド、または多層創傷被覆材が含まれる。多層創傷被覆材の一例は、ＮＰＷＴで創傷を治療する、キャニスタなしのシステムを提供するように、裏当て層の下方に創傷接触層および超吸収層を含む、Ｓｍｉｔｈ＆ＮｅｐＨｅｗから市販されているＰＩＣＯ被覆材である。創傷被覆材は、一本の管に接続する吸引ポートに対して封止され得、その吸引ポートは、被覆材から流体を吸い出し、および／または、ポンプから創傷被覆材に陰圧を伝達するのに使用され得る。加えて、Ｓｍｉｔｈ＆ＮｅｐＨｅｗから市販されているＲＥＮＡＳＹＳ−Ｆ、ＲＥＮＡＳＹＳ−Ｇ、ＲＥＮＡＳＹＳ−ＡＢおよびＲＥＮＡＳＹＳ−Ｆ／ＡＢも、ＮＰＷＴ創傷被覆材およびシステムのさらなる例である。多層創傷被覆材の別の例は、陰圧を使用せずに創傷を治療するのに使用される、湿潤創傷環境被覆材を含む、Ｓｍｉｔｈ＆ＮｅｐＨｅｗから市販されているＡＬＬＥＶＹＮ  Ｌｉｆｅ被覆材である。
【０００７】
しかしながら、陰圧創傷療法または他の創傷療法において使用する、従来技術の被覆材によって、被覆材の下方にある創傷はほとんど可視化されず、またはその状態に関する情報はほとんど提供されない。このため、臨床医が創傷の治癒および状態を視診することを可能にするために、創傷が所望するレベルまで治癒する前に、または吸収性被覆材の場合は、被覆材の全吸収容量に達する前に、時期を早めて被覆材を交換する必要があり得る。現行の被覆材には、創傷の状態に関する情報を提供する方法または特徴が、限定されているまたは十分でないものがある。
【発明の概要】
【０００８】
本開示は、創傷被覆材のセンサの定置を決定するための改善された装置および方法を提供する。創傷モニタリングおよび／または治療システムには、創傷被覆材およびコントローラが含まれ得る。創傷被覆材は、創傷に接触して位置づけられるように構成され得る。創傷被覆材には、複数の創傷特性を測定するように構成された複数のセンサが含まれ得る。コントローラは一つまたは複数のプロセッサを含むことができる。コントローラは、複数のセンサの少なくとも一部と通信するように構成することができる。コントローラは、基準点の位置または配向に関連付けられた定置データを受信するように構成され得る。コントローラは、受信した定置データに少なくとも部分的に基づいて、創傷に対する少なくとも一つの基準点の位置および／または配向を決定するように構成され得る。コントローラは、少なくとも一つの基準点の決定位置および／または配向に少なくとも部分的に基づいて、複数のセンサの第一のセンサの創傷の位置および／または配向を決定するように構成され得る。コントローラは、複数のセンサの第一のセンサの位置および／または配向を、複数のセンサの第一のセンサの創傷の正しい位置および／または配向を示す閾値定置データと比較するように構成され得る。コントローラは、少なくとも比較に基づいて、複数のセンサの第一のセンサが創傷内に正しく位置付けられることの表示を提供するように構成することができる。
【０００９】
前述の段落のシステムはまた、本明細書の記載の中でも特に、本段落に記載される以下の特徴の、任意の組み合わせを含み得る。複数のセンサは、少なくとも一つのナノセンサ、サーミスタ、伝導度センサ、Ｓｐ０２センサ、ｐＨセンサ、色センサ、光学センサ、インピーダンスセンサ、または電極を含み得る。光学センサは、赤、緑、青、および透明（ＲＧＢＣ）センサまたは赤、緑青、および白（ＲＧＢＷ）センサのうちの少なくとも一つを含みうる。第一のセンサは、定置データを検出するよう構成された定置センサ以外のセンサとすることができる。第一のセンサは、定置データを検出するよう構成された定置センサとすることができる。システムは、定置データを検出するよう構成された定置センサを含むことができる。定置センサは、外部ビデオカメラまたは無線周波数（ＲＦ）センサのうちの少なくとも一つを含み得る。定置センサは創傷被覆材に埋め込むことができる。基準点は、定置データを検出するように構成された定置センサの位置または配向に対応することができる。基準点は創傷被覆材から離れた位置に対応することができる。
【００１０】
前述の段落のうちのいずれかのシステムはまた、本明細書の記載の中でも特に、本段落に記載される以下の特徴の、任意の組み合わせを含み得る。コントローラは、少なくとも受信した定置データ、ならびに創傷被覆材および／または第一および第二のセンサの創傷の位置および／または配向との間の関係に基づいて、複数のセンサの第二のセンサの創傷の位置および／または配向を決定するように構成され得る。関係は、少なくとも公知の位置および／または配向を含むことができ、相互に通信および／または共登録するように構成することができる。コントローラは、さらに共登録データに基づいて、表示を提供するように構成することができる。複数のセンサのうちの少なくとも一つは、調節可能センサ設定で構成することができる。調節可能センサ設定は、受信した定置データに少なくとも部分的に基づいて調整されるように構成され得る。創傷被覆材は、陰圧を創傷に伝達するように構成され得る。
【００１１】
キットは、本明細書の記載の中でも特に、本段落または前述の段落のいずれかに記載されるいずれかの特徴を含み得る。キットは、創傷被覆材と流体接続するように構成される、創傷被覆材および陰圧源を含み得る。
【００１２】
本開示はまた、創傷モニタリングおよび／または治療システムを操作する方法を提供する。システムには、複数の創傷特性を測定するように構成された、複数のセンサを含む、創傷被覆材が含まれ得る。方法は、少なくとも一つの基準点に関連付けられた定置データを受信すること、ならびに受信した定置データに少なくとも部分的に基づいて、複数のセンサの第一のセンサの位置および／または配向を決定することを含み得る。方法は、複数のセンサの第一のセンサ位置および／または配向を、複数のセンサの第一のセンサの創傷の正しい位置および／または配向を示す閾値定置データと比較することをさらに含み得る。方法は、少なくとも部分的に比較に基づいて、複数のセンサの第一のセンサが創傷内に正しく位置付けられることの表示を提供することをさらに含み得る。方法は、創傷モニタリングおよび／または治療システムのコントローラによって実施され得る。
【００１３】
前述の段落の方法はまた、本明細書の記載の中でも特に、本段落に記載される以下の特徴またはステップの、任意の組み合わせを含み得る。複数のセンサは、少なくとも一つのナノセンサ、サーミスタ、伝導度センサ、Ｓｐ０２センサ、ｐＨセンサ、色センサ、光学センサ、インピーダンスセンサ、定置データを検出するよう構成される定置センサ、または電極を含み得る。第一のセンサは、定置センサ以外のセンサを含み得る。第一のセンサは、定置データを検出するよう構成された定置センサとすることができる。基準点は、定置データを検出するように構成された定置センサの位置または配向に対応することができる。基準点は創傷被覆材から離れた位置に対応することができる。
【００１４】
前述の段落のいずれかの装置はまた、本明細書の記載の中でも特に、本段落に記載される以下の特徴またはステップの、任意の組み合わせを含み得る。方法は、少なくとも受信した定置データ、ならびに創傷被覆材および／または第一および第二のセンサの創傷の位置および／または配向との間の関係に基づいて、複数のセンサの第二のセンサの創傷の位置および／または配向を決定することをさらに含み得る。関係は、第一のセンサと第二のセンサとの間の少なくとも公知の位置および／または配向オフセットを含み得る。複数のセンサの少なくとも一部は、互いに通信および／または共登録するように構成され得る。方法は、さらに共登録データに基づいて表示を提供することをさらに含み得る。複数のセンサのうちの少なくとも一つは、調節可能センサ設定で構成することができる。方法は、受信した定置データに少なくとも部分的に基づいて、調節可能センサ設定を調節することをさらに含み得る。方法は、陰圧を創傷に伝達することをさらに含み得る。
【００１５】
本開示はまた、創傷モニタリングおよび／または治療システムを提供する。システムは、創傷被覆材および位置検出機器を含み得る。創傷被覆材は、創傷と接触して位置づけられるように構成することができ、複数の創傷特性を測定するように構成された複数のセンサを含み、少なくとも一つのアライメント機能は、創傷被覆材の位置および／または配向に関連付けられる。位置検出機器は、センサ、および一つまたは複数のプロセッサを含むコントローラを含み得る。コントローラは、センサと通信するように構成され得る。コントローラはまた、センサから受信したデータに少なくとも部分的に基づいて、少なくとも一つのアライメント機能の位置および／または配向を決定するように構成され得る。コントローラはまた、少なくとも一つのアライメント機能の決定位置および／または配向に少なくとも部分的に基づいて、創傷被覆材の複数のセンサから少なくとも一つのセンサの創傷の位置および／または配向を決定するように構成され得る。コントローラはまた、創傷に対する複数のセンサから少なくとも一つのセンサの位置の状態の表示を提供するように構成され得る。
【００１６】
前述の段落のうちのいずれかのシステムはまた、本明細書の記載の中でも特に、本段落に記載される以下の特徴の、任意の組み合わせを含み得る。少なくとも一つのアライメント機能は、マーキングを含み得る。マーキングは、創傷被覆材上に位置付けることができる。マーキングは、創傷の周辺上またはその近くに位置付けることができる。マーキングは、ｐＨ感受性インクを含み得る。ｐＨ感受性インクは、ｐＨ感受性インク、染料、または顔料のうちの少なくとも一つを含むことができ、創傷環境のｐＨ変化に応答して色を変化させるように構成され得る。位置検出機器のコントローラは、ｐＨ感受性インクの色の変化を測定するようにさらに構成され得る。位置検出機器のセンサは、光学ｐＨセンサまたはスキャナーのうちの少なくとも一つを含み得る。位置検出機器のセンサから受信したデータは、位置検出機器に対する少なくとも一つのアライメント機能の角度、位置検出機器のスキャンビームの軌道に対する少なくとも一つのアライメント機能の角度、少なくとも一つのアライメント機能と位置検出機器との間の距離、少なくとも一つのアライメント機能に対応するサイズ、少なくとも一つのアライメント機能に対応する歪み、または少なくとも一つのアライメント機能に対応する視差の角度量のうちの少なくとも一つを含み得る。
【００１７】
前述の段落のうちのいずれかのシステムはまた、本明細書の記載の中でも特に、本段落に記載される以下の特徴の、任意の組み合わせを含み得る。少なくとも一つのアライメント機能は、バーコード、数字、文字、英数字コード、標準形状、不規則形状、またはロゴのうちの少なくとも一つを含み得る。創傷に対する少なくとも一つのアライメント機能の位置および／または配向は、創傷の複数のセンサの少なくとも一つのセンサの深さ、創傷の一部分からの少なくとも一つのセンサの距離、少なくとも一つのセンサの配向、または創傷上の少なくとも一つのセンサの位置のうち少なくとも一つを含む。少なくとも一つのアライメント機能は、値と関連付けられてもよく、値は、平坦な被覆材に対する少なくとも一つのアライメント機能のベースライン位置を識別することができる。少なくとも一つのアライメント機能は、二つのアライメント機能を含み得る。状態は、少なくとも一つのセンサが創傷内に正しく位置付けられている表示を含み得る。状態は、少なくとも一つのセンサが創傷内に正しく位置付けられていない表示を含み得る。
【００１８】
本開示はまた、創傷モニタリングおよび／または治療システムを操作する方法を提供する。システムには、複数の創傷特性を測定するように構成された、複数のセンサを含む、創傷被覆材が含まれ得る。方法は、位置検出機器から、基準点の位置または配向に関連付けられた定置データを受信することを含み得る。創傷被覆材は、患者の創傷と接触することができ、複数の創傷特性を測定するように構成された複数のセンサを含むことができる。方法は、受信した定置データに少なくとも部分的に基づいて、創傷に対する少なくとも一つの基準点の位置および／または配向を決定することを含み得る。方法は、少なくとも一つの基準点の決定位置および／または配向に少なくとも部分的に基づいて、創傷被覆材の複数のセンサからの第一のセンサの創傷の位置および／または配向を決定することを含み得る。方法は、少なくとも一つのセンサの創傷の位置および／または配向の状態を示すことを含み得る。
【００１９】
前述の段落のいずれかの装置はまた、本明細書の記載の中でも特に、本段落に記載される以下の特徴またはステップの、任意の組み合わせを含み得る。複数のセンサは、少なくとも一つのナノセンサ、サーミスタ、伝導度センサ、Ｓｐ０２センサ、ｐＨセンサ、色センサ、光学センサ、インピーダンスセンサ、または電極を含み得る。光学センサは、赤、緑、青、および透明（ＲＧＢＣ）センサまたは赤、緑青、および白（ＲＧＢＷ）センサのうちの少なくとも一つを含みうる。第一のセンサは、定置データを検出するよう構成された定置センサ以外のセンサを含むことができる。第一のセンサは、定置データを検出するよう構成された定置センサである。定置センサは、外部ビデオカメラまたは無線周波数（ＲＦ）センサのうちの少なくとも一つを含み得る。定置センサは創傷被覆材に埋め込むことができる。基準点は、定置データを検出するように構成された定置センサの位置または配向に対応することができる。基準点は創傷被覆材から離れた位置に対応することができる。
【００２０】
前述の段落のいずれかの装置はまた、本明細書の記載の中でも特に、本段落に記載される以下の特徴またはステップの、任意の組み合わせを含み得る。方法は、少なくとも創傷被覆材および／または第一および第二のセンサの創傷の位置および／または配向との間の関係に基づいて、複数のセンサの第二のセンサの創傷の位置および／または配向を決定することを含み得る。関係は、第一のセンサと第二のセンサとの間の少なくとも公知の位置および／または配向オフセットを含み得る。複数のセンサの少なくとも一部は、互いに通信および／または共登録するように構成され得る。方法は、さらに共登録データに基づいて表示を提供することを含み得る。複数のセンサのうちの少なくとも一つは、調節可能センサ設定で構成することができる。方法は、受信した定置データに少なくとも部分的に基づいて、調節可能センサ設定を調節することを含み得る。創傷被覆材は、陰圧を創傷に伝達するように構成され得る。位置検出機器のセンサは、光学ｐＨセンサまたはスキャナーのうちの少なくとも一つを含み得る。少なくとも一つのアライメント機能は、創傷被覆材の位置および／または配向と関連付けることができる。
【００２１】
前述の段落のいずれかの装置はまた、本明細書の記載の中でも特に、本段落に記載される以下の特徴またはステップの、任意の組み合わせを含み得る。位置検出機器から受信した定置データは、位置検出機器に対する少なくとも一つのアライメント機能の角度、位置検出機器のスキャンビームの軌道に対する少なくとも一つのアライメント機能の角度、少なくとも一つのアライメント機能と位置検出機器との間の距離、少なくとも一つのアライメント機能に対応するサイズ、少なくとも一つのアライメント機能に対応する歪み、または少なくとも一つのアライメント機能に対応する視差の角度量のうちの少なくとも一つを含み得る。少なくとも一つのアライメント機能は、バーコード、数字、文字、英数字コード、標準形状、不規則形状、またはロゴのうちの少なくとも一つを含み得る。創傷に対する少なくとも一つのアライメント機能の位置および／または配向は、創傷の少なくとも一つのセンサの深さ、創傷の一部分からの少なくとも一つのセンサの距離、少なくとも一つのセンサの配向、または創傷上の少なくとも一つのセンサの位置のうち少なくとも一つを含み得る。少なくとも一つのアライメント機能は、値と関連付けられてもよく、値は、平坦な被覆材に対するアライメント機能のベースライン位置を識別することができる。
【００２２】
前述の段落のいずれかの装置はまた、本明細書の記載の中でも特に、本段落に記載される以下の特徴またはステップの、任意の組み合わせを含み得る。アライメント機能は、ｐＨ感受性インクを含み得る。ｐＨ感受性インクは、創傷環境のｐＨ変化に応答して色を変化させるように構成され得る。方法は、ｐＨ感受性インクの色の変化を測定することを含み得る。少なくとも一つのアライメント機能は、二つのマーキングを含み得る。状態を示すことは、少なくとも一つのセンサが創傷内に正しく位置付けられることを示すことをさらに含み得る。状態を示すことは、少なくとも一つのセンサが創傷内に正しく位置付けられないことを示すことをさらに含み得る。
【００２３】
いくつかの実施形態では、創傷モニタリングシステムは、創傷被覆材およびコントローラを含む。創傷被覆材は、創傷と接触して位置付けられるように構成され、また創傷被覆材は、複数のセンサを含む。複数のセンサは、複数の創傷特性を測定するように構成される。複数のセンサは、複数のセンサの第一のセンサの創傷の位置および／または配向を決定するように構成された少なくとも一つの定置センサを含む。コントローラは一つまたは複数のプロセッサを含む。コントローラは、複数のセンサの少なくとも一部と通信可能に結合されるように構成される。コントローラは、少なくとも一つの定置センサからの定置データを受信するようにさらに構成され、定置データは、複数のセンサの第一のセンサの創傷の位置および／または配向を示す。コントローラは、受信した定置データを、複数のセンサの第一のセンサの創傷の正しい位置および／または配向を示す閾値定置データと比較するようにさらに構成される。コントローラは、少なくとも比較に基づいて、複数のセンサの第一のセンサが創傷内に正しく位置付けられることの表示を提供するようにさらに構成される。
【００２４】
前述の段落のうちのいずれかのシステムはまた、本明細書の記載の他の特徴の中でも特に、本段落に記載される以下の特徴の、任意の組み合わせを含み得る。いくつかの実施形態では、複数のセンサは、少なくとも一つのナノセンサ、サーミスタ、伝導度センサ、Ｓｐ０２センサ、ｐＨセンサ、色センサ、光学センサ、または電極を含む。いくつかの実施形態では、第一のセンサは、定置センサ以外のセンサである。いくつかの実施形態では、第一のセンサは、定置センサである。
【００２５】
前述の段落のうちのいずれかのシステムはまた、本明細書の記載の他の特徴の中でも特に、本段落に記載される以下の特徴の、任意の組み合わせを含み得る。いくつかの実施形態では、コントローラは、少なくとも受信した定置データ、ならびに創傷被覆材および／または第一および第二のセンサの創傷の位置および／または配向との間の関係に基づいて、複数のセンサの第二のセンサの創傷の位置および／または配向を決定するようにさらに構成される。いくつかの実施形態では、関係は、第一のセンサと第二のセンサとの間の少なくとも公知の位置および／または配向オフセットを含む。
【００２６】
前述の段落のうちのいずれかのシステムはまた、本明細書の記載の他の特徴の中でも特に、本段落に記載される以下の特徴の、任意の組み合わせを含み得る。いくつかの実施形態では、複数のセンサの少なくとも一部が、互いに通信および／または共登録するよう構成され、コントローラは、共登録データにさらに基づいて、表示を提供するよう構成される。いくつかの実施形態では、複数のセンサのうちの少なくとも一つが調節可能センサ設定を含み、調節可能センサ設定は、受信した定置データに少なくとも部分的に基づいて調整されるよう構成される。いくつかの実施形態では、創傷被覆材は、陰圧を創傷に伝達するように構成される。
【００２７】
いくつかの実施形態では、創傷被覆材と、前述の段落のいずれかの特徴と、創傷被覆材に流体接続されるように構成された陰圧源とを含むキットが提供される。
【００２８】
いくつかの実施形態では、創傷モニタリングシステムを操作する方法には、複数の創傷特性を測定するよう構成された複数のセンサを含む創傷被覆材が含まれる。方法は、創傷被覆材に位置付けられた少なくとも一つの定置センサからの定置データを受信することを含む。定置データは、複数のセンサから第一のセンサの創傷の位置および／または配向を示す。方法は、受信した定置データを、複数のセンサの第一のセンサの創傷の正しい位置および／または配向を示す閾値定置データと比較することをさらに含む。方法は、少なくとも比較に基づいて、複数のセンサの第一のセンサが創傷内に正しく位置付けられることの表示を提供することをさらに含む。いくつかの実施形態では、創傷モニタリングシステムのコントローラは、方法を実施する。
【００２９】
前述の段落のいずれかの方法はまた、本明細書の記載のその他のステップまたは特徴の中でも特に、本段落に記載される以下のステップまたは特徴の、任意の組み合わせを含み得る。いくつかの実施形態では、複数のセンサは、少なくとも一つのナノセンサ、サーミスタ、伝導度センサ、Ｓｐ０２センサ、ｐＨセンサ、色センサ、光学センサ、または電極を含む。いくつかの実施形態では、第一のセンサは、定置センサ以外のセンサである。いくつかの実施形態では、第一のセンサは、定置センサである。
【００３０】
前述の段落のいずれかの方法はまた、本明細書の記載のその他のステップまたは特徴の中でも特に、本段落に記載される以下のステップまたは特徴の、任意の組み合わせを含み得る。いくつかの実施形態では、方法は、少なくとも受信した定置データ、ならびに創傷被覆材および／または第一および第二のセンサの創傷の位置および／または配向との間の関係に基づいて、複数のセンサの第二のセンサの創傷の位置および／または配向を決定することをさらに含み得る。いくつかの実施形態では、関係は、第一のセンサと第二のセンサとの間の少なくとも公知の位置および／または配向オフセットを含む。いくつかの実施形態では、複数のセンサの少なくとも一部が、互いに通信および／または共登録するよう構成され、方法は、共登録データにさらに基づいて、表示を提供することをさらに含む。
【００３１】
前述の段落のいずれかの方法はまた、本明細書の記載のその他のステップまたは特徴の中でも特に、本段落に記載される以下のステップまたは特徴の、任意の組み合わせを含み得る。いくつかの実施形態では、複数のセンサのうちの少なくとも一つが調節可能センサ設定を含み、方法は、受信した定置データに少なくとも部分的に基づいて、調節可能センサ設定を調整することをさらに含む。いくつかの実施形態では、方法は、陰圧を創傷に伝達することをさらに含む。
【００３２】
いくつかの実施形態では、創傷モニタリングシステムは、創傷被覆材および位置検出機器を含む。創傷被覆材は、創傷に接触して位置づけられるように構成される。創傷被覆材には、複数の創傷特性を測定するように構成された複数のセンサが含まれる。創傷被覆材は、創傷被覆材に位置付けられた少なくとも一つのマーキングをさらに含む。少なくとも一つのマーキングは、ｐＨ感受性インクを含む。位置検出機器は、センサおよびコントローラを含む。コントローラは一つまたは複数のプロセッサを含む。コントローラは、センサに通信可能に結合されるように構成され、センサから受信したデータに少なくとも部分的に基づいて、創傷に対する少なくとも一つのマーキングの位置および／または配向を決定するようにさらに構成される。コントローラは、少なくとも一つのマーキングの決定位置および／または配向に少なくとも部分的に基づいて、創傷被覆材の複数のセンサから少なくとも一つのセンサの創傷の位置および／または配向を決定するようにさらに構成される。コントローラは、創傷に対する少なくとも一つのセンサの位置の状態の表示を提供するようにさらに構成される。
【００３３】
前述の段落のうちのいずれかのシステムはまた、本明細書の記載の他の特徴の中でも特に、本段落に記載される以下の特徴の、任意の組み合わせを含み得る。いくつかの実施形態では、位置検出機器のセンサは、光学ｐＨセンサまたはスキャナーのうちの少なくとも一つを含む。いくつかの実施形態では、センサから受信したデータは、位置検出機器に対する少なくとも一つのマーキングの角度、位置検出機器のスキャンビームの軌道に対する少なくとも一つのマーキングの角度、少なくとも一つのマーキングと位置検出機器との間の距離、少なくとも一つのマーキングに対応するサイズ、少なくとも一つのマーキングに対応する歪み、または少なくとも一つのマーキングに対応する視差の角度量のうちの少なくとも一つを含む。
【００３４】
前述の段落のうちのいずれかのシステムはまた、本明細書の記載の他の特徴の中でも特に、本段落に記載される以下の特徴の、任意の組み合わせを含み得る。いくつかの実施形態では、少なくとも一つのマーキングは、バーコード、数字、文字、英数字コード、標準形状、不規則形状、またはロゴのうちの少なくとも一つを含む。いくつかの実施形態では、創傷に対する少なくとも一つのマーキングの位置および／または配向は、創傷の少なくとも一つのセンサの深さ、創傷の一部分からの少なくとも一つのセンサの距離、少なくとも一つのセンサの配向、または創傷上の少なくとも一つのセンサの位置のうち少なくとも一つを含む。いくつかの実施形態では、少なくとも一つのマーキングは、値と関連付けられ、値は平坦な被覆材に対するマーキングのベースライン位置を識別することができる。
【００３５】
前述の段落のうちのいずれかのシステムはまた、本明細書の記載の他の特徴の中でも特に、本段落に記載される以下の特徴の、任意の組み合わせを含み得る。いくつかの実施形態では、ｐＨ感受性インクは、ｐＨ感受性インク、染料、または顔料のうちの少なくとも一つを含み、創傷環境のｐＨ変化に応答して色を変化させるように構成される。いくつかの実施形態では、位置検出機器のコントローラは、ｐＨ感受性インクの色の変化を測定するようにさらに構成される。いくつかの実施形態では、少なくとも一つのマーキングは、二つのマーキングを含む。いくつかの実施形態では、状態は、少なくとも一つのセンサが創傷内に正しく位置付けられている表示を含む。いくつかの実施形態では、状態は、少なくとも一つのセンサが創傷内に正しく位置付けられていない表示を含む。
【００３６】
いくつかの実施形態では、創傷モニタリングシステムを操作する方法は、創傷被覆材を含む。創傷被覆材は、複数の創傷特性を測定するように構成された複数のセンサを含み、また創傷被覆材は、創傷被覆材上に位置付けられたマーキングをさらに含む。方法は、位置検出機器から、創傷被覆材上に位置付けられた少なくとも一つのマーキングに対応する定置データを受信することを含む。少なくとも一つのマーキングは、ｐＨ感受性インクを含む。創傷被覆材は、患者の創傷と接触し、複数の創傷特性を測定するように構成された複数のセンサを含む。方法は、受信した定置データに少なくとも部分的に基づいて、創傷に対する少なくとも一つのマーキングの位置および／または配向を決定することをさらに含む。方法は、少なくとも一つのマーキングの決定位置および／または配向に少なくとも部分的に基づいて、創傷被覆材の複数のセンサから少なくとも一つのセンサの創傷の位置および／または配向を決定することをさらに含む。方法は、少なくとも一つのセンサの創傷の位置および／または配向の状態を示すことをさらに含む。
【００３７】
前述の段落のいずれかの方法はまた、本明細書の記載のその他のステップまたは特徴の中でも特に、本段落に記載される以下のステップまたは特徴の、任意の組み合わせを含み得る。いくつかの実施形態では、位置検出機器のセンサは、光学ｐＨセンサまたはスキャナーのうちの少なくとも一つを含む。いくつかの実施形態では、センサから受信したデータは、位置検出機器に対する少なくとも一つのマーキングの角度、位置検出機器のスキャンビームの軌道に対する少なくとも一つのマーキングの角度、少なくとも一つのマーキングと位置検出機器との間の距離、少なくとも一つのマーキングに対応するサイズ、少なくとも一つのマーキングに対応する歪み、または少なくとも一つのマーキングに対応する視差の角度量のうちの少なくとも一つを含む。
【００３８】
前述の段落のいずれかの方法はまた、本明細書の記載のその他のステップまたは特徴の中でも特に、本段落に記載される以下のステップまたは特徴の、任意の組み合わせを含み得る。いくつかの実施形態では、少なくとも一つのマーキングは、バーコード、数字、文字、英数字コード、標準形状、不規則形状、またはロゴのうちの少なくとも一つを含む。いくつかの実施形態では、創傷に対する少なくとも一つのマーキングの位置および／または配向は、創傷の少なくとも一つのセンサの深さ、創傷の一部分からの少なくとも一つのセンサの距離、少なくとも一つのセンサの配向、または創傷上の少なくとも一つのセンサの位置のうち少なくとも一つを含む。いくつかの実施形態では、少なくとも一つのマーキングは、値と関連付けられ、値は平坦な被覆材に対するマーキングのベースライン位置を識別することができる。
【００３９】
前述の段落のいずれかの方法はまた、本明細書の記載のその他のステップまたは特徴の中でも特に、本段落に記載される以下のステップまたは特徴の、任意の組み合わせを含み得る。いくつかの実施形態では、ｐＨ感受性インクは、創傷環境のｐＨ変化に応答して色を変化させるように構成される。いくつかの実施形態では、方法は、ｐＨ感受性インクの色の変化を測定することをさらに含む。いくつかの実施形態では、少なくとも一つのマーキングは二つのマーキングを含む。いくつかの実施形態では、方法は、少なくとも一つのセンサが創傷内に正しく位置付けられることを示すことをさらに含む。いくつかの実施形態では、方法は、少なくとも一つのセンサが創傷内に正しく位置付けられないことを示すことをさらに含む。
【００４０】
以下に開示されるポンプの実施形態のいずれも、および、陰圧創傷療法の実施形態のいずれも含むがこれらに限定しないものとし、本出願に開示された配置または実施形態のいずれかの特徴、構成要素、または詳細のいずれも、新しい配置および実施形態を形成するよう本明細書に開示された配置または実施形態のいずれかのその他の特徴、構成要素、または詳細のいずれとも相互に組み合わせ可能である。
【図面の簡単な説明】
【００４１】
【図１Ａ】図１Ａは、いくつかの実施形態による、陰圧創傷治療システムを示す。
【図１Ｂ】図１Ｂは、いくつかの実施形態による創傷被覆材を図示する。
【図１Ｃ】図１Ｃは、いくつかの実施形態に従い、創傷滲出液を吸収し貯蔵できる、可撓性流体コネクタおよび創傷被覆材を用いる、陰圧創傷治療システムを示す。
【図１Ｄ】図１Ｄは、いくつかの実施形態に従い、創傷滲出液を吸収し貯蔵できる、可撓性流体コネクタおよび創傷被覆材を用いる、陰圧創傷治療システムを示す。
【図１Ｅ】図１Ｅは、いくつかの実施形態に従い、創傷滲出液を吸収し貯蔵できる、可撓性流体コネクタおよび創傷被覆材を用いる、陰圧創傷治療システムを示す。
【図１Ｆ】図１Ｆは、いくつかの実施形態による陰圧創傷治療システムを示す。
【図１Ｇ】図１Ｇは、いくつかの実施形態に従い、陰圧なしで使用される、創傷滲出液を吸収し貯蔵できる創傷被覆材を用いる、創傷治療システムを示す。
【図２】図２は、いくつかの実施形態による、創傷被覆材に組み込まれるセンサの設置を示す、センサアレイを示す。
【図３Ａ】図３Ａは、いくつかの実施形態に従い、センサアレイ部分、尾部分およびコネクタパッド端部分を含む、可撓性センサアレイを示す。
【図３Ｂ−１】図３Ｂは、いくつかの実施形態による、様々なセンサアレイの幾何学形状を有する可撓性の回路基板を示す。
【図３Ｂ−２】図３Ｂは、いくつかの実施形態による、様々なセンサアレイの幾何学形状を有する可撓性の回路基板を示す。
【図３Ｃ】図３Ｃは、図３Ｂに示すセンサアレイのセンサアレイ部分３０１Ｂを示す。
【図３Ｄ】図３Ｄは、いくつかの実施形態に従い、穿孔創傷接触層に組み込まれる可撓性センサアレイを示す。
【図３Ｅ−１】図３Ｅは、いくつかの実施形態に従う、コントロールモジュールを示す。
【図３Ｅ−２】図３Ｅは、いくつかの実施形態に従う、コントロールモジュールを示す。
【図３Ｅ−３】図３Ｅは、いくつかの実施形態に従う、コントロールモジュールを示す。
【図４】図４Ａ〜図４Ｃは、創傷に創傷被覆材を適切に配置するのを支援するための複数のアライメント機能を有するモニタリングまたは治療システムの実施形態を示す。
【図５】図５は、いくつかの実施形態による、複数の組み込みセンサまたはセンサパッケージを有する創傷充填材材料で詰められた創傷の断面を示す。
【図６Ａ】図６Ａは、いくつかの実施形態による、創傷内に位置付けられたセンサの細片を有するシステムを示す。
【図６Ｂ】図６Ｂは、いくつかの実施形態による、創傷内に位置付けられたセンサの細片を有するシステムを示す。
【図７】図７は、いくつかの実施形態による、創傷被覆材上のｐＨ感受性インクを利用するモニタリングまたは治療システムを示す。
【発明を実施するための形態】
【００４２】
本明細書に開示される実施形態は、センサ有効基材を用いた生物組織のモニタリングおよび治療のための装置および方法に関する。本明細書に開示される実施形態は、特定のタイプの組織または傷害の治療またはモニタリングに限定されず、代わりに本明細書に開示されるセンサ可能な技術は、センサ有効基材から利益を得うる任意のタイプの療法に広く適用可能である。一部の実施は、診断および患者管理の両方の決定を行うために、医療提供者によって依頼されたセンサおよびデータ収集を利用する。
【００４３】
本明細書に開示されるいくつかの実施形態は、無傷なまたは損傷を受けたヒトまたは動物組織の両方の治療で使用されるように構成された基材上に取り付けられたセンサの使用、またはその中に埋め込まれたセンサの使用に関する。こうしたセンサは、周囲の組織についての情報を収集し、かかる情報をコンピューティング装置または介護者に送信して、さらなる治療で利用することができる。特定の実施形態では、こうしたセンサは、関節炎、温度、または問題を起こしかねないおよびモニタリングを必要とし得るその他の領域を監視するための領域を含む、本体のどこにでも皮膚に取り付けられうる。本明細書に開示されるセンサは、例えば、ＭＲＩまたは他の技術を実施する前に、例えば、装置の存在を示すために、Ｘ線不透過性マーカーなどのマーカーも組み込むことができる。
【００４４】
本明細書で開示したセンサ実施形態は、衣服と組み合わせて使用されうる。本明細書に開示されるセンサの実施形態と併用するための衣服の非限定的な例としては、シャツ、ズボン、パンタロン、ドレス、下着、上着、手袋、靴、帽子、およびその他の適切な衣類が挙げられる。特定の実施形態では、本明細書に開示されるセンサ実施形態は、特定の衣服に溶着されるか、またはその中へと積層されうる。センサ実施形態は、衣服上に直接印刷されてもよく、および／または織物内に埋め込まれていてもよい。微多孔膜などの通気性および印刷可能な材料も適切でありうる。
【００４５】
本明細書に開示されるセンサ実施形態は、病院用ベッド内などの緩衝またはベッドパッディングに組み込まれて、本明細書に開示される任意の特徴などの患者の特徴を監視することができる。特定の実施形態では、こうしたセンサを含む使い捨てフィルムは、病院用寝具の上に配置され、必要に応じて除去／交換されうる。
【００４６】
一部の実施では、本明細書に開示されるセンサ実施形態は、センサ実施形態が自立しているように、エネルギー収穫を組み込みうる。例えば、エネルギーは、熱エネルギー源、運動エネルギー源、化学勾配、または任意の適切なエネルギー源から収穫され得る。
【００４７】
本明細書に開示されるセンサ実施形態は、スポーツ医薬品を含むリハビリテーション装置および治療で利用されうる。例えば、本明細書に開示されるセンサ実施形態は、留め具、スリーブ、ラップ、サポート、およびその他の適切な品目で使用されうる。同様に、本明細書に開示されるセンサ実施形態は、ヘルメット、スリーブ、および／またはパッドなどのスポーツ機器に組み込まれうる。例えば、こうしたセンサ実施形態は、診断において有用でありうる加速度などの特性を監視するための保護ヘルメットに組み込まれうる。
【００４８】
本明細書に開示されるセンサ実施形態は、外科手術装置、例えば、Ｓｍｉｔｈ＆Ｎｅｐｈｅｗ  Ｉｎｃ．によるＮＡＶＩＯ外科手術システムとの協調で使用され得る。実施において、本明細書に開示されるセンサ実施形態は、外科手術装置の配置を案内するため、外科手術装置と通信し得る。一部の実施では、本明細書に開示されるセンサ実施形態は、可能性のある外科手術部位への血流を監視するか、または外科手術部位への血流がないことを確実にすることができる。さらなる外科手術データは、瘢痕化の防止を補助することおよび影響を受ける領域から遠い領域を監視するために収集されうる。
【００４９】
外科手術技術をさらに補助するために、本明細書に開示されたセンサは、外科用ドレープに組み込まれて、裸眼では直接見えないドレープ下の組織に関する情報を提供し得る。例えば、センサ組み込み可撓性ドレープは、改善された面積集中データ収集を提供するために有利に位置付けられたセンサを有し得る。特定の実施では、本明細書に開示されるセンサ実施形態は、ドレープの境界または内部に組み込まれて、フェンスを作り出して外科手術システムを制限／制御することができる。
【００５０】
本明細書に開示されるセンサ実施形態は、外科手術の評価にも利用されうる。例えば、こうしたセンサ実施形態は、皮膚および潜在的な切開部位のための下にある組織を監視することによって、可能性のある外科手術部位についての情報を収集するために使用されうる。例えば、灌流レベルまたはその他の適切な特性は、個別の患者が外科手術合併症のリスクにさらされうるかどうかを評価するために、皮膚の表面でおよび、組織内で深くモニターされうる。本明細書に開示されるものなどのセンサ実施形態は、細菌感染の存在を評価し、抗菌剤の使用のための表示を提供するために使用されうる。さらに、本明細書に開示されるセンサ実施形態は、褥瘡損傷および／または脂肪組織レベルを特定するなど、深部組織におけるさらなる情報を収集し得る。
【００５１】
本明細書に開示されるセンサ実施形態は、心血管モニタリングで利用されうる。例えば、こうしたセンサ実施形態は、心血管系の特性を監視し、かかる情報を別の装置および／または介護者に伝達するために、皮膚に載置することができる可撓性の心血管モニターに組み込まれうる。例えば、こうした装置は、パルス速度、血液の酸素化、および／または心臓の電気活性を監視し得る。同様に、本明細書に開示されるセンサ実施形態は、ニューロンの電気活性の監視など、神経生理学的用途に利用されうる。
【００５２】
本明細書に開示されるセンサ実施形態は、可撓性の移植を含む、移植可能な整形外科用インプラントなどの移植可能な装置に組み込まれうる。こうしたセンサ実施形態は、インプラント部位に関する情報を収集し、この情報を外部ソースに送信するように構成されうる。いくつかの実施形態では、内部ソースはまた、こうしたインプラントのための電力を提供し得る。
【００５３】
本明細書に開示されるセンサ実施形態は、筋肉のラクトース生成または皮膚の表面上の汗の生成など、皮膚の表面上または皮膚の表面下の生化学的活性を監視するためにも利用されうる。いくつかの実施形態では、グルコース濃度、尿濃度、組織圧、皮膚温度、皮膚表面導電率、皮膚表面抵抗率、皮膚の水和性、皮膚の浸軟性、および／または皮膚のリッピングなど、その他の特徴を監視し得る。
【００５４】
本明細書に開示されるセンサ実施形態は、耳、鼻、および喉（ＥＮＴ）用途に組み込まれうる。例えば、こうしたセンサ実施形態は、鼻腔路内の創傷モニタリングなど、ＥＮＴ関連手術からの回復を監視するために利用されうる。
【００５５】
以下でより詳細に説明するように、本明細書に開示されるセンサ実施形態は、ポリマーフィルムでの封入などの封入を伴うセンサ印刷技術を包含し得る。こうしたフィルムは、ポリウレタンなど本明細書で説明した任意のポリマーを使用して構築されうる。センサ実施形態の封入は、局所組織、局所的な液体、およびその他の潜在的な損傷源からの電子機器の防水および保護を提供し得る。
【００５６】
特定の実施形態では、本明細書に開示されるセンサは、以下に開示するように器官保護層に組み込まれうる。このようなセンサ組み込み器官保護層は、対象臓器を保護するとともに、器官保護層が所定位置にあって保護を提供することを確認し得る。さらに、センサ組み込み器官保護層を利用して、血流、酸素化、および器官健康のその他の適切なマーカーを監視することによって、下にある臓器を監視することができる。いくつかの実施形態では、臓器の脂肪および筋肉含有量を監視することによって、移植された臓器を監視するためにセンサ有効な器官保護層を使用し得る。さらに、臓器のリハビリの間など、移植中および移植後の臓器を監視するために、センサ有効な器官保護層を使用し得る。
【００５７】
本明細書に開示されるセンサ実施形態は、創傷（以下でより詳細に開示）またはさまざまなその他の用途に対する治療に組み込まれうる。本明細書に開示されるセンサ実施形態の追加的用途の非限定的な例としては、無傷な皮膚のモニタリングおよび治療、血流を監視するための心血管系へ用途、手足の動きおよび骨修復を監視するなどの整形外科用途、電気的衝撃を監視するなどの神経生理学的用途、および改善されたセンサ有効モニタリングから利益を得ることができる任意の他の組織、臓器、システム、または状態が挙げられる。
【００５８】
創傷療法
本明細書に開示するいくつかの実施形態は、ヒトまたは動物の体に対する創傷療法に関する。そのため、本明細書における創傷へのいかなる言及も、ヒトまたは動物の体上の創傷を指すことができ、本明細書における体へのいかなる言及も、ヒトまたは動物の体を指し得る。開示技術実施形態は、生理学的組織または生体組織への損傷の防止または最小化、または例えば、陰圧源および創傷被覆材構成要素および装置などを含む、減圧を伴うまたは伴わない損傷した組織（例えば、本明細書で説明した創傷など）の治療に関連し得る。創傷オーバーレイおよびパッキング材料、または、存在する場合には内層を含む、装置および構成要素は、時に総称して被覆材と呼ばれる。いくつかの実施形態では、創傷被覆材は、減圧せずに利用されるように提供され得る。
【００５９】
本明細書に開示するいくつかの実施形態は、ヒトまたは動物の体に対する創傷療法に関する。そのため、本明細書における創傷へのいかなる言及も、ヒトまたは動物の体上の創傷を指すことができ、本明細書における体へのいかなる言及も、ヒトまたは動物の体を指し得る。開示された技術実施形態は、生理学的組織または生体組織への損傷を防止するかまたは最小化すること、あるいは、損傷した組織（例えば、本明細書に記載される創傷など）の治療に関し得る。
【００６０】
本明細書で使用される場合、「創傷」という表現は、切創、殴打、または皮膚が切断または損傷される典型的なものといった、その他の衝撃によって引き起こされ得る、生体組織に対する負傷を含み得る。創傷は、慢性または急性損傷であり得る。急性創傷は、手術または外傷の結果として生じる。これらは、予測される期間内に、段階的な治癒を経ていく。慢性創傷は一般的に、急性創傷から始まる。急性創傷は、段階的な治癒を経ず、結果的に回復が延びることになる場合に、慢性創傷となり得る。当然のことながら、患者の免疫力が損なわれたことによって、急性創傷から慢性創傷への移行が起こり得る。
【００６１】
慢性創傷には、例えば、慢性創傷の大部分を占め、主に高齢者に影響する静脈性潰瘍（脚で発生するものなど）、糖尿病性潰瘍（例えば、足または足首潰瘍）、周辺動脈疾患、褥瘡、または、表皮解析球症（ＥＢ）を含み得る。
【００６２】
その他の創傷の例としては、腹部創傷、または手術、外傷、胸骨切開、筋膜切開、あるいは他の状態のいずれかの結果としての他の大規模または切開性の創傷、裂開創傷、急性創傷、慢性創傷、亜急性創傷および裂開創傷、外傷性創傷、フラップおよび皮膚移植片、裂傷、擦傷、挫傷、火傷、糖尿病性潰瘍、褥瘡性潰瘍、ストーマ、術創、外傷性潰瘍および静脈性潰瘍などが挙げられるが、それらに限定されない。
【００６３】
創傷には深部組織損傷も含まれ得る。深部組織傷害は、米国褥瘡諮問委員会（ＮＰＵＡＰ）によって提唱された用語であり、褥瘡の特異な形態を記述するものである。これらの潰瘍は長年、紫色圧潰瘍、悪化する可能性が高い潰瘍、骨張った骨突起部上の打撲、といった用語を用いて臨床医によって説明されてきた。
【００６４】
創傷はまた、本明細書に記載されるように、創傷になる恐れのある組織を含み得る。例えば、恐れのある組織は、骨性突起にわたる組織（深部組織損傷／傷害の恐れのある）、または、（例えば、関節置換／外科的修正／復元のために）切断される可能性を有し得る術前組織（例えば、膝部組織）を含み得る。
【００６５】
いくつかの実施形態は、本明細書に開示される技術を、高度な履物、患者を回転させる、オフロードする（例えば、糖尿病性足潰瘍をオフロードする、など）、感染症の治療、システミックス（ｓｙｓｔｅｍｉｘ）、治療の処理、抗菌物質、構成物質、外科手術、組織の除去、血流への影響、理学療法、運動、入浴、栄養摂取、水分補給、神経刺激、超音波、電子刺激、酸素療法、マイクロ波療法、活性剤オゾン、抗生物質、抗菌物質、等のうちの一つまたは複数と併用して創傷を治療する方法に関する。
【００６６】
あるいは、またはさらに、創傷は、局所陰圧、および／または、適用された陰圧を使用することによって補助されない、従来の高度な創傷治療（非陰圧療法と呼ばれる場合もある）を使用して治療され得る。
【００６７】
高度な創傷治療には、吸収被覆材の使用、閉塞被覆材、創傷被覆材または付属物内における抗菌剤および／または創傷清拭剤の使用、パッド（例えば、靴下や包帯といった、緩衝または圧縮療法）、等が含まれ得る。
【００６８】
いくつかの実施形態では、そのような創傷の治療は、従来の創傷治療を使用して実施され得、創傷の治癒を促進および促進するために、創傷に被覆材が適用され得る。
【００６９】
いくつかの実施形態は、本明細書に開示されるように創傷被覆材を提供することを含む創傷被覆材を製造する方法に関する。
【００７０】
開示された技術と併せて利用され得る創傷被覆材は、当該技術分野において既知の任意の被覆材を含む。本技術は、非陰圧療法治療と同じく、陰圧療法治療に適用可能である。
【００７１】
いくつかの実施形態では、創傷被覆材は、一つまたは複数の吸収層を含む。吸収層は、発泡体または超吸収性であってもよい。
【００７２】
いくつかの実施形態では、創傷被覆材は、多糖類または修飾多糖類、ポリビニルピロリドン、ポリビニルアルコール、ポリビニルエーテル、ポリウレタン、ポリアクリレート、ポリアクリルアミド、コラーゲン、ゼラチン、またはそれらの混合物を含む被覆材層を含み得る。挙げられたポリマーを含む被覆材層は、陰圧療法または非陰圧療法のいずれかのための創傷被覆材層を形成するために有用であるとして、当技術分野で公知である。
【００７３】
いくつかの実施形態では、ポリマーマトリクスは、多糖類または修飾多糖類であってもよい。
【００７４】
いくつかの実施形態では、ポリマーマトリクスは、セルロースであってもよい。セルロース材料は、メチルセルロース、カルボキシメチルセルロース（ＣＭＣ）、カルボキシメチルセルロース（ＣＥＣ）、エチルセルロース、プロピルセルロース、ヒドロキシエチルセルロース、ヒドロキシプロピルセルロース、ヒドロキシプロピルメチルセルロース，  カルボキシルスルホネートセルロース、セルロースアルキルスルホネート、またはそれらの混合物といった、親水性修飾セルロースを含み得る。
【００７５】
特定の実施形態では、セルロース材料はセルロースアルキルスルホネートであってもよい。アルキルスルホネート置換基のアルキル部分は、メチル、エチル、プロピル、又はブチルなどの、１〜６個の炭素原子を有するアルキル基を有してもよい。アルキル部分は、分枝または非分枝であってもよく、従って、好適なプロピルスルホネート置換基は、１−または２−メチル−エチルスルホネートであってもよい。ブチルスルホネート置換基は、２−エチル−エチルスルホネート、２，２−ジメチル−エチルスルホネート、または１，２−ジメチル−エチルスルホネートであってもよい。アルキルスルホネート置換基は、エチルスルホネートであってもよい。セルロースアルキルスルホネートは、国際特許第１００６１２２５号、米国特許第２０１６／１１４０７４号、米国特許第２００６／０１４２５６０号、または米国特許第５，７０３，２２５号に記載されており、その開示は参照によりその全体が本明細書に組み込まれる。
【００７６】
セルロースアルキルスルホナートは、様々な度合いの置換、セルロース骨格構造の鎖長、およびアルキルスルホナート置換基の構造を有してもよい。溶解性および吸収性は、置換の程度により、置換の程度が増大するほど、セルロースアルキルスルホナートはますます溶解性になる。溶解性が増加するにつれ、吸収性が増加するということになる。
【００７７】
いくつかの実施形態では、創傷被覆材はまた、上部またはカバー層を含む。
【００７８】
本明細書に開示される創傷被覆材の厚さは、１ｍｍ〜２０ｍｍ、または２ｍｍ〜１０ｍｍ、または３ｍｍ〜７ｍｍであり得る。
【００７９】
いくつかの実施形態では、開示された技術は、非陰圧被覆材と併せて使用され得る。創傷部位に保護をもたらすのに好適な非陰圧創傷被覆材は、
【００８０】
創傷滲出液を吸収するための吸収層と、
【００８１】
使用時に吸収層によって吸収される創傷滲出液の視界を少なくとも部分的に遮断するための遮蔽要素と、を含み得る。
【００８２】
遮蔽要素は部分的に半透明であってもよい。
【００８３】
遮蔽要素はマスキング層であってもよい。
【００８４】
非陰圧創傷被覆材は、吸収層を見ることができるように遮蔽要素内またはそれに隣接した領域をさらに含み得る。例えば、遮蔽要素層は、吸収層の中央領域の上には提供されるが、吸収層の境界領域の上には提供されなくてもよい。いくつかの実施形態では、遮断要素が親水性材料であるか、または親水性材料で被覆されている。
【００８５】
遮蔽要素は、三次元編みスペーサ織物を含み得る。スペーサ織物は当該技術では既知であり、編みスペーサ織物層を含み得る。
【００８６】
遮蔽要素は、被覆材を変更する必要性を示すためのインジケータをさらに含み得る。
【００８７】
いくつかの実施形態では、遮蔽要素は、少なくとも部分的に吸収層の上に、使用中には吸収層よりも創傷部位から遠くに、層として提供される。
【００８８】
非陰圧創傷被覆材は、流体をそれを通して移動させることを可能にするための遮蔽要素に複数の開口部をさらに含み得る。遮蔽要素は、所定のサイズまたは重量の分子の通過を選択的に許容または防止するための、サイズ排除特性を有する材料を含んでもよく、またはその材料で被覆されてもよい。
【００８９】
遮蔽要素は、６００ｎｍ以下の波長を有する光放射を少なくとも部分的にマスクするように構成され得る。
【００９０】
遮蔽要素は、５０％以上、光吸収を減少させるように構成され得る。
【００９１】
遮蔽要素は、ＣＩＥのＬ＊値５０以上、および必要に応じて７０以上をもたらすように構成され得る。いくつかの実施形態では、遮蔽要素は、ＣＩＥのＬ＊値７０以上をもたらすように構成され得る。
【００９２】
いくつかの実施形態では、非陰圧創傷被覆材は、創傷接触層、発泡層、臭気抑制要素、耐圧層、およびカバー層のうちの少なくとも一つをさらに含み得る。
【００９３】
いくつかの実施形態では、カバー層が存在し、カバー層は半透明フィルムである。通常、半透明フィルムは、２４時間で５００ｇ／ｍ２以上の透湿性を有する。
【００９４】
半透過性フィルムは細菌バリアであり得る。
【００９５】
いくつかの実施形態では、本明細書に開示される非陰圧創傷被覆材は、創傷接触層を含み、吸収層が創傷接触層の上にある。創傷接触層は、創傷部位の上に実質的に流体密封シールを形成するための接着部分を担持する。
【００９６】
本明細書に開示される非陰圧創傷被覆材は、単一層として提供される遮断要素および吸収層を含み得る。
【００９７】
いくつかの実施形態では、本明細書に開示される非陰圧創傷被覆材が発泡層を含み、遮断要素は、遮蔽要素の移動によって移動または破壊され得る構成要素を含む材料である。
【００９８】
いくつかの実施形態では、非陰圧創傷被覆材が臭気抑制要素を含み、別の実施形態では、被覆材は臭気抑制要素を含まない。存在する場合、臭気抑制要素は、吸収層または遮蔽要素内またはそれに隣接して分散されてもよい。あるいは、存在する場合、臭気抑制要素が、発泡層と吸収層との間に挟まれた層として提供されてもよい。
【００９９】
いくつかの実施形態では、非陰圧創傷被覆材のために開示された技術は、創傷被覆材を製造する方法を含み、その方法は、創傷滲出液を吸収するための吸収層を提供することと、使用中に吸収層によって吸収された創傷滲出液の視界を少なくとも部分的に遮断するための遮蔽要素を提供することと、を含む。
【０１００】
いくつかの実施形態では、非陰圧創傷被覆材は、創傷部位での保護を提供することに好適であってもよく、創傷滲出液を吸収するための吸収層と、吸収層の上に、吸収層よりも創傷被覆材の創傷に面する側から離れて提供される遮蔽層とを含む。遮蔽層は、吸収層の上に直接提供されてもよい。いくつかの実施形態では、遮蔽層は、三次元スペーサ織物層を含む。
【０１０１】
遮蔽層は、被覆材に適用される圧力が２５％以上移動される範囲、または、適用の初期範囲を増加させる。例えば、遮蔽層は、被覆材に適用される圧力が５０％以上、必要に応じて１００％以上、および必要に応じて２００％以上、移動される範囲を増加させる。
【０１０２】
遮蔽層は、二つ以上のサブ層を含んでもよく、第一のサブ層は貫通孔を含み、およびさらなるサブ層は貫通孔を含み、第一のサブ層の貫通孔はさらなるサブ層の貫通孔からオフセットされる。
【０１０３】
本明細書に開示される非陰圧創傷被覆材は、気体および蒸気を通過することを可能にする透過性カバー層をさらに備えてもよく、カバー層は遮蔽層の上に設けられ、カバー層の貫通孔は遮蔽層の貫通孔からオフセットされる。
【０１０４】
非陰圧創傷被覆材は、褥瘡の治療に好適であり得る。
【０１０５】
上記本明細書に開示される非陰圧被覆材のより詳細な説明は、国際特許第２０１３／００７９７３号に提供され、その全体が参照により本明細書に組み込まれる。
【０１０６】
いくつかの実施形態では、非陰圧創傷被覆材は、創傷部位から滲出液を吸収するための繊維質吸収層と、創傷被覆材の少なくとも一部分の収縮を低減するよう構成された保持層とを含む、多層の創傷被覆材であってもよい。
【０１０７】
いくつかの実施形態では、本明細書に開示される多層の創傷被覆材は、液体不透過性フィルム層をさらに含み、保持層は吸収層とフィルム層との間に配置される。
【０１０８】
本明細書に開示される保持層は、ネットを含み得る。ネットは、それを通って延在する複数の実質的に幾何学的なアパーチャを有する幾何学的構造を含み得る。幾何学的構造は、例えば、ポリマー鎖の間に実質的に幾何学的なアパーチャを形成するよう、ポリマー鎖によって実質的に均等に離間し、結合された複数のボスを含み得る。
【０１０９】
ネットは、高密度ポリエチレンから形成され得る。
【０１１０】
アパーチャは、０．００５〜０．３２ｍｍ２の面積を有し得る。
【０１１１】
保持層は、０．０５Ｎｍ〜０．０６Ｎｍの引張強度を有し得る。
【０１１２】
保持層は５０μｍ〜１５０μｍの厚さを有し得る。
【０１１３】
いくつかの実施形態では、保持層は、吸収層に直接隣接して配置される。通常、保持層は、吸収層の最上表面の繊維に結合される。保持層は、結合層をさらに含んでもよく、保持層は、結合層を介して吸収層内の繊維に熱積層される。結合層は、エチレンビニルアセテート接着剤などの低融点接着剤を含み得る。
【０１１４】
いくつかの実施形態では、本明細書に開示される多層の創傷被覆材は、フィルム層を保持層に接着させる接着層をさらに含む。
【０１１５】
いくつかの実施形態では、本明細書に開示される多層の創傷被覆材は、創傷に隣接して位置付けるための、吸収層に隣接して配置される創傷接触層をさらに含む。多層の創傷被覆材は、創傷から離れて吸収層へと滲出液を移動させるため、創傷接触層と吸収層との間に流体輸送層をさらに含み得る。
【０１１６】
上記本明細書に開示される多層の創傷被覆材のより詳細な説明は、出願番号ＧＢ１６１８２９８．２を用いて２０１６年１０月２８日に出願された、ＧＢ特許出願において提供され、その全体が参照により本明細書に組み込まれる。
【０１１７】
いくつかの実施形態では、開示された技術が創傷被覆材に組み込まれてもよく、その創傷被覆材は、材料の吸収層の第一の層と、材料の第二の層とを含む垂直重複材料を含み、第一の層は、不織布繊維のうちの少なくとも一つの層から構築され、不織布繊維は、複数の折り目に折り畳まれてひだのある構造を形成する。いくつかの実施形態では、創傷被覆材は、材料の第一の層に一時的に、または永久的に接続された、材料の第二の層をさらに含む。
【０１１８】
通常、垂直重複材料は、切り込みが入れられている。
【０１１９】
いくつかの実施形態では、第一の層は、ひだの深さによって、または、切り込みの幅によって決められた深さを有する、ひだのある構造を有する。材料の第一の層は、成形可能、軽量、繊維系材料、材料または組成物層の混合であってもよい。
【０１２０】
材料の第一の層は、合成、天然、または無機ポリマーで製造された繊維、セルロース性、タンパク質性、または鉱物源の天然繊維のうちの一つまたは複数を含み得る。
【０１２１】
創傷被覆材は、互いの上に積み重ねられた材料垂直重複材料の吸収層のうちの二つ以上の層を含んでもよく、二つ以上の層は、同一または異なる密度または組成を有する。
【０１２２】
いくつかの実施形態では、創傷被覆材は、材料垂直重複材料の吸収層のうちの一つの層のみを含み得る。
【０１２３】
材料の吸収層は、天然または合成、有機または無機繊維、および結合剤繊維、または、特定温度で軟化し、全体的な混合の結合剤として作用する、低溶融温度ＰＥＴコーティングを用いた、バイコンポーネント繊維、通常ＰＥＴの混合である。
【０１２４】
いくつかの実施形態では、材料の吸収層は、５％〜９５％の熱可塑性ポリマー、および、５ｗｔ％〜９５ｗｔ％のセルロースまたはその誘導体であってもよい。
【０１２５】
いくつかの実施形態では、本明細書に開示される創傷被覆材は、発泡体または被覆材固定剤を含む第二の層を有する。
【０１２６】
発泡体は、ポリウレタン発泡体であってもよい。ポリウレタン発泡体は、開放または閉鎖孔構造を有してもよい。
【０１２７】
被覆材固定剤は、包帯、テープ、ガーゼ、または裏当て層を含み得る。
【０１２８】
いくつかの実施形態では、本明細書に開示されるように、創傷被覆材は、ラミネーションまたは接着剤によって第二の層に直接接続された材料の吸収層を含み、第二の層は被覆材固定層に接続される。接着剤は、アクリル接着剤、またはシリコーン接着剤であってもよい。
【０１２９】
いくつかの実施形態では、本明細書に開示されるように、創傷被覆材は、超吸収性繊維、またはビスコース繊維またはポリエステル繊維の層をさらに含む。
【０１３０】
いくつかの実施形態では、本明細書に開示されるように、創傷被覆材は、裏当て層をさらに含む。裏当て層は、透明または不透明なフィルムであってもよい。通常、裏当て層は、ポリウレタンフィルム（通常、透明ポリウレタンフィルム）を含む。
【０１３１】
上記本明細書に開示される多層の創傷被覆材のより詳細な説明は、出願番号ＧＢ１６２１０５７．７を用いて２０１６年１２月１２日に、および出願番号ＧＢ１７０９９８７．０を用いて２０１７年６月２２日に出願されたＧＢ特許出願において提供され、その各々の全体が参照により本明細書に組み込まれる。
【０１３２】
いくつかの実施形態では、非陰圧創傷被覆材は、創傷被覆材のための吸収性構成要素を含み得、構成要素が、発泡層に結合されたゲル形成繊維を含む創傷接触層を含み、発泡層が、接着剤、ポリマー系溶融層、フレームラミネーション、または超音波によって創傷接触層に直接結合される。
【０１３３】
吸収性構成要素は、シート形態であってもよい。
【０１３４】
創傷接触層は、織りまたは不織り、あるいは編みゲル形成繊維の層を含み得る。
【０１３５】
発泡層は、開放細胞発泡体、または閉鎖細胞発泡体であってもよく、通常は開放細胞発泡体である。発泡層は、親水性発泡体である。
【０１３６】
創傷被覆材は、被覆材を創傷に接着する接着剤の周辺によって囲まれた、創傷と直接接触する島を形成する構成要素を含み得る。接着剤は、シリコーンまたはアクリル接着剤であってもよく、一般にシリコーン接着剤であり得る。
【０１３７】
創傷被覆材は、創傷から最も遠い被覆材の表面において、フィルム層によって覆われ得る。
【０１３８】
本明細書の本タイプの創傷被覆材のより詳細な説明は、ＥＰ２４９８８２９に提供されており、その全体が参照により本明細書に組み込まれる。
【０１３９】
いくつかの実施形態では、非陰圧創傷被覆材は、高レベルの滲出液を生成する創傷で使用する多層創傷被覆材を含んでもよく、被覆材が、少なくとも２４時間で３００ｇｍ２のＭＶＴＲを有する透過層と、滲出液を吸収し、保持することができるゲル形成繊維を含む吸収性コアと、滲出液を吸収性コアに送るゲル形成繊維を含む創傷接触層と、吸収性コア上に位置付けられるキーイング層とを含むことで特徴付けられ、吸収性コアおよび創傷接触層は、被覆材の滲出液の横方向の広がりを創傷領域に制限する。
【０１４０】
創傷被覆材は、２４時間で被覆材の１０ｃｍ２あたりの流体のうち、少なくとも６ｇ（または８ｇ〜１５ｇ）に対応する能力を有し得る。
【０１４１】
創傷被覆材は、布の形態で化学修飾されたセルロース系繊維であるゲル形成繊維を含み得る。繊維は、カルボキシメチル化セルロース繊維を含み得、通常は塩化カルボキシメチルセルロース繊維である。
【０１４２】
創傷被覆材は、横方向の吸い上げ量が毎分５ｍｍ〜毎分４０ｍｍの創傷接触層を含み得る。創傷接触層は、３５ｇｍ２など、２５ｇｍ２〜５５ｇｍ２の繊維密度を有し得る。
【０１４３】
吸収性コアは、少なくとも１０ｇ／ｇの滲出液の吸収性を有し得、通常、横方向の吸い上げ量は、毎分２０ｍｍより少ない。
【０１４４】
吸収性コアは、重量で最大２５％のセルロース系繊維、および重量でゲル形成繊維の７５％〜１００％の範囲の混合物を有し得る。
【０１４５】
あるいは、吸収性コアは、重量で最大５０％のセルロース系繊維、および重量でゲル形成繊維の５０％〜１００％の範囲の混合物を有し得る。例えば、混合物は、重量で５０％のセルロース系繊維および重量で５０％のゲル形成繊維の範囲内である。
【０１４６】
吸収性コアの繊維密度は、１５０ｇｍ２〜２５０ｇｍ２、または約２００ｇｍ２であってもよい。
【０１４７】
濡れた場合の創傷被覆材は、その元のサイズ／寸法の２５％未満または１５％未満の収縮を有し得る。
【０１４８】
創傷被覆材は、透過層を含み得、層は発泡体である。透過層は、ポリウレタンフィルムにラミネートされたポリウレタン発泡体であってもよい。
【０１４９】
創傷被覆材は、可溶性薬剤フィルム層、臭気吸収層、拡散層、および追加的接着剤層を含む群から選択される、一つまたは複数の層を含み得る。
【０１５０】
創傷被覆材は、厚さ２ｍｍ〜４ｍｍであってもよい。
【０１５１】
創傷被覆材は、キーイング層が吸収性コアを隣接する層に結合するという点で特徴付けられ得る。いくつかの実施形態では、キーイング層は、吸収性コアの創傷に面する側、または、吸収性コアの非創傷面側のいずれかに位置付けられ得る。いくつかの実施形態では、キーイング層は、吸収性コアと創傷接触層との間に位置付けられる。キーイング層はポリアミドウェブである。
【０１５２】
本明細書の本タイプの創傷被覆材のより詳細な説明は、ＥＰ１７１８２５７に提供されており、その全体が参照により本明細書に組み込まれる。
【０１５３】
いくつかの実施形態では、非陰圧創傷被覆材は、圧迫包帯であってもよい。圧迫包帯は、例えば下肢の、浮腫およびその他の静脈障害およびリンパ系障害の治療に使用されることが周知である。
【０１５４】
圧迫包帯システムは、通常、皮膚と圧迫層との間のパディング層を含む複数層を用いる。圧迫包帯は、静脈性脚潰瘍を処置する、といった、創傷に有用であり得る。
【０１５５】
いくつかの実施形態では、圧迫包帯は、内側の皮膚に面する層と、弾性外層を含む包帯システムを備え得、内層は、発泡体の第一の層と、吸収性不織りウェブの第二の層とを含み、内層および外層は、患者の手足周りに巻かれることができるよう、十分細長い。本タイプの圧迫包帯は、国際特許第９９／５８０９０号において開示されており、その全体が参照により本明細書に組み込まれる。
【０１５６】
いくつかの実施形態では、圧迫包帯システムは、ａ）（ｉ）細長い弾性基板と、
【０１５７】
（ｉｉ）細長い発泡層と、を含む内側の皮膚に面した、細長い弾性包帯であって、発泡層が基板の面に取り付けられ、基板の面を横断方向に３３％以上横切って、および、基板の面を長手方向に６７％以上横切って延在する、弾性包帯と、ｂ）外側の、細長い、ノンテープ式の弾性包帯であって、包帯が、延在されると圧縮力を有し、使用時には、内側包帯の発泡層が皮膚に面し、外側包帯が内側包帯の上にある、弾性包帯と、を含む。本タイプの圧迫包帯は、国際特許第２００６／１１０５２７号において開示されており、その全体が参照により本明細書に組み込まれる。
【０１５８】
いくつかの実施形態では、米国特許第６，７５９，５６６号および米国特許第２００２／００９９３１８号に開示されているものなど、その他の圧迫包帯システムがそれぞれ、その全体が参照により本明細書に組み込まれる。
陰圧創傷被覆材
【０１５９】
いくつかの実施形態では、そのような創傷の治療は、陰圧創傷療法を使用して実施することができ、減圧または陰圧が、創傷の治癒を容易にして促進するように、創傷に適用され得る。本明細書に開示される創傷被覆材および方法は、身体の他の部分に適用されてもよく、創傷の治療に必ずしも限定されないことも、理解されるであろう。
【０１６０】
本開示の実施形態は、概して、局所陰圧（「ＴＮＰ（ｔｏｐｉｃａｌ  ｎｅｇａｔｉｖｅ  ｐｒｅｓｓｕｒｅ）」）治療システムで使用するように適用可能であることは理解されるであろう。手短に言えば、陰圧創傷治療は、組織の浮腫を減少させ、血流および顆粒組織形成を促し、過度の滲出液を除去することによって、「治癒が困難な」創傷の多くの形態を閉鎖および治癒するのを補助し、細菌負荷（および、それゆえ感染リスク）を低減してもよい。加えて、治療によって、創傷の不安を減らすことが可能になり、より早期の治癒に導く。ＴＮＰ治療システムはまた、流体を除去し、閉鎖の並列された位置で組織を安定化するのに役立つことで、外科的に閉じられた創傷の治癒を支援してもよい。ＴＮＰ治療のさらなる有益な使用は、過剰な流体を除去することが重要であり、組織の生存度を確保するために移植片が組織に近接していることが求められる、移植片及びフラップにおいて見出すことができる。
【０１６１】
陰圧療法は、大きすぎて自然には閉じられない、もしくはそうでなければ、創傷の部位への陰圧の適用では治癒しない、開放創または慢性創傷の治療に使用され得る。局所陰圧（ＴＮＰ）療法または陰圧創傷療法（ＮＰＷＴ）は、創傷の上に流体に対して不透過性または半透過性の被覆を置くことと、創傷を囲む患者の組織に対して被覆を封止する、様々な手段を使用することと、陰圧を被覆の真下に作り出し維持するような手法で、陰圧の源（真空ポンプなど）を被覆に接続することと、を伴う。そのような陰圧は、有害なサイトカインまたは細菌を包含する場合がある、過度の流体を除去しながら同時に、創傷部位で肉芽組織の形成を容易にし、平常の体内炎症プロセスを支援することによって、創傷の治癒を促進すると考えられる。
【０１６２】
ＮＰＷＴに使用される被覆材のいくつかは、様々な種類の材料及び層、例えば、ガーゼ、パッド、フォームパッド、または多層創傷被覆材が含まれる。多層創傷被覆材の一例は、ＮＰＷＴで創傷を治療する、キャニスタなしのシステムを提供するように、裏当て層の下方に創傷接触層および超吸収層を含む、Ｓｍｉｔｈ＆ＮｅｐＨｅｗから市販されているＰＩＣＯ被覆材である。創傷被覆材は、被覆材から流体を汲み上げるか、またはポンプから創傷被覆材へ陰圧を伝達するように使用されてもよい、長い管への接続を提供する、吸引ポートに封止されてもよい。加えて、Ｓｍｉｔｈ＆ＮｅｐＨｅｗから市販されているＲＥＮＡＳＹＳ−Ｆ、ＲＥＮＡＳＹＳ−Ｇ、ＲＥＮＡＳＹＳ−ＡＢおよびＲＥＮＡＳＹＳ−Ｆ／ＡＢも、ＮＰＷＴ創傷被覆材およびシステムのさらなる例である。多層創傷被覆材の別の例は、陰圧を使用せずに創傷を治療するのに使用される、湿潤創傷環境被覆材を含む、Ｓｍｉｔｈ＆ＮｅｐＨｅｗから市販されているＡＬＬＥＶＹＮ  Ｌｉｆｅ被覆材である。
【０１６３】
本明細書に使用する通り、−ＸｍｍＨｇなど、減圧または陰圧レベルは、７６０ｍｍＨｇ（または１ａｔｍ、２９．９３ｉｎＨｇ、１０１．３２５ｋＰａ、１４．６９６ｐｓｉなど）に相当し得る、平常の周囲気圧に対する圧力レベルを表す。したがって、−ＸｍｍＨｇの陰圧値は、７６０ｍｍＨｇよりもＸｍｍＨｇ低い絶対圧力、または、言い換えれば、（７６０−Ｘ）ｍｍＨｇの絶対圧力を反映する。加えて、ＸｍｍＨｇよりも「低い」または「小さい」陰圧は、気圧により近い圧力に相当する（例えば、−４０ｍｍＨｇは−６０ｍｍＨｇよりも低い）。−ＸｍｍＨｇよりも「高い」または「大きい」陰圧は、気圧からより離れた圧力に相当する（例えば、−８０ｍｍＨｇは−６０ｍｍＨｇよりも高い）。いくつかの実施形態では、局所的な周囲気圧は基準点として使用され、そのような局所的な気圧は、必ずしも、例えば、７６０ｍｍＨｇでなくてもよい。
【０１６４】
本開示のいくつかの実施形態に関する陰圧範囲は、約−８０ｍｍＨｇ、または約−２０ｍｍＨｇから−２００ｍｍＨｇの間であり得る。これらの圧力は、７６０ｍｍＨｇであり得る、平常の周囲気圧に対して相対的であることには留意されたい。それゆえ、−２００ｍｍＨｇは、実質的には約５６０ｍｍＨｇであろう。いくつかの実施形態では、圧力範囲は、約−４０ｍｍＨｇと−１５０ｍｍＨｇとの間であり得る。代替として、最高−７５ｍｍＨｇ、最高−８０ｍｍＨｇまたは−８０ｍｍＨｇを超える圧力範囲が使用され得る。また、他の実施形態では、−７５ｍｍＨｇを下回る圧力範囲が使用され得る。代替として、およそ−１００ｍｍＨｇまたはさらに−１５０ｍｍＨｇより上の圧力範囲が、陰圧デバイスにより供給され得る。
【０１６５】
本明細書に記載する創傷閉鎖デバイスのいくつかの実施形態では、創傷収縮の増加が、囲んでいる創傷組織における組織拡張の増加につながり得る。この影響は、場合により、創傷閉鎖デバイスの実施形態によって創傷に適用される引張力の増加と連動して、組織に適用される力を変化させること、例えば、時間と共に創傷に適用される陰圧を変化させることによって増大する場合がある。いくつかの実施形態では、例えば、正弦波、方形波を使用して、または一つまたは複数の患者の生理学的指標（心拍など）と同期して、時間と共に陰圧を変化させてもよい。前述に関するさらなる開示を見つけることができる、そのような適用の例には、２０１２年８月７日に発行された名称「Ｗｏｕｎｄ  ｔｒｅａｔｍｅｎｔ  ａｐｐａｒａｔｕｓ  ａｎｄ  ｍｅｔｈｏｄ」の米国特許第８，２３５，９５５号、および２０１０年７月１３日に発行された名称「Ｗｏｕｎｄ  ｃｌｅａｎｓｉｎｇ  ａｐｐａｒａｔｕｓ  ｗｉｔｈ  ｓｔｒｅｓｓ」の米国特許第７，７５３，８９４号を含む。これら両特許の開示は、参照することによりその全体が本明細書に援用される。
【０１６６】
本明細書に記載する創傷被覆材、創傷被覆材構成要素、創傷治療装置および方法の実施形態は、また、２０１３年５月２２日に国際出願番号第ＰＣＴ／ＩＢ２０１３／００１４６９号で出願され、２０１３年１１月２８日に国際公開第２０１３／１７５３０６Ａ２号として公開された、名称「ＡＰＰＡＲＡＴＵＳＥＳ  ＡＮＤ  ＭＥＴＨＯＤＳ  ＦＯＲ  ＮＥＧＡＴＩＶＥ  ＰＲＥＳＳＵＲＥ  ＷＯＵＮＤ  ＴＨＥＲＡＰＹ」、２０１５年１月３０日に米国特許出願第１４／４１８，９０８号で出願され、２０１５年７月９日に米国特許出願公開第２０１５／０１９０２８６Ａ１号として公開された、名称「ＷＯＵＮＤ  ＤＲＥＳＳＩＮＧ  ＡＮＤ  ＭＥＴＨＯＤ  ＯＦ  ＴＲＥＡＴＭＥＮＴ」に記載されるものと組み合わせて、またはそれらに加えて使用されてもよく、それらの開示は、参照することによりその全体が本明細書に援用される。本明細書に記載する創傷被覆材、創傷被覆材アセンブリ、創傷被覆材構成要素、創傷治療装置および方法の実施形態は、また、２０１１年４月２１日に米国特許出願第１３／０９２，０４２号で出願され、米国特許第２０１１／０２８２３０９号として公開された、名称「ＷＯＵＮＤ  ＤＲＥＳＳＩＮＧ  ＡＮＤ  ＭＥＴＨＯＤ  ＯＦ  ＵＳＥ」、および２０１５年５月１８日に米国特許出願第１４／７１５，５２７号で出願され、２０１６年１１月２４日に米国特許出願公開第２０１６／０３３９１５８Ａ１号として公開された、名称「ＦＬＵＩＤＩＣ  ＣＯＮＮＥＣＴＯＲ  ＦＯＲ  ＮＥＧＡＴＩＶＥ  ＰＲＥＳＳＵＲＥ  ＷＯＵＮＤ  ＴＨＥＲＡＰＹ」に記載されるものと組み合わせて、またはそれらに加えて使用されてもよく、それらの各開示は、創傷被覆材、創傷被覆材の構成要素および原理、ならびに創傷被覆材に使用される材料の実施形態に関するさらなる詳細を含め、その全体が参照により本明細書に組み込まれる。
【０１６７】
加えて、本明細書に記載するポンプまたは関連電子機器と組み合わせて、創傷被覆材を含むＴＮＰ創傷治療に関係するいくつかの実施形態はまた、２０１６年４月２６日に国際出願第ＰＣＴ／ＥＰ２０１６／０５９３２９号で出願され、２０１６年１１月３日に国際公開２０１６／１７４０４８号として公開された、名称「ＲＥＤＵＣＥＤ  ＰＲＥＳＳＵＲＥ  ＡＰＰＡＲＡＴＵＳ  ＡＮＤ  ＭＥＴＨＯＤＳ」に記載されるものと組み合わせて、またはそれらに加えて使用されてもよく、その開示が本明細書全体において参照によって組み込まれる。
【０１６８】
ＮＰＷＴシステムの概要
図１Ａは、創傷くぼみ１０４であって、創傷カバー１０６によって封止された創傷くぼみの内部に置かれた創傷充填材１０８を含む、陰圧のまたは減圧創傷治療（またはＴＮＰ）システム１０２の一実施形態を示す。創傷カバー１０６と組み合わされた創傷充填材１０８は、創傷被覆材として言及され得る。単一または複数の内腔管または導管１１２は、創傷カバー１０６と、減圧圧力を供給するように構成されるポンプアセンブリ１１４とを接続する。創傷カバー１０６は、創傷くぼみ１０４に流体連通することができる。図１Ａに示される実施形態のような本明細書で開示されるいくつかのシステムの実施形態において、ポンプアセンブリは、キャニスタレスポンプアセンブリ（滲出液が、創傷被覆材に集められる、または別の位置に集めるために管１１２を介して運ばれることを意味する）であることができる。しかし、本明細書で開示されるいくつかのポンプアセンブリの実施形態は、キャニスタを含むまたは支持するように構成され得る。追加的に、本明細書で開示されるいくつかのシステムの実施形態において、いくつかのポンプアセンブリの実施形態は、被覆材に取付けられ、もしくは被覆材によって支持され、または被覆材に隣接することができる。
【０１６９】
創傷充填材１０８は、例えば、親水性または疎水性発泡体、ガーゼ、膨張可能なバッグ等の任意の適切なタイプであることができる。創傷充填材１０８は、それが実質的にくぼみを充填するように、創傷くぼみ１０４に適合することができる。創傷カバー１０６は、創傷くぼみ１０４を覆う実質的に流体不浸透性のシールを提供することができる。創傷カバー１０６は、上面および下面を有することができ、下面は、創傷くぼみ１０４を粘着的に（または任意のその他の適切な手法において）封止する。本明細書で開示される導管１１２もしくは内腔またはいくつかのその他の導管もしくは内腔は、ポリウレタン、ＰＶＣ、ナイロン、ポリエチレン、シリコーン、または任意のその他の適切な材料から形成され得る。
【０１７０】
創傷カバー１０６のいくつかの実施形態は、導管１１２の端を受けるように構成される、ポート（図示せず）を有し得る。例えば、ポートは、Ｓｍｉｔｈ＆ＮｅｐＨｅｗから入手可能なＲｅｎａｙｓ  Ｓｏｆｔ  Ｐｏｒｔであることができる。その他の実施形態では、導管１１２は、別のやり方では、創傷くぼみ内に所望のレベルの減圧圧力を維持するように、減圧圧力を創傷くぼみ１０４に供給するために創傷カバー１０６を通り抜けるまたはその下にあることができる。導管１１２は、ポンプアセンブリ１１４によって提供される減圧圧力を創傷くぼみ１０４に供給するように、ポンプアセンブリ１１４と創傷カバー１０６との間に少なくとも実質的に密封された流体流路を提供するように構成される、任意の好適な物品であることができる。
【０１７１】
創傷カバー１０６および創傷充填材１０８は、単一な物品または一体型の単一なユニットとして提供され得る。いくつかの実施形態では、創傷充填材が提供されずに、創傷カバーがそれ自体として創傷被覆材とみなされてもよい。ついで、創傷被覆材は、導管１１２を介して、ポンプアセンブリ１１４といった陰圧源に接続され得る。ポンプアセンブリ１１４は小形化され、持ち運び可能とすることができるが、より大きな従来のそのようなポンプがまた使用されてもよい。
【０１７２】
創傷カバー１０６は、治療されることになる創傷部位の上に置かれ得る。創傷カバー１０６は、創傷部位を覆う実質的に密封されたくぼみまたはエンクロージャを形成することができる。いくつかの実施形態では、創傷カバー１０６は、過剰流体の蒸発を可能にする高い水蒸気浸透性を持つフィルムを有するように構成されることができ、また創傷滲出液を安全に吸収するためにその中に含まれる超吸収性材料を有することができる。本明細書全体を通して、創傷に関して言及することが理解されるであろう。この点において、創傷という用語は広く解釈され、皮膚が断裂、切開、もしくは穿孔される、または外傷によって挫傷が引き起こされる開放創および閉鎖創、あるいは患者の皮膚における任意の他の表面もしくは他の状態または欠陥、あるいは減圧治療によって利益を得る他のものを包含することを理解されたい。よって、創傷は、流体が生成されることもされないこともある、組織の任意の損傷領域として広く定義される。そのような創傷の例としては、急性創傷、慢性創傷、外科切開およびその他の切開、亜急性創傷および裂開創傷、外傷性創傷、フラップおよび皮膚移植片、裂傷、擦傷、挫傷、火傷、糖尿病性潰瘍、褥瘡性潰瘍、ストーマ、外科創傷、外傷性潰瘍および静脈性潰瘍などが挙げられるが、それらに限定されない。本明細書に記載のＴＮＰシステムの構成要素は、少量の創傷滲出液を滲出する切開創傷に特に適し得る。
【０１７３】
システムのいくつかの実施形態は、滲出液キャニスタを使用することなく動作するように設計される。いくつかの実施形態は、滲出液キャニスタを支持するように構成され得る。いくつかの実施形態では、管１１２がポンプアセンブリ１１４から迅速にかつ容易に取り除かれ得るようにポンプアセンブリ１１４および管１１２を構成することは、必要な場合、被覆材またはポンプを交換するプロセスを容易にする、または改善することができる。本明細書で開示されるいくつかのポンプの実施形態は、管とポンプとの間の任意の好適な接続を有するように構成され得る。
【０１７４】
ポンプアセンブリ１１４は、一部の実施において、およそ−８０ｍｍＨｇ、または約−２０ｍｍＨｇ〜２００ｍｍＨｇの陰圧を供給するように構成され得る。これらの圧力は、正常な大気圧に対する相対値であり、つまり、−２００ｍｍＨｇは、実際に則した用語において、約５６０ｍｍＨｇであり得ることに留意されたい。圧力範囲は約−４０ｍｍＨｇから−１５０ｍｍＨｇの間であり得る。代替として、最高−７５ｍｍＨｇ、最高−８０ｍｍＨｇまたは−８０ｍｍＨｇを超える圧力範囲が使用され得る。また、−７５ｍｍＨｇを下回る圧力範囲が使用され得る。別の方法として、およそ−１００ｍｍＨｇまたはさらに１５０ｍｍＨｇより上の圧力範囲が、ポンプアセンブリ１１４により供給され得る。
【０１７５】
動作時に、創傷充填材１０８は、創傷くぼみ１０４内に挿入され、創傷カバー１０６は、創傷くぼみ１０４を密封するように配置される。ポンプアセンブリ１１４は、創傷充填材１０８を介して創傷くぼみ１０４に送られる陰圧源を創傷カバー１０６に提供する。流体（例えば、創傷滲出液）は、導管１１２を通して引き出され、キャニスタ内に貯蔵され得る。いくつかの実施形態では、流体は、創傷充填材１０８または一つまたは複数の吸収性の層（図示せず）によって吸収される。
【０１７６】
本出願のポンプアセンブリおよびその他の実施形態とともに利用され得る創傷被覆材は、Ｓｍｉｔｈ＆ＮｅｐＨｅｗから入手可能なＲｅｎａｓｙｓ−Ｆ、Ｒｅｎａｓｙｓ−Ｇ、Ｒｅｎａｓｙｓ  ＡＢおよびＰｉｃｏ被覆材を含む。本出願のポンプアセンブリおよびその他の実施形態とともに使用され得る陰圧創傷治療システムのこうした創傷被覆材およびその他の構成要素のさらなる説明は、米国特許公開第２０１１／０２１３２８７号、第２０１１／０２８２３０９号、第２０１２／０１１６３３４号、第２０１２／０１３６３２５号および第２０１３／０１１００５８号において見出され、それらの全体が参照により組み込まれる。その他の実施形態では、その他の好適な創傷被覆材が利用され得る。
【０１７７】
創傷被覆材の概要
図１Ｂは、いくつかの実施形態による、創傷被覆材１５５を通る断面図を図示する。図１Ｂはまた、いくつかの実施形態による、流体コネクタ１１６を図示する。創傷被覆材１５５は、国際特許公開ＷＯ２０１３１７５３０６Ａ２に記載される創傷被覆材と類似している場合があり、これは参照によりその全体が組み込まれる。あるいは、創傷被覆材１５５は、明細書に開示するいずれの創傷被覆材の実施形態、または、本明細書に開示する創傷被覆材の実施形態のいずれの数の特徴のいかなる組み合わせでもあり得、治療される創傷部位の上に置かれ得る。創傷被覆材１５５は、創傷くぼみ１０４といった創傷の上に密封されたくぼみを形成するために配置されてもよい。いくつかの実施形態では、創傷被覆材１５５は、最上層もしくは被覆層、または任意の創傷接触層２２２に取り付けられる裏当て層２２０を含むことが好ましく、それらについて以下により詳細に記載する。これら二つの層２２０、２２２は、内部空間またはチャンバを画定するために、共に接合または封止され得る。この内部空間またはチャンバは、陰圧を分配または伝達し、創傷滲出液および創傷から除去された他の流体を貯蔵するように適応してもよい追加構造と、以下により詳細に説明するであろう他の機能とを備えてもよい。以下に記載するそのような構造の例は、透過層２２６および吸収層２２１を含む。
【０１７８】
Ａ本明細書で使用される通り、上部層、最上層または上方の層は、被覆材が使用中で、創傷の上に位置する間、皮膚または創傷の表面から最も遠い層を指す。したがって、下面、下部層、最下層または下方の層は、被覆材が使用中で、創傷の上に位置する間、皮膚または創傷の表面に最も近い層を指す。
【０１７９】
創傷接触層２２２は、ポリウレタン層、ポリエチレン層、又は、例えばホットピンプロセス、レーザアブレーションプロセス、又は超音波プロセスを介すか、又はその他のいくつかの方法でパーフォレートされた、あるいは別の方法で液体及び気体が透過するようにしたその他の柔軟性のある層であってもよい。創傷接触層２２２は、下表面２２４（例えば、創傷と向かい合う）および上表面２２３（例えば、創傷から見て外を向く）を有する。穿孔２２５は、創傷接触層２２２の中に貫通孔を含むことができ、流体が層２２２を通って流れることが可能になる。創傷接触層２２２は、創傷被覆材の他の材料中への組織内殖を防ぐのに役立つ。いくつかの実施形態では、穿孔は、流体が穿孔を通って流れることを依然として可能にしながら、この要件を満たすほど充分に小さい。例えば、０．０２５ｍｍから１．２ｍｍの範囲の寸法を有するスリットまたは孔として形成された穿孔は、創傷滲出液が被覆材内に流れるのを可能にしつつ、創傷被覆材内に組織が内部成長するのを防止する一助となるには十分小さいと考えられる。いくつかの構成では、創傷接触層２２２は、陰圧を創傷に維持するために、吸収性パッドの周りに気密状態をも作り出しながら、被覆材１５５全体の完全性を維持するのに役立つ場合がある。いくつかの実施形態では、創傷接触層は、陰圧が創傷に加えられるとき、創傷接触層を通る流体の、単向性または実質的に一方向または単向性の流れを許可するように構成される。例えば、創傷接触層は、流体が、創傷接触層を通して創傷から流れるのは許可するが、流体が創傷に向かって戻ることは許可しない。特定の事例では、創傷接触層の穿孔は、創傷接触層を通る流体のこうした一方向または単向性の流れを許容するように構成される。
【０１８０】
創傷接触層２２２の一部実施形態はまた、任意の上部および下部接着層（図示せず）用の担体として働いてもよい。例えば、下部感圧接着剤が、創傷被覆材１５５の下面２２４上に提供されてもよい一方、上部感圧接着層は、創傷接触層の上面２２３上に提供されてもよい。シリコーン、ホットメルト、親水コロイドもしくはアクリルをベースとする接着剤、または他のそのような接着剤であってもよい感圧接着剤は、創傷接触層の両側面上、もしくは任意で選択された片側面上に形成されてもよく、または創傷接触層のどちらの側面上に形成されなくてもよい。下部感圧接着層を利用することが、創傷被覆材１５５を創傷部位の周りの皮膚に接着させる助けになってもよい。いくつかの実施形態では、創傷接触層は穿孔ポリウレタンフィルムを含んでもよい。フィルムの下面はシリコーン感圧接着剤を提供されてもよく、上面はアクリル感圧接着剤を提供されてもよく、それによって被覆材がその完全性を維持するの助けてもよい。いくつかの実施形態では、ポリウレタンフィルム層の上面および下面の両面上に接着層を提供してもよく、全三層は共に穴加工されていてもよい。
【０１８１】
多孔質材料の層２２６は、創傷接触層２２２の上方に置かれ得る。この多孔質層または透過層２２６により、液体および気体を含む流体が、創傷部位から離れて創傷被覆材の上部層中へと透過することが可能になる。特に、透過層２２６によって、吸収層がかなりの量の滲出液を吸収したときでさえ、外気チャネルが、創傷範囲全体に陰圧を伝えるように維持され得ることを保証できる。層２２６は、好ましくは、上述の通り、陰圧創傷療法時に適用されることになる通常の圧力の下で開放されたままになるべきであり、それによって、創傷部位全体が等しい陰圧を受ける。層２２６は、三次元構造を有する材料から形成されてもよい。例えば、編みもしくは織りスペーサ生地（例えば、Ｂａｌｔｅｘ  ７９７０の横編みポリエステル）、または不織布が使用され得る。
【０１８２】
いくつかの実施形態では、透過層２２６は、８４／１４４で織られたポリエステルである最上層（すなわち、使用中、創傷床から遠位の層）と、１０デニールの平坦なポリエステルである最下層（すなわち、使用中、創傷床に近接して置かれる層）と、編みポリエステルビスコース、セルロースまたは類似のモノフィラメント繊維により画定される領域である、これら二つの層の間に挟まれて形成される第三層とを含む、３Ｄポリエステルのスペーサ生地層を含む。他の材料、および他の線質量密度の繊維ももちろん使用され得る。
【０１８３】
本開示を通して、モノフィラメント繊維への言及がなされるものの、もちろん多糸の代替物が利用され得ることは理解されるであろう。それゆえ、最上部スペーサ生地は、それを形成するのに使用される一本の糸において、最下部スペーサ生地層を形成するのに使用される糸を構成するフィラメントの数よりも多くのフィラメントを有する。
【０１８４】
間隔を置いて配置された層におけるフィラメント数のこの差は、透過層を横切る水分の流れを制御する一助となる。具体的には、最上層のフィラメント数をより多くすることによって、すなわち、最上層が、最下層に使用される糸よりも多くのフィラメントを有する糸から作られることによって、液体は、最下層よりも最上層に沿ってより多く吸われる傾向がある。使用中、この差異によって、液体が創傷床から引き離され、被覆材の中心領域中に引き寄せられるようになり、中心領域では、吸収層２２１が液体を閉じ込めるのに役立つか、または液体を放出させ得る被覆層に向かって、それ自体で液体を前方へ吸い上げる。
【０１８５】
いくつかの実施形態では、透過層２２６を横切る（すなわち、最上部および最下部スペーサ層の間に形成されるチャネル領域と垂直に）液体の流れを改善するために、３Ｄ織物は、ドライクリーニング剤（限定するものではないが、パークロロエチレンなど）で処理されて、透過層の親水能力を邪魔する可能性がある、前に使用された鉱油、油脂またはワックスなどの、いかなる工業製品をも除去するのに役立ってもよい。続いて、３Ｄスペーサ生地が親水性剤（限定するものではないが、Ｒｕｄｏｌｐｈ  Ｇｒｏｕｐから市販されている３０ｇ／ｌのＦｅｒａｎ  Ｉｃｅなど）で洗われる、追加の製造ステップに進んでもよい。このプロセスステップは、水などの液体が３Ｄ編物に接触するとすぐに織物に進入し得るほど、材料の表面張力が低くなることを保証するのに役立つ。またこのステップは、いかなる滲出液の液状侵襲成分（ｌｉｑｕｉｄ  ｉｎｓｕｌｔ  ｃｏｍｐｏｎｅｎｔ）の流れを制御するのにも役立つ。
【０１８６】
吸収性材料の層２２１は、透過層２２６の上に提供され得る。発泡体もしくは不織りの自然または合成材料を含み、任意で超吸収材を含んでもよい吸収材は、流体、具体的には、創傷部位から除去される液体用の貯留部を形成する。いくつかの実施形態では、層２２１もまた、流体を裏当て層２２０の方へ引き寄せるのに役立ってもよい。
【０１８７】
吸収層２２１の材料はまた、創傷被覆材１５５に収集された液体が、被覆材内を自由に流れるのを妨げてもよく、被覆材内に収集されるいかなる液体をも包含するように働き得る。吸収層２２１はまた、流体を創傷部位から引き寄せ、吸収層中に渡って貯蔵するように、吸い上げ作用によって層全体に流体を分配するのを助ける。これによって、吸収層の範囲における凝集を防止するのを補助する。吸収材の容量は、陰圧を適用するとき、創傷の滲出液が流れる速度を管理するのに充分でなくてはならない。使用中、吸収層は陰圧を経験するため、吸収層の材料は、そのような状況下で液体を吸収するように選ばれる。例えば、超吸収体材料といった、陰圧下にあるとき液体を吸収できる、いくつかの材料が存在する。吸収層２２１は通常、ＡＬＬＥＶＹＮ（商標）発泡体のＦｒｅｕｄｅｎｂｅｒｇ１１４−２２４−４またはＣｈｅｍ−Ｐｏｓｉｔｅ（商標）１１Ｃ−４５０より製造されてもよい。いくつかの実施形態では、吸収層２２１は、超吸収性粉末、セルロースなどの繊維材料、および結合繊維を含む複合材を含んでもよい。いくつかの実施形態では、複合材はエアレイドの熱的に結合された複合材である。
【０１８８】
いくつかの実施形態では、吸収層２２１は、層中に渡って分散する乾燥粒子の形態である超吸収性材料を有する、不織りセルロース繊維の層である。セルロース繊維の使用によって、被覆材により吸収される液体を素早くかつ均等に分配するのに役立つ、高速吸い上げ要素が導入される。多数の撚糸様繊維を並列させることが、液体を分配するのに役立つ繊維パッドの、強い毛細管作用につながる。このように、超吸収材に液体を効率的に供給する。また、吸い上げ作用によって、被覆材の蒸散率を増加させるのに役立つように、液体を上部カバー層と接触させるように支援する。
【０１８９】
陰圧を被覆材１５５に適用することが可能になるように、アパーチャ、孔またはオリフィス２２７が裏当て層２２０に提供される。いくつかの実施形態では、流体コネクタ１１６は、被覆材１５５の中に作られるオリフィス２２７の上で、裏当て層２２０の最上部に取り付けられるか、または封止され、オリフィス２２７を通って陰圧を伝える。長い管が、被覆材から流体を汲み上げることが可能になるように、第一端部で流体コネクタ１１６に、第二端部でポンプユニット（図示せず）に連結されてもよい。流体コネクタが創傷被覆材の最上層に接着する場合、長い管は、管または導管が、流体コネクタから離れて平行に、または実質的に被覆材の最上表面へ延在するような、流体コネクタの第一端部で連結されてもよい。流体コネクタ１１６は、アクリル、シアノアクリレート、エポキシ、ＵＶ硬化性またはホットメルト接着剤などの接着剤を使用して、裏当て層２２０に接着および封止してもよい。流体コネクタ１１６は、ショアＡスケールで３０から９０の硬度を有する、例えば、ポリエチレン、ポリ塩化ビニル、シリコーンまたはポリウレタンといった柔らかいポリマーから形成されてもよい。いくつかの実施形態では、流体コネクタ１１６は、柔らかい材料または適合する材料から作られてもよい。
【０１９０】
いくつかの実施形態では、吸収層２２１は、流体コネクタ１１６の下にあるように配置される、少なくとも一つの貫通孔２２８を含む。貫通孔２２８は、いくつかの実施形態では、裏当て層の開口部２２７と同じサイズであってもよく、またはより大きいもしくは小さくてもよい。図１Ｂに示す通り、単一の貫通孔は、流体コネクタ１１６の基礎を成す開口部を生み出すように使用され得る。複数の開口部が、代替として利用され得ることは理解されるであろう。加えて、二つ以上のポートが、本開示の特定の実施形態に従って利用されるべき場合、一つまたは二つ以上の開口部が、各流体コネクタと位置を合わせて、吸収層および遮蔽層に作られてもよい。本開示の特定の実施形態には必須ではないものの、超吸収層に貫通孔を使用することで、吸収層が飽和に近いとき特に、遮断されないままの流体流路を提供してもよい。
【０１９１】
アパーチャまたは貫通孔２２８は、図１Ｂに示す通り、オリフィスが透過層２２６に直接接続するように、オリフィス２２７の下方の吸収層２２１に提供され得る。これによって、流体コネクタ１１６に適用される陰圧を、吸収層２２１を通過することなく、透過層２２６へ伝えることが可能になる。これで、吸収層が創傷滲出液を吸収しても、創傷部位に適用される陰圧が、吸収層によって阻害されないことが保証される。他の実施形態では、アパーチャは吸収層２２１に提供されなくてもよく、または、代替として、オリフィス２２７の下にある複数のアパーチャが提供されてもよい。さらなる代替の実施形態では、別の透過層などの追加層、または参照することによりその全体が援用される、国際特許出願公開第２０１４０２０４４０号に記載されるような遮蔽層が、吸収層２２１の上および裏当て層２２０の下方に提供されてもよい。
【０１９２】
裏当て層２２０は、気体を透過させないが、水蒸気を透過させることができ、創傷被覆材１５５の幅を横切って延在し得る。例えば、片方の側面に感圧接着剤を有するポリウレタンフィルム（例えば、Ｅｌａｓｔｏｌｌａｎ  ＳＰ９１０９）であってもよい、裏当て層２２０は、気体に対して不透過性であり、それゆえ、この層は創傷を被覆し、上に創傷被覆材が置かれる創傷くぼみを封止するように動作する。このように、効果的なチャンバが、陰圧が確立され得る、裏当て層２２０と創傷部位との間に作られる。裏当て層２２０は、被覆材の外周の周りの境界領域で、創傷接触層２２２に封止することができ、例えば、接着技術または溶接技術によって、空気が境界範囲を通って引き込まれることを保証する。裏当て層２２０によって、創傷が外部の細菌汚染から保護され（細菌バリア）、層を通って創傷滲出液からの液体を移動させ、フィルム外表面から蒸発させることが可能になる。裏当て層２２０は、ポリウレタンフィルムと、フィルム上に広がる接着パターンとの二つの層を含み得る。ポリウレタンフィルムは透湿性を持つことができ、濡れたときに水透過速度が高まる材料から製造されてもよい。いくつかの実施形態では、裏当て層が濡れると、裏当て層の透湿性が増大する。濡れた裏当て層の透湿性は、乾いた裏当て層の透湿性の最大約１０倍であってもよい。
【０１９３】
吸収層２２１は、透過層２２６の縁と重複するように、透過層２２６よりも大きい範囲から成ってもよく、それによって、透過層が裏当て層２２０に接触しないことを保証する。これにより、創傷接触層２２２と直接接触する、吸収層２２１の外側チャネルが提供され、滲出液の吸収層へのより急速な吸収に役立つ。さらに、この外側チャネルによって、液体が創傷くぼみの外周に貯留できないことが保証され、そうでない場合には、被覆材の周囲の封止部から染み出して、漏出の形成につながる場合がある。図１Ｂに図示する通り、吸収層２２１によって、境界線または境界領域が、吸収層２２１の端と裏当て層２２０の端との間に画定されるように、裏当て層２２０の周囲よりも小さい周囲を画定してもよい。
【０１９４】
図１Ｂに示す通り、創傷被覆材１５５の一実施形態は、流体コネクタ１１６の下方に置かれる吸収層２２１に、アパーチャ２２８を含む。使用中、例えば、陰圧が被覆材１５５に適用されるとき、流体コネクタの創傷に面する部分は、透過層２２６と接触してもよく、それゆえ、吸収層２２１が創傷流体で満たされているときでさえ、創傷部位に陰圧を伝達するのに役立ち得る。いくつかの実施形態によって、裏当て層２２０を透過層２２６に少なくとも一部接着させてもよい。いくつかの実施形態では、アパーチャ２２８は、流体コネクタ１１の創傷に面する部分またはオリフィス２２７の直径よりも、少なくとも１〜２ｍｍ大きい。
【０１９５】
例えば、単一流体コネクタ１１６および貫通孔を伴う実施形態では、流体コネクタ１１６および貫通孔が、中心から外れた位置に置かれるのが好ましい場合がある。そのような位置は、流体コネクタ１１６が被覆材１５５の残余部に対して持ち上げられるように、被覆材１５５を患者の上に配置することを可能とし得る。そのように配置すると、流体コネクタ１１６およびフィルタ２１４は、創傷部位への陰圧の伝達を減じるために、時期を早めてフィルタ２１４を閉塞させ得る創傷流体と、接触する可能性が低くなる場合がある。
【０１９６】
ここで流体コネクタ１１６を参照すると、いくつかの実施形態は、封止面２１６と、近位端（陰圧源により近い）および遠位端１４０を有するブリッジ２１１と、フィルタ２１４とを含む。密封面２１６は、創傷被覆材の最上表面に封止される、アプリケータを形成し得る。いくつかの実施形態では、流体コネクタ１１６の最下層は、密封表面２１６を含んでもよい。流体コネクタ１１６はさらに、いくつかの実施形態では、流体コネクタの別個の上部層により画定される、密封表面２１６から垂直に間隔を空ける上表面を含んでもよい。他の実施形態では、上面および下面は、材料の同じ一片から形成されてもよい。いくつかの実施形態では、密封表面２１６は、創傷被覆材と連通するように、その中に少なくとも一つのアパーチャ２２９を含んでもよい。いくつかの実施形態では、フィルタ２１４は、封止面の開口部２２９を横切って配置されてもよく、開口部２２９全体にわたってもよい。密封表面２１６は、創傷被覆材のカバー層に流体コネクタを封止するように構成されてもよく、接着剤または溶接部を含んでもよい。いくつかの実施形態では、密封面２１６は、フィルタ２１４と透過層２２６との間にギャップを作るよう構成された、任意のスペーサ要素２１５を有する、カバー層のオリフィスの上に配置され得る。他の実施形態では、密封表面２１６は、カバー層のオリフィスおよび吸収層２２０のアパーチャの上に位置してもよく、流体コネクタ１１６によって透過層２２６を通る気流を提供することが可能になる。いくつかの実施形態では、ブリッジ２１１は、陰圧の源と連通する第一の流体通路２１２を含んでもよく、第一の流体通路２１２は、３Ｄ編み材料など、前に記載した多孔質層２２６と同じでもよく、または異なってもよい、多孔質材料を含む。ブリッジ２１１は、近位端および遠位端を有し、第一の流体通路２１２を囲むように構成される、少なくとも一つの可撓性フィルム層２０８、２１０によって被包することができ、可撓性フィルムの遠位端は、密封表面２１６に接続する。フィルタ２１４は、創傷滲出液がブリッジに入ることを実質的に防止するように構成され、スペーサ要素２１５は、流体コネクタが透過層２２６に接触するのを防ぐように構成される。これらの要素については、以下により詳細に記載する。
【０１９７】
いくつかの実施形態はさらに、第一の流体通路２１２の上方に位置する、任意の第二の流体通路を備えてもよい。例えば、いくつかの実施形態によって、第一の流体通路２１２および被覆材１５５中への空気経路を提供するように構成され、最上層の近位端に配置される可能性がある、空気漏れ部を提供してもよく、これは、参照することによって全体が援用される、米国特許第８，８０１，６８５号に記載する吸引アダプタに類似する。
【０１９８】
いくつかの実施形態では、流体通路２１２は、スペーサがねじれるかまたは折り重なる場合でも、流体が通過することを可能にする、可撓性のある、規格に準拠した材料から構築される。流体通路２１２の好適な材料には、ポリエチレンまたはポリウレタン発泡体など、連続気泡発泡体を含む発泡体、メッシュ、３Ｄ編み繊維、不織材料および流体チャネルを含むがこれらに限定されない。いくつかの実施形態では、流体通路２１２は、透過層２２６に関して上に記載したものと、類似の材料から構築されてもよい。有利なことに、流体通路２１２に使用されるそのような材料によって、患者の快適性をより増すことが可能になるだけでなく、ねじれるか、または曲がっている間でも、依然として流体通路２１２が流体を創傷から陰圧の源の方へと移動できるような、より大きなねじれ抵抗を提供してもよい。
【０１９９】
いくつかの実施形態では、流体通路２１２は、例えば、編みもしくは織りスペーサ生地（ポリエステルで編み３Ｄ織物Ｂａｌｔｅｘ  ７９７０（登録商標）またはＧｅｈｒｉｎｇ  ８７９（登録商標））といったウィッキング生地、または不織布から成ってもよい。選択されたこれらの材料は、創傷滲出液を創傷から離すように導き、陰圧または吐出された空気を創傷部位へ伝達するために置くことができ、また、ある程度のねじれ抵抗または閉塞抵抗を、流体通路２１２に与えてもよい。いくつかの実施形態では、ウィッキング生地は、いくつかの事例では、流体の吸い上げまたは陰圧の伝達に役立つ場合がある、三次元構造を有してもよい。特定の実施形態では、ウィッキング生地を含むある実施形態では、これらの材料は、開放されたままで、例えば、−４０から−１５０ｍｍＨｇの間の陰圧療法で使用される通常圧力下において、変わらず陰圧を創傷範囲に伝えることができる。いくつかの実施形態では、ウィッキング生地は、互いの上に積み重なった、または積層された材料のいくつかの層を含んでもよく、一部の場合には、陰圧適用状況下において、流体通路２１２が崩れるのを妨げるのに有用であってもよい。その他の実施形態では、流体通路２１２に使用されるウィッキング生地は、１．５ｍｍと６ｍｍとの間であってもよく、より好ましくは、ウィッキング生地は、３ｍｍと６ｍｍとの間の厚さであってもよく、一つまたはいくつかの個別のウィッキング生地層から成ってもよい。他の実施形態では、流体通路２１２は１．２〜３ｍｍの間の厚さであってもよく、好ましくは１．５ｍｍよりも厚い。いくつかの実施形態、例えば、創傷滲出液などの液体を保持する被覆材と共に使用される吸引アダプタは、流体通路２１２に疎水性の層を用いてもよく、気体のみが流体通路２１２を通って動いてもよい。加えて、前に記載した通り、システムに使用される材料は、適合する柔らかいものであることができ、患者の皮膚に対して圧力を加える創傷治療システムに起因する場合がある、褥瘡および他の合併症を回避するのに役立つ場合がある。
【０２００】
いくつかの実施形態では、フィルタ要素２１４は、液体に対して不透過性であるが、気体に対しては透過性があり、液体バリアとして働き、液体が創傷被覆材１５５から漏れ出ることができないことを保証するように提供される。フィルタ要素２１４はまた、細菌バリアとして機能してもよい。通常、管孔サイズは０．２μｍである。フィルタ要素２１４のフィルタ材料に好適な材料には、ＭＭＴ範囲からの０．２ミクロンのＧｏｒｅ（商標）拡張ＰＴＦＥ、ＰＡＬＬ  Ｖｅｒｓａｐｏｒｅ（商標）２００ＲおよびＤｏｎａｌｄｓｏｎ（商標）ＴＸ６６２８を含む。より大きな管孔サイズも使用され得るが、これらは、二次フィルタ層が、完全な生物汚染の封じ込めを保証することを必要とする場合がある。創傷流体は脂質を含有するため、必須ではないものの、例えば、０．２ミクロンのＭＭＴ−３２３の前に１．０ミクロンのＭＭＴ−３３２といった、撥油性フィルタ膜を使用することが好ましい。これにより、脂質が疎水性フィルタを遮断するのを防げる。フィルタ要素は、オリフィスの上のポートもしくはカバーフィルムに取り付けられ得るか、または封止され得る。例えば、フィルタ要素２１４は、流体コネクタ１１６に成型されてもよく、または限定するものではないが、ＵＶ硬化接着剤などの接着剤を使用して、被覆層の最上部および吸引アダプタ１６０の最下部の一方または両方に接着してもよい。
【０２０１】
他のタイプの材料がフィルタ要素２１４に使用され得ることは、理解されるであろう。より広くは、薄く平坦な一枚のポリマー材料である、微多孔膜を使用することができ、これは数十億もの微細な管孔を包含する。選んだ膜に応じて、これらの管孔は、０．０１マイクロメートルから１０マイクロメートルより大きいサイズの範囲にあり得る。微多孔膜は、親水性（水のフィルタリング）および疎水性（撥水）形態の両方で利用可能である。いくつかの実施形態では、フィルタ要素２１４は、保持層と、保持層上に形成されるアクリルコポリマー膜とを含む。いくつかの実施形態では、特定の実施形態による創傷被覆材１５５は、疎水性微多孔膜（ＭＨＭ：ｍｉｃｒｏｐｏｒｏｕｓ  ｈｙｄｒｏｐＨｏｂｉｃ  ｍｅｍｂｒａｎｅ）を使用する。多数のポリマーを用いて、ＭＨＭを形成してもよい。例えば、ＭＨＭは、ＰＴＦＥ、ポリプロピレン、ＰＶＤＦおよびアクリルコポリマーの一つまたは複数から形成されてもよい。これら任意のポリマーのすべてが、疎水性および撥油性の両方であり得る、特定の表面特性を得るために処理され得る。これらによって、マルチビタミン注入物、脂質、界面活性剤、油および有機溶媒など、表面張力の低い液体を追い払うであろう。
【０２０２】
ＭＨＭは、空気が膜を通って流れることを可能にしながら、液体を遮断する。ＭＨＭはまた、潜在的感染エアロゾルおよび粒子を排除する、非常に効率的なエアフィルタである。ＭＨＭの単一片は、機械式バルブまたはベントを交換する選択肢として、よく知られる。それゆえ、ＭＨＭの組込みによって製品組立費を削減し、利益、および患者に対する費用／利得の割合を改善し得る。
【０２０３】
フィルタ要素２１４はまた、例えば、活性炭、炭素繊維布もしくはＶｉｔｅｃ  Ｃａｒｂｏｔｅｃ−ＲＴ  Ｑ２００３０７３発泡体、または類似のものといった臭気吸収材を含んでもよい。例えば、臭気吸収材は、フィルタ要素２１４の層を形成してもよく、またはフィルタ要素内の疎水性微多孔膜間に挟まれてもよい。それゆえ、フィルタ要素２１４によって、オリフィスを通して気体を排出することが可能になる。しかしながら、液体、微粒子および病原体は被覆材に包含される。
【０２０４】
創傷被覆材１５５は、流体コネクタ１１６およびフィルタ２１４と併せてスペーサ要素２１５を含み得る。こうしたスペーサ要素２１５を追加することで、流体コネクタ１１６およびフィルタ２１４は、吸収層２２０または透過層２２６と直接接触しないよう支持され得る。吸収層２２０はまた、フィルタ２１４を透過層２２６に接触させないようにする、追加的なスペーサ要素として作用してもよい。したがって、使用中に、フィルタ２１４が透過層２２６および創傷流体との接触するこのような構成は、最小化され得る。
【０２０５】
上記の創傷被覆材の実施形態に類似して、一部の創傷被覆材は、皮膚接触面上にシリコーン接着剤、および裏面上にアクリル接着剤を伴う穿孔創傷接触層を含む。この縁取られた層の上方には、透過層または３Ｄスペーサ生地パッドが存在する。透過層の上方には吸収層が存在する。吸収層は超吸収不織（ＮＷ：ｎｏｎ−ｗｏｖｅｎ）パッドを含み得る。吸収層は、周囲をおよそ５ｍｍ越えて透過層に接し得る。吸収層は、一つの端部の方に向かうアパーチャまたは貫通孔を有し得る。アパーチャは直径約１０ｍｍであり得る。透過層および吸収層の上に、裏当て層がある。裏当て層は、アクリル接着剤で被覆された模様である、高水蒸気透過率（ＭＶＴＲ）フィルムであり得る。高ＭＶＴＲフィルムおよび創傷接触層は、透過層および吸収層を被包して、およそ２０ｍｍの周囲境界を作り出す。裏当て層は、吸収層のアパーチャの上に重なる、１０ｍｍのアパーチャを有し得る。孔の上方には、前述したアパーチャの上に重なる、液体不透過性、気体透過性の半透過性膜（ＳＰＭ：ｓｅｍｉ−ｐｅｒｍｅａｂｌｅ  ｍｅｍｂｒａｎｅ）またはフィルタを含む、流体コネクタを結合し得る。
【０２０６】
図１Ｃ〜図１Ｄは、流体コネクタ１１０と連動して創傷被覆材１００を用いる、陰圧創傷治療システム１０の実施形態を示す。図中、流体コネクタ１１０は、例えば、近位端１３０および遠位端１４０を有するブリッジ１２０などの細長い導管と、ブリッジ１２０の遠位端１４０にアプリケータ１８０とを備えてもよい。任意の連結器１６０は、ブリッジ１２０の近位端１３０に配置され得る。キャップ１７０が、システムに提供されてもよい（一部の場合、図示する通り、連結器１６０に取り付けられ得る）。キャップ１７０は、近位端１３０から流体が漏出するのを妨げるときに有用であり得る。システム１０は、ポンプまたは陰圧を供給できる陰圧ユニット１５０など、陰圧の源を含んでもよい。ポンプは、創傷滲出液、および創傷から除去されてもよい他の流体を貯蔵する、キャニスタまたは他の容器を備えてもよい。キャニスタまたは容器はまた、ポンプとは別に提供されてもよい。いくつかの実施形態では、図１Ａ〜図１Ｂに示すように、ポンプ１５０は、Ｓｍｉｔｈ＆ＮｅｐＨｅｗより販売される、ＰＩＣＯ（商標）ポンプなど、キャニスタなしのポンプであり得る。ポンプ１５０は、管１９０を介して連結器１６０に接続してもよく、またはポンプ１５０は、連結器１６０に直接、もしくはブリッジ１２０に直接接続してもよい。使用中、被覆材１００は、一部の場合、発泡体またはガーゼなどの創傷パッキング材料で満たされてもよい、好適に準備された創傷の上に置かれる。流体コネクタ１１０のアプリケータ１８０は、被覆材１００のアパーチャの上に置かれ、被覆材１００の最上表面に封止される、封止面を有する。流体コネクタ１１０の被覆材１００への接続の前、間、または後のいずれかに、ポンプ１５０は、管１９０を介して連結器１６０へ接続されるか、または連結器１６０もしくはブリッジ１２０へ直接接続される。その後ポンプが起動され、それによって陰圧を創傷に供給する。陰圧の適用は、所望するレベルの創傷治癒を達成するまで行われてもよい。
【０２０７】
図１Ｅに示す通り、流体コネクタ１１０は、以下にさらに詳細に記載する通り、被覆材１００と流体連通する拡大遠位端または頭部１４０を含む。一実施形態では、拡大遠位端は丸い形または円形を有する。頭部１４０は、図中、被覆材１００の端近くに位置するように示しているが、被覆材上のいずれの場所に配置されてもよい。例えば、いくつかの実施形態は、被覆材１００の端または角上または近くではない、中心または中心から外れた場所に提供されてもよい。いくつかの実施形態では、被覆材１０は、二つ以上の流体コネクタ１１０を備えてもよく、各々、それと流体連通する一つまたは複数の頭部１４０を備える。一実施形態では、頭部１４０は、最も幅の広い縁に沿って３０ｍｍあってもよい。頭部１４０は、上に記載した、創傷被覆材の最上表面に対して封止されるように構成される、アプリケータ１８０を少なくとも一部形成する。
【０２０８】
図１Ｆに目を転じると、より大きな腹部創傷など、特定の実施形態で陰圧を用いる他の創傷タイプの治療では、図に概略的に示する通り、陰圧治療システム１０１を使用する。この実施形態では、腹部創傷として図に示す創傷１２６は、陰圧による治療から恩恵を受けることができる。そのような腹部創傷は、例えば、事故または外科的介入による結果である場合がある。一部の場合、腹部コンパートメント症候群、腹部高血圧、敗血症または水腫などの病状は、腹膜腔を曝露するように、腹壁を通る外科的切開による腹部の除圧を必要とする場合があり、その後、開口部は状態が回復するまで、開放してアクセス可能な状態の維持が必要とされることがある。他の状態もまた、具体的には腹腔などの開口部は、例えば、複数の外科的手技が必要とされる（場合により外傷に付随して起こる）場合、または腹膜炎または壊死性筋膜炎など、病態のエビデンスがある場合、開いたままにしておくことを必要とする場合がある。
【０２０９】
具体的には腹部などに創傷がある場合、創傷が開いたままであるべきであってもなくとも、または創傷が閉じられるであろう場合には、器官および腹膜腔の曝露に関係する、可能性のある合併症を管理することが望ましい。好ましくは陰圧の適用を使用する療法は、組織生存を促進し、創傷から有害な物質を除去しながら、感染のリスクを最小化することを目的としうる。創傷への減圧または陰圧の適用は、とりわけ、概してより早い治癒、血流の増大、細菌負荷の減少、肉芽組織形成の速度増大の促進、線維芽細胞増殖への刺激、内皮細胞増殖への刺激、慢性開放創の閉鎖、熱傷の浸透（ｂｕｒｎ  ｐｅｎｅｔｒａｔｉｏｎ）の阻害、ならびに／または皮弁および移植片の付着強化をもたらすことがわかっている。陰圧の適用による治療への好反応を呈していた創傷には、感染開放創、褥瘡性潰瘍、裂開切開、中間層熱傷および皮弁または移植片を取り付けられた様々な病変を含むことも、報告されている。その結果として、創傷１０６への陰圧の適用は、患者にとって有益であり得る。
【０２１０】
したがって、ある実施形態では、創傷１２６の上に設置するように、創傷接触層１０５が提供される。創傷接触層はまた、器官保護層および／または組織保護層と称され得る。好ましくは、創傷接触層１０５は、創傷または接近した曝露された内臓にそれほど接着しない薄い可撓性材料であることができる。例えば、ポリウレタン、ポリエチレン、ポリテトラフルオロエチレンまたはそれらの混合物などのポリマーが、使用されてもよい。一実施形態では、創傷接触層は透過性がある。例えば、創傷接触層１０５は、創傷１２６からの流体の除去、または創傷１２６への陰圧の伝達を可能にするように、孔、スリットまたはチャネルなどの開口部を提供され得る。創傷接触層１０５の追加の実施形態について、以下にさらに詳細に記載する。
【０２１１】
陰圧治療システム１０１のある実施形態はまた、創傷接触層１０５の上に配置され得る、多孔質創傷充填材１０３を使用してもよい。このパッド１０３は、柔らかく弾性的可撓性があり、概して創傷１２６に適合する、例えば、発泡体といった多孔性材料から構築されうる。そのような発泡体には、例えば、ポリマーから作られる連続気泡型の網状発泡体を含みうる。好適な発泡体には、例えば、ポリウレタン、シリコーンおよびポリビニルアルコールから成る発泡体を含む。このパッド１０３は、陰圧が創傷に適用されるとき、パッドを通って創傷滲出液および他の流体を導きうることが好ましい。一部のパッド１０３は、そのような目的で事前に形成されるチャネルまたは開口部を含んでもよい。特定の実施形態では、パッド１０３は、約１インチと約２インチとの間の厚さを有してもよい。パッドはまた、約１６インチと１７インチとの間の長さ、および約１１インチと１２インチとの間の幅を有してもよい。他の実施形態では、厚さ、幅および／または長さは、他の好適な値を有しうる。パッド１０３の代わりに、またはそれに加えて使用されてもよい、創傷充填材の他の実施形態について、以下にさらに詳細に議論する。
【０２１２】
ドレープ１０７は、創傷１２６を密封するために使用されることが好ましい。ドレープ１０７は、少なくとも一部の陰圧を創傷に維持してもよいように、少なくとも部分的に液体不透過性でありうる。ドレープ１０７に好適な材料は、ポリエチレンおよびポリプロピレンなどのポリオレフィン、ポリウレタン、ポリシロキサン、ポリアミド、ポリエステル、および他のコポリマー、ならびにそれらの混合物を含む、それほど液体を吸収しない合成ポリマー材料を含むがこれらに限定されない。ドレープに使用される材料は、疎水性または親水性であってもよい。好適な材料の例には、ＤｅＲｏｙａｌから市販されているＴｒａｎｓｅａｌ（登録商標）、およびＳｍｉｔｈ＆Ｎｅｐｈｅｗから市販されているＯｐＳｉｔｅ（登録商標）を含む。患者の快適性に役立ち、皮膚の浸軟を回避するために、特定の実施形態におけるドレープは、水蒸気が被覆材下に閉じ込められたままにならず通過できるように、少なくとも一部に通気性がある。特定の実施形態では、代わりに別個の接着剤または接着ストリップを使用してもよいものの、接着層には少なくとも一部分上に、ドレープを患者の皮膚に固定するように、ドレープ１０７の底面を提供してもよい。任意で、放出層は、使用前、接着層を保護し、かつドレープ１０７の取り扱いを容易にするように、接着層の上に配置されてもよく、いくつかの実施形態では、放出層は複数セクションから成ってもよい。
【０２１３】
陰圧システム１０１は、陰圧の源、例えば、ポンプ１１４に接続し得る。好適なポンプの一例は、Ｓｍｉｔｈ＆Ｎｅｐｈｅｗから市販されているＲｅｎａｓｙｓ  ＥＺポンプである。ドレープ１０７は、導管１２２を介して陰圧供給源１１４に接続されてもよい。導管１２２は、ドレープ１０７のアパーチャ１０９の上に置かれるポート１１３に接続してもよく、あるいは、導管１２２は、ポートを使用せずにアパーチャ１０９を通って直接接続してもよい。さらなる代替物において、導管はドレープの下方を通り、ドレープの側面から延在してもよい。米国特許第７，５２４，３１５号は、陰圧システムの他の類似する態様について開示し、参照することによって本明細書によりその全体が援用され、本明細書の一部とみなされるべきである。
【０２１４】
多くの適用では、容器または他の貯蔵ユニット１１５は、創傷滲出液、および創傷から除去された他の流体を、陰圧源に進入させることなく貯蔵することが可能になるために、陰圧源１２４と導管１２２とに間置され得る。また、例えば、蠕動ポンプといった、あるタイプの陰圧源によっても、容器１１５をポンプ１２４の後に設置することが可能になってもよい。いくつかの実施形態はまた、流体、エアロゾルおよび他の微生物混入物が、容器１１５を離れ、および／または陰圧供給源１２４に進入するのを妨げるように、フィルタを使用してもよい。さらなる実施形態はまた、オーバーフローを妨げるように、容器に遮断バルブ、または閉塞疎水性および／もしくは撥油性フィルタを含んでもよく、他の実施形態は、容器の中の流体のレベルが容量に近づく場合、容量センサ、または陰圧源を停止もしくは遮断するように働く、他の流体レベル検出器などの感知手段を含んでもよい。ポンプ排出部に、活性炭キャニスタなどの臭気フィルタを提供しうることがまた好ましい。
【０２１５】
図１Ｇは、陰圧なしで創傷を治癒するために使用され得る、創傷被覆材の様々な実施形態を示す。図１Ｇの被覆材に示す通り、創傷被覆材は、図１Ｇの被覆材がポートも流体コネクタも含まないことを除いて、図１Ｃ〜１Ｆを参照して説明した被覆材に類似する複数の層を有することができる。図１Ｇの創傷被覆材は、本明細書に記載する通り、カバー層および創傷接触層を含み得る。創傷被覆材は、創傷接触層とカバー層との間に位置する様々な層を含み得る。例えば、被覆材は、図１Ｃ〜図１Ｆを参照して本明細書に記載する通り、一つまたは複数の吸収層および／または一つまたは複数の透過層を含み得る。加えて、本明細書に記載する創傷被覆材を備える、創傷治療に関係するいくつかの実施形態はまた、２０１４年５月２１日に米国特許出願第２０１４／０２４９４９５号で出願された、名称「ＷＯＵＮＤ  ＤＲＥＳＳＩＮＧ  ＡＮＤ  ＭＥＴＨＯＤ  ＯＦ  ＴＲＥＡＴＭＥＮＴ」と組み合わせて、または該米国特許出願に追加して使用されてもよく、該米国特許出願の開示は、創傷被覆材の実施形態、創傷被覆材の構成要素および原理、ならびに創傷被覆材に使用される材料に関係する、さらなる詳細を含め、参照することによって本明細書によりその全体が援用される。
【０２１６】
センサ付き創傷被覆材
多数のセンサを組み込む創傷被覆材は、創傷が治癒するにつれて、その創傷の特性を監視するために利用することができる。良好に治癒する創傷、および、治癒しない創傷からのデータを収集することは、創傷が治癒軌道上にあるかどうかを示すための測定基準を特定するための有用な洞察を提供できる。
【０２１７】
いくつかの実装では、いくつかのセンサ技術が、創傷被覆材、または創傷被覆材アセンブリ全体の一部を形成する一つまたは複数の構成要素で使用され得る。例えば、いくつかの実施形態によるセンサアレイを有する創傷被覆材２５０および３２０を示す図２および図３Ｄに示す通り、一つまたは複数のセンサは、図３Ｄに示す通りの穿孔創傷接触層であってもよい、創傷接触層上へまたは創傷接触層中へ組み込まれ得る。図２および３Ｄの創傷接触層は、四角形を有するように示されるが、創傷接触層が、例えば、長方形、円形、楕円形などの他の形を有してもよいことは理解されるであろう。いくつかの実施形態では、センサ統合型創傷接触層は、創傷面積の上に設置される個々の材料層として提供され、その後、創傷被覆材アセンブリ、創傷被覆材アセンブリの構成要素、例えば、ガーゼ、発泡体または他の創傷パッキング材料、超吸収層、ドレープ、ＰｉｃｏまたはＡｌｌｅｖｙｎ  Ｌｉｆｅ被覆材のような完全統合型被覆材など、によって被覆され得る。他の実施形態では、センサ統合型創傷接触層は、ここに記載するような、単一ユニット被覆材の一部であってもよい。
【０２１８】
センサ統合型創傷接触層は、創傷と接触して設置でき、流体が創傷の中の組織への損傷を全くまたはほとんど起こさずに、接触層を通過することが可能になるであろう。センサ統合型創傷接触層は、シリコーンなどの可撓性材料から作ることができ、抗菌剤、または当該技術分野で知られる他の治療薬を組み込み得る。いくつかの実施形態では、センサ統合型創傷接触層は、湿組織または乾燥組織に接着する接着剤を組み込み得る。いくつかの実施形態では、センサ、またはセンサアレイは、上に記載した吸収層またはスペーサ層など、創傷被覆材の他の構成要素内に取り込まれ得るか、または被包され得る。
【０２１９】
図２および図３Ｄに示す通り、例えば、温度（例えば、２５個のサーミスタセンサ、配列５×５、ピッチ〜２０ｍｍ）、酸素飽和度またはＳｐＯ２（例えば、４個または５個のＳｐＯ２センサ、創傷接触層の中心から縁まで単一直線、ピッチ１０ｍｍ）、組織色、（例えば、１０個の光学センサ、配列２×５、ピッチ〜２０ｍｍ；配列の各列５個のセンサすべてが整列する必要はない）、ｐＨ（例えば、ｐＨ感受性パッドの色を測定することによって、組織の色用と同じ光学センサを任意で使用）、および伝導度（例えば、９個の伝導性接触部、配列３×３、ピッチ〜４０ｍｍ）用センサを含む、５個のセンサが使用され得る。図３Ａに示す通り、ＳｐＯ２センサは、創傷接触層の中心からまたは中心付近から、創傷接触層の縁への単一直線状に配設され得る。ＳｐＯ２センサの直線によって、センサが、様々な領域間の変化を測定するように、創傷の真ん中で、縁もしくは創傷で、または無傷の皮膚上で測定値を得ることが可能になり得る。いくつかの実施形態では、創傷接触層またはセンサアレイは、創傷の全体表面範囲だけでなく周囲の無傷の皮膚も被覆するように、創傷のサイズよりも大きくなり得る。より大きなサイズの創傷接触層および／またはセンサアレイ、および複数のセンサによって、センサが創傷の中心にのみ設置されていた場合、または一度に範囲の一箇所ずつの場合よりも、創傷範囲についてより多くの情報を提供し得る。
【０２２０】
センサは、様々なフルオロポリマー（ＦＥＰ）およびコポリマー、または当技術分野で知られている任意の材料と共に、ポリアミド、ポリイミド（ＰＩ）、ポリエステル、ポリエチレンナフタレート（ＰＥＮ）、ポリエチレンナフタレート（ＰＥＩ）を含む可撓性のポリマーから形成される、可撓性の回路基板に組み込むことができる。センサアレイは２層の可撓性回路の中に組み込まれ得る。いくつかの実施形態では、回路基板は、多層の可撓性回路基板であり得る。いくつかの実施形態では、これらの可撓性回路は、創傷被覆材のいかなる層の中にも組み込まれ得る。いくつかの実施形態では、可撓性回路は、創傷接触層の中に組み込まれ得る。例えば、可撓性回路は、図１Ｂを参照して記載した創傷接触層に類似する、創傷接触層の中に組み込まれ得る。創傷接触層は、創傷接触層の下表面から突出し、創傷範囲に直接接触する、一つまたは複数のセンサを可能にする、切り取り部またはスリットを有し得る。
【０２２１】
いくつかの実施形態では、センサ統合型創傷接触層は、創傷接触層材料の２層の間に挟まれる可撓性回路基板を伴う、第一のおよび第二の創傷接触層を含み得る。第一の創傷接触層は、創傷と接触するように意図する下表面と、可撓性回路基板と接触するように意図する上表面とを有する。第二の創傷接触層は、可撓性回路基板と接触するように意図する下表面と、創傷被覆材、または創傷被覆材アセンブリ全体の一部を形成する、一つまたは複数の構成要素と接触するように意図する上表面とを有する。第一の創傷接触層の上表面および第二の創傷接触層の下表面は、２層の間に挟まれる可撓性回路基板と共に接着され得る。
【０２２２】
いくつかの実施形態では、可撓性回路基板の一つまたは複数のセンサは、創傷の中の水分または流体との接触を妨げるように、創傷接触層によって完全に被包または被覆され得る。いくつかの実施形態では、第一の創傷接触層は、下表面から突出し、創傷範囲に直接接触する、一つまたは複数のセンサを可能にする、切り取り部またはスリットを有し得る。例えば、図３Ｄに示す通りの一つまたは複数のＳｐＯ２センサは、創傷接触層の最下表面から突出して示されている。いくつかの実施形態では、ＳｐＯ２センサは、第一の創傷接触層の下表面上に直接載置され得る。センサと電気もしくは電子構成要素の一部またはすべては、埋められてもよく、または、ポリマー、例えば、シリコンまたはエポキシベースのポリマーで、被包されてもよい（例えば、防水または防液の状態にする）。ポリマーで被包することで、流体進入、および構成要素からの化学物質浸出を防ぎ得る。いくつかの実施形態では、創傷接触層材料は、水が進入したり化学物質が浸出したりしないように、構成要素を密閉し得る。
【０２２３】
いくつかの実施形態では、創傷に関係する情報を集めて処理する際に、センサアレイ、コントロールまたは処理モジュール、およびソフトウェアを含む、三つの構成要素を利用し得る。三つの構成要素について、本明細書により詳細に記載する。
【０２２４】
図３Ａは、いくつかの実施形態に従い、センサアレイ部分３０１、尾部分３０２、およびコネクタパッド端部分３０３を含む、可撓性センサアレイ回路基板３００を示す。センサアレイ部分３０１は、センサおよび関連回路を含み得る。センサアレイの回路基板３００は、センサアレイ部分３０１から延在する、長い尾部分３０２を含み得る。コネクタパッド端部分３０３は、センサアレイ回路からデータを受信するように、コントロールモジュールもしくは他の処理ユニットに接続することが可能になり得る。長い尾部分３０２によって、コントロールモジュールを、例えば、創傷から離れた、より都合の良い場所などの、創傷から遠くに配置することが可能になり得る。
【０２２５】
図３Ｂは、いくつかの実施形態による、様々な四つのセンサアレイの幾何学形状３０１Ａ、３０１Ｂ、３０１Ｃ、３０１Ｄを有する可撓性の回路基板の実施形態を示す。図示した実施形態は、尾部分３０２Ａ、３０２Ｂを含む。３０２Ｃ、および３０２Ｄ。いくつかの実施形態では、四つの異なるセンサアレイ形状は、可撓性回路に実装され得る。図３Ｂは、四つの異なるセンサアレイ形式および構成を示すが、設計３０１Ｂおよび３０２Ｂは、スポンサーアレイ３０１Ｂとコントロールモジュールとの間の電気または電子接続を提供するように構成されたコネクタパッド端部分３０３も含む。３０１Ａ、３０１Ｃ、または３０１Ｄの設計のうちの一つまたは複数は、部分３０３といった、コネクタパッド端部分を含み、可撓性回路基板３０１Ａ、３０１Ｃ、または３０１Ｄがコントロールモジュールまたはその他の処理ユニットと通信できるようにする。いくつかの実施形態では、センサアレイはコントロールモジュールと無線通信し、尾部分は省略されてもよい。
【０２２６】
図３Ｃは、図３Ｂに示すセンサアレイ設計のセンサアレイ部分３０１Ｂを、より詳細に示す。図２または図３Ａ〜３Ｄの実施形態のうちのいずれか一つまたは複数では、センサアレイ部分が、創傷接触層などの創傷被覆材構成要素の周囲近辺、または創傷被覆材構成要素の外縁から内向きのいずれかに延在する複数の部分を含み得る。例えば、図示する実施形態は、創傷被覆材構成要素の縁に平行で、いくつかの実施形態では、創傷被覆材構成要素の全体周囲を辿ってもよい、複数の直線延在部分を含む。いくつかの実施形態では、センサアレイ部分は、第二の複数の平行な直線延在部分と垂直である、第一の複数の平行な直線延在部分を含み得る。これらの直線延在部分はまた、異なる長さを有してもよく、創傷被覆材構成要素の内部の中で、内向きに異なる場所へ延在してもよい。センサアレイ部分は、創傷被覆材構成要素全体を被覆しないことが好ましく、そのため、センサアレイの複数部分間に割れ目が形成される。図２に示す通り、これにより、一部、および場合により大多数の創傷被覆材構成要素のカバーを、センサアレイによって取ることが可能になる。例えば、図２および３Ｄに示す通りの穿孔創傷接触層に対して、センサアレイ部分３０１は、創傷接触層の大多数の穿孔を遮断しなくてもよい。いくつかの実施形態では、センサアレイはまた、流体の流れへの穿孔の遮断を最小化するために、創傷接触層の穿孔に合致するように穿孔されてもよく、または形作られてもよい。
【０２２７】
図３Ｄは、いくつかの実施形態に従い、穿孔創傷接触層３２０に組み込まれる可撓性センサアレイを示す。示す通り、センサアレイは、二つのフィルムまたは創傷接触層の間に挟まれ得る。創傷接触層は、創傷滲出液が被覆材の中へ流れるのが可能になる一方で、創傷被覆材の中への組織内殖を妨げるのに役立つほど充分小さい、上に記載した通りのスリットまたは孔として形成される穿孔を有し得る。いくつかの実施形態では、創傷接触層は、統合型センサアレイを伴う創傷接触層の可撓性を増大させる、一つまたは複数のスリットを有し得る。いくつかの実施形態では、創傷接触層のうちの一つは、センサが皮膚に直接接触し得るように、センサを収容する余分な切り取り部を有し得る。
【０２２８】
センサアレイの接続性は、利用される様々なセンサおよびセンサアレイ設計によって変化し得る。いくつかの実施形態では、例えば図３Ｂに示す通り、総計７９個の接続部を使用して、センサアレイの構成要素を接続し得る。センサアレイは、４０本、ピッチ０．５ｍｍの平行フラットフレキシブルケーブル（ＦＦＣ）の二つの接触表面で終端することができ、最上表面上に端子を伴い、Ｍｏｌｅｘ  ５４１０４−４０３１などのＦＦＣコネクタに接続するように設計される。
【０２２９】
いくつかの実施形態では、サーミスタ、導電率センサ、Ｓｐｏ２センサ、または色センサのうちの一つまたは複数を、センサアレイ上で使用して、創傷の状態に関連する情報を提供することができる。センサアレイおよび個々のセンサは、創傷の治癒を監視する際に、臨床医を支援し得る。一つまたは複数のセンサは、創傷および創傷治癒特性に関係するデータを提供するように、個々にまたは互いと連携して動作し得る。
【０２３０】
温度センサは、温度を測定するために、熱電対またはサーミスタを使用し得る。サーミスタは、基礎を成す創傷の温度、もしくは創傷被覆材内の熱環境を測定または追跡するように使用され得る。温度計は較正することができ、センサから得られるデータは、創傷環境についての情報を提供するように処理され得る。いくつかの実施形態では。周囲空気温度を測定する周囲センサは、環境温度シフトに関連する問題の排除を支援するためにも使用できる。
【０２３１】
光学センサは、照射源と共に、ＲＧＢセンサ（例えば、赤、緑、青、および透明（ＲＧＢＣ）センサまたは赤、緑青、および白（ＲＧＢＷ）センサ）を使用して創傷外観を測定するために使用できる。いくつかの実施形態では、ＲＧＢセンサおよび照射源の両方は、皮膚に押し付けることができ、光が組織中に透過し、組織自体のスペクトル特性を呈するであろう。
【０２３２】
組織の中の光伝播は、二つの主要な現象である、散乱および減弱によって支配され得る。減弱に対して、光が組織を通過するとき、組織の様々な構成要素による吸収のために、光の強度が損なわれる場合がある。青色光は、大きく減衰する傾向がある一方、スペクトルの赤末端の光は、最も減衰が少ない傾向がある。
【０２３３】
散乱過程はより複雑である場合があり、考慮しなくてはならない様々な「レジーム」を有し得る。散乱の第一の態様は、入射光の波長と比較した、散乱中心のサイズに基づく。散乱中心が光の波長よりもかなり小さい場合、レイリー散乱が想定され得る。散乱中心が光の波長ほどである場合、より詳細なミー散乱の定式化を考慮しなくてはならない。散乱光に関与する別の要素は、散乱媒質の投入と排出との間の距離である。光の平均自由行程（散乱事象間の距離）が、動く距離よりもかなり長い場合、弾道的光子輸送が想定される。組織の場合、スキャット事象はおよそ１００ミクロン離れているため、１ｍｍの行程距離により、光子の方向を効果的にランダム化し、システムは拡散性レジームに入るであろう。
【０２３４】
超高輝度発光ダイオード（ＬＥＤ）、ＲＧＢセンサ、およびポリエステル光フィルタを光学センサの構成要素として使用して、組織色分化を通して測定する。例えば、表面の色は反射光から測定し得るため、色は、所与の形状に対して最初に組織を通過した光から測定され得る。これは、皮膚と接触するＬＥＤからの、拡散した散光色からの色感知を含み得る。いくつかの実施形態では、ＬＥＤは、組織を通って拡散した光を検出するように、すぐ近くのＲＧＢセンサと共に使用され得る。光学センサは、拡散した内部の光または表面反射光で撮像し得る。
【０２３５】
加えて、光学センサが、自己蛍光を測定するように使用され得る。組織は一つの波長で光を吸収し、別の波長で放出しているため、自己蛍光が使用される。加えて、死んだ組織は自己蛍光を発することができないため、これは、組織が健康か否かに関する非常にはっきりとした指標となり得る。そのような浅い侵入深さを有する青色光（または、さらにＵＶ光）によって、例えば、非常に特有の波長で自己蛍光を発するであろう健康な組織に対して、バイナリテストとして働くように、すぐ近くの赤に敏感なフォトダイオード（または、一部の他の波長をシフトする周波数帯）によるＵＶ光を有することは、非常に有用である場合がある。
【０２３６】
伝導度センサは、生きている組織と死んだ組織との間の差を判定するか、または病的組織の中で開いている創傷による、インピーダンスの変化を示すかに使用され得る。伝導度センサは、Ａｇ／ＡｇＣｌ電極およびインピーダンス分析器を含み得る。伝導度センサは、周囲の組織／範囲のインピーダンスを測定することによって、創傷が大きくなった領域のインピーダンスの変化を測定するように使用され得る。いくつかの実施形態では、センサアレイは、創傷サイズまたは創傷の形の変化による、周囲の電極上の伝導度の変化を測定するように、伝導度センサを利用し得る。いくつかの実施形態では、伝導度センサは、創傷床の中でまたは創傷の周囲で使用され得る。
【０２３７】
いくつかの実施形態では、ｐＨが変化するパッドがｐＨセンサとして使用され得る。分光計、および広帯域の白色光源は、ｐＨ染料のスペクトル応答を測定するように使用され得る。照明および撮像は、創傷と接触している創傷被覆材の表面上と、流体適用と同じ側面にある最下表面上とに提供され得る。代替として、いくつかの実施形態では、照明および撮像源は、最下表面に対向し、流体適用から離れた創傷被覆材の表面、または被覆材の最上表面上に提供され得る。
【０２３８】
いくつかの実施形態では、パルスオキシメトリＳｐＯ２センサが使用され得る。血液がどのように酸素化され、拍動血がどのように流れるのかを計測することを、観察することができる。パルスオキシメトリ測定は、二つの異なる光波長で、光吸収／透過の時間分解測定を行うことによって機能する。ヘモグロビンが酸素化されるとき、その吸収スペクトルが非酸素化血液に関して変化する。二つの異なる波長で測定を行うことによって、一方で、血液を酸素化する方法の比率を用いた測定尺度を得る。
【０２３９】
センサアレイの中の構成要素は、複数の接続によって接続され得る。いくつかの実施形態では、サーミスタは、５個一組で配設され得る。各サーミスタは名目上１０ｋΩであり、５つの各グループは共通の接地を有する。５組のサーミスタがあり、全部で３０個の接続部を供給する。いくつかの実施形態では、９個の伝導性端子が存在し得る。各伝導性端子は一つの接続部を必要とし、全部で９個の接続部を供給する。いくつかの実施形態では、５個のＳｐＯ２センサが存在し得る。ＳｐＯ２センサは、電力および接地（これらは別途被覆される）に加え三つの接続部を必要とし、全部で１５個の接続部を供給する。いくつかの実施形態では、１０色のセンサが存在し得る。各色センサは、ＲＧＢ  ＬＥＤおよびＲＧＢフォトダイオードを含む。各色センサは６個の接続部を必要とするが、しかしながら、これらのうちの５個は全センサに共通し、全部で１５個の接続部を供給する。電力および設置は別途考慮される。いくつかの実施形態では、５個のｐＨセンサが存在し得る。ｐＨセンサは色が変化するディスクであることができ、上に記載した色センサを使用して感知され得る。そのため、ｐＨセンサは追加の接続部を必要としない。三つの電源レールおよび７個の接地リターン信号があり、全部で１０個の共通接続部を供給し得る。いくつかの実施形態では、センサアレイは、２５サーミスタ（Ｍｕｒａｔａ  ＮＣＰ１５ＷＢ４７３Ｅ０３ＲＣ）、９導電率端子、５Ｓｐｏ２（ＡＤＰＤ１４４ＲＩ）、１０ＲＧＢ  ＬＥＤ（ＫＰＴＦ−１６１６ＲＧＢＣ−１３など）、１０個のＲＧＢ色センサ、１０ＦＥＴ、プリント回路基板（ＰＣＢ）、および組立品を含み得る。
【０２４０】
コントロールモジュールは、センサアレイと連動するように使用され得る。いくつかの実施形態では、コントロールモジュールは、センサを駆動するように、バッテリなどの電源および電子機器を包含し得る。またコントロールモジュールにより、適切な間隔でデータのログを取り、パーソナルコンピュータ（ＰＣ）などの外部コンピュータデバイスへの、データ転送が可能となり得る。コントロールモジュールは、センサアレイで使用されるセンサと、センサにより収集されるデータとによって、様々な特徴部を有するようにカスタマイズされ得る。いくつかの実施形態では、コントロールモジュールは、数週間継続して身に着けられるほど、充分快適で小型であり得る。いくつかの実施形態では、コントロールモジュールは、創傷被覆材近くまたは創傷被覆材上に位置し得る。いくつかの実施形態では、コントロールモジュールは、創傷被覆材および付随のセンサアレイから遠隔の場所に位置し得る。コントロールモジュールは、被覆材上、被覆材近くまたは創傷被覆材から遠隔に位置していても、電線を介してまたは無線通信によって、センサアレイおよび創傷被覆材と通信し得る。いくつかの実施形態では、コントロールモジュールは、異なるセンサアレイと共に利用されるように適応することができ、センサアレイの容易な交換が可能となり得る。
【０２４１】
いくつかの実施形態では、コントロールモジュールは、以下の表１に列挙する特徴を含むが限定はされない、様々な要件および特徴の組み合わせを含み得る。
【０２４２】
【表１】
2020524544.tif 000003
【０２４３】
図３Ｅは、いくつかの実施形態に従う、コントロールモジュールのブロック図３３０を示す。コントロールモジュールのブロック図は、伝導度ドライバの特徴を表示する、伝導度ドライバボックス３９１を含む。ボックス３９２は、サーミスタインターフェースの特徴を示し、ボックス３９３は光インターフェースの特徴を示す。コントロールモジュールは、ボックス３９４に示されるものと類似の特徴を伴う、コントローラまたはマイクロプロセッサを含み得る。リアルタイムクロック（ＲＴＣ）、状態ＬＥＤ、ＵＳＢコネクタ、シリアルフラッシュおよびデバッグコネクタは、図３Ｅに示す通り、コントロールモジュールの特徴部として含まれ得る。
【０２４４】
いくつかの実施形態では、マイクロプロセッサは、次の特徴のうちの一つまたは複数を有し得る。２．４ＧＨｚ、もしくは別の他の好適な周波数無線（統合型または外付けのいずれか）；供給するＢｌｕｅｔｏｏｔｈ（登録商標）ソフトウェアスタック；ＳＰＩインターフェース；ＵＳＢ（または外付けＵＳＢドライバ用ＵＡＲＴ）；Ｉ２Ｃ；３チャネルＰＷＭ；３２ＧＰＩＯ；または６チャネルＡＤＣ。いくつかの実施形態では、デバイスは、盛り上がりを作る制限から、少なくとも４８個のＩ／Ｏピン、または場合によりそれ以上を必要とし得る。Ｂｌｕｅｔｏｏｔｈ（登録商標）スタックは通常、２０ｋＢ未満の搭載フラッシュを必要とするため、最低３２ｋＢが必要とされ得る。いくつかの実施形態では、複雑なデータ処理を考慮する場合には、６４ｋＢが必要とされ得る。プロセッサコアは、ＡＲＭ  Ｃｏｒｔｅｘ  Ｍ４または類似のプロセッサコアであり得る。いくつかの実施形態では、部品は、外部無線機、もしくは統合無線機を含むＮＸＰのＫｉｎｅｔｉｓ  ＫＷクラスを必要とし得る、ＳＴのＳＴＭ３２Ｌ４３３ＬＣまたはＳＴＭ３２Ｆ３０２Ｒ８を含むだろう。
【０２４５】
いくつかの実施形態では、コントロールモジュールは、メモリ構成要素を含むことができ、ローカルストレージの量は、センサのサンプル速度および解像度による。例えば、推定されるデータ要件である２５６Ｍｂ（３２ＭＢ）は、いくつかの製造業者（Ｍｉｃｒｏｎ、Ｓｐａｎｓｉｏｎ）のシリアルフラッシュデバイスを使用することによって満たされ得る。
【０２４６】
コントロールモジュールは、一つまたは複数のアナログスイッチを利用し得る。いくつかの実施形態では、優れたオン抵抗および合理的な帯域幅を伴うアナログスイッチが使用され得る。例えば、Ａｎａｌｏｇ  ＤｅｖｉｃｅｓのＡＤＧ７２またはＮＸＰのＮＸ３Ｌ４０５１ＨＲが使用され得る。初期システムアーキテクチャに基づき、これらのうちの八つが必要となる。
【０２４７】
コントロールモジュールは、バッテリなどの電源を組み込み得る。例えば、３００ｍＷｈ／日のバッテリが使用され得る。７日間で２１００ｍＷｈである。これは、１０日間分の非充電式ＥＲ１４２５０（直径１４．５ｍｍ×２５ｍｍ）ＬｉＳＯＣｌ２セル、または７日間分の充電式Ｌｉ  １４５００（直径１４．５ｍｍ×５００ｍｍ）Ｌｉ−Ｉｏｎにより提供され得る。
【０２４８】
コントロールモジュールは、リアルタイムクロック（ＲＴＣ）を組み込み得る。ＲＴＣは、結晶を伴ういずれのＲＴＣデバイスより選ばれ得る。コントロールモジュールはまた、種々の抵抗器、コンデンサ、コネクタ、充電コントローラおよび他の電力供給部も含み得る。
【０２４９】
コントロールモジュールのＰＣＢは、およそ５０ｍｍ×２０ｍｍまたは２５ｍｍ×４０ｍｍの４層基板であり得る。使用されるＰＣＢのタイプは、センサアレイへの接続要件によって大部分駆動され得る。
【０２５０】
コントロールモジュールの筺体は、センサアレイまたはバッテリを充電するために、容易にアクセスが可能になるクリップ特徴部を伴う、二つの部分から成る成形品であり得る。
【０２５１】
センサアレイを通して収集されるデータは、コントロールモジュールを通過し、ホストソフトウェアにより処理され得る。ソフトウェアは、処理デバイス上で実行されてもよい。処理装置は、ＰＣ、タブレット、スマートフォン、またはホストソフトウェアを実行可能な他のコンピュータであってもよい。ソフトウェアを実行する処理デバイスは、電線を通してまたは無線通信によって、コントロールモジュールと通信し得る。いくつかの実施形態では、ソフトウェアは、ビッグデータ解析を実施するのではなく、コントロールモジュール上に保管するデータへのアクセスを提供するように構成されてもよい。ホストソフトウェアは、Ｂｌｕｅｔｏｏｔｈ（登録商標）またはＵＳＢを介した、コントロールモジュールに対するインターフェースを含み得る。いくつかの実施形態では、ホストソフトウェアは、コントロールモジュールの状態読み取り、コントロールモジュールからのログデータのダウンロード、コントロールモジュールへのサンプル速度制御のアップロード、コントロールモジュールデータのビッグデータ解析エンジンによる処理に好適な形式への変換、または解析エンジンによる処理用クラウドへのデータのアップロードを行い得る。
【０２５２】
ソフトウェアは、ＰＣ（Ｗｉｎｄｏｗｓ／Ｌｉｎｕｘ（登録商標））、タブレットもしくはスマートフォン（Ａｎｄｒｏｉｄ／ｉＯＳ）、または複数のプラットフォーム向けに開発されてもよい。
【０２５３】
いくつかの実施形態では、陰圧の源（ポンプなど）、ならびに電源、センサ、コネクタ、ユーザーインターフェース構成要素（例えば、ボタン、スイッチ、スピーカ、画面など）および同類のものなど、局所陰圧システムの他の構成要素の一部またはすべては、創傷被覆材と一体化し得る。いくつかの実施形態では、構成要素は、裏当て層の最上部下方、最上部内、最上部上、または裏当て層に隣接して統合され得る。いくつかの実施形態では、創傷被覆材は、創傷被覆材の層、および統合された構成要素のいずれの上に、位置決め用第二のカバー層または第二のフィルタ層を含み得る。第二のカバー層は、被覆材の一番上の層であることができ、または局所陰圧システムの統合された構成要素を取り囲んでいた、別個の外皮であり得る。
【０２５４】
本明細書で使用される通り、上部層、最上層または上方の層は、被覆材が使用中で、創傷の上に位置する間、皮膚または創傷の表面から最も遠い層を指す。したがって、下面、下部層、最下層または下方の層は、被覆材が使用中で、創傷の上に位置する間、皮膚または創傷の表面に最も近い層を指す。
【０２５５】
ナノセンサ
いくつかの実施形態では、一つまたは複数のナノテクノロジー対応センサ（ナノセンサとも呼ばれる）を組み込むか、またはそれを含むことができる。ナノセンサを利用して、体内の細胞の体積、濃度、変位および速度、重力、電気力、および磁力、圧力、または温度のうちのいずれか一つまたは複数を測定することができる。ナノセンサは、医薬品または開発モニターを体内の特定の場所に送達するために、分子レベルで特定の細胞を区別または認識できる場合がある。ナノセンサは、例えば、創傷のモニタリングに使用できる創傷の特性を検出でき、治癒がどれだけ良くなるかに基づいて治療計画を推奨することができる。一組のナノセンサは、集合コミュニティとして機能することができる。例えば、ナノセンサはネットワークとして通信することができ、基材（例えば、創傷くぼみ内に配置可能な発泡体または創傷充填材）に製剤化することができる。
【０２５６】
他のセンサに関連して本明細書に記載されるように、ナノセンサは、アレイ、紐、可撓性の回路基板、マトリクス、チップなどに組み込まれうる。いくつかの実施形態において、ナノセンサは、例えば、薄い、光、使い捨て、または可撓性材料に電子印刷できる。いくつかの実施形態では、ナノセンサは生体適合性である。
【０２５７】
創傷が治癒すると、電界を作り出すことができる。いくつかの実施形態では、ナノセンサは、創傷によって発信された電気信号を解釈および分析できる。従って、ナノセンサは、経時的にそれらのフィールドを検出または正確に測定でき、それによって創傷の治癒過程を非侵襲的に追跡することができる。いくつかの実施形態では、ナノセンサは、創傷がどれだけ早く治癒するかを追跡できる。いくつかの実施形態では、ナノセンサは創傷治癒を加速することができる。いくつかの実施形態では、創傷の治癒の進行を監視するために創傷被覆材組立品を利用することができる。
【０２５８】
いくつかの実施形態では、ナノセンサは、（例えば、組み込まれたアンテナを使用して）一つまたは複数の他のセンサまたは遠隔コントローラなどの他の通信機器と通信することができる。ナノセンサデータを無線で伝送および分析することができる。
【０２５９】
センサの配置
センサまたはセンサアレイの正確な配置は、創傷の効果的な治療、または効果的なデータ集合に重要でありうる。例えば、創傷のまたはその周囲さまざまな位置は、劇的に異なる特徴を持つことができる。センサがどこに位置するかを知らなければ（例えば、創傷、他のセンサ、患者などに対して）、測定されたデータまたは計算されたデータを誤解または不正確なものにすることになり得、従って患者に効果的な治療を提供することが困難である。いくつかの実施形態では、センサデータの正確性の増大を助けるために、一つまたは複数の技術を利用する。例えば、不完全または不正確な配置の可能性を低減するために、一つまたは複数の技術が提供されている。さらに、不完全または不正確な配置にもかかわらず、センサデータの精度を高めるために一つまたは複数の技術が提供される。同様に、正確な情報を収集するためにセンサの特定の正確な配置を必要としない一つまたは複数の技術が提供されている。
【０２６０】
一つまたは複数のセンサストリング、センサストリップ、センサアレイ、センサマトリックス（一般的にセンサパッケージと呼ぶ）、創傷、創傷被覆材、創傷充填材、創傷被覆材組立品の位置または配向を追跡または決定し、配向エラーを制限するために利用し得る。例えば、センサパッケージが取り付けられた時、または交換された時に、それぞれの場合において配向が既知であることを確実にするために、センサパッケージが、創傷（または創傷の周辺）内にまたはその上にどのように取り付けられているかに関して、整列または配向の考慮がなされ得る。これは、共同リファレンスおよびクロスリファレンスデータに必要である。さらに、不完全な配置の可能性を低減するために、創傷被覆材またはセンサパッケージの配置（例えば、初期配置またはその後の調整）を支援するために、位置または配向データを利用できる。センサデータまたはセンサ機能は、例えば、不完全な配置にもかかわらずセンサデータの正確性を増やすために、位置または配向データに基づいて修正できる。
【０２６１】
センサパッケージを利用して、配向エラーを制限することができる。例えば、例えば、センサは正しく配向するのに小さいかまたは困難であるため、単一のセンサを所望の位置に配置することが困難である場合がある。センサパッケージは、例えば、本明細書で説明したように、配向マーカーのサイズまたは潜在能力の増加のために、方向付けが簡単でありうる。
【０２６２】
センサまたはセンサパッケージは、創傷被覆材または創傷パッキング材料に組み込まれるか、または封入され得る。例えば、センサは、ガーゼまたはデュライファイドまたは一つまたは複数の創傷被覆材の層にステッチされてもよく、またはその他の方法で永久的にまたは半永久的に取り付けられてもよい。別の例として、センサは、創傷に適合する発泡体突出部に取り付けられ得る。さらに、別の例では、センサまたはセンサパッケージは、拡張可能なマトリクス、発泡体または創傷に充填されるその他の材料に配置され得る。いくつかの実施形態では、創傷の治癒の進行を監視するために、一つまたは複数のセンサを利用することができる。
【０２６３】
いくつかの実施形態では、基材上に、または基材によって支持されることができる一つまたは複数のセンサを備える。基材は可撓性または実質的に可撓性とすることができる。基材は創傷接触層の一部とすることができる。基材上に位置付けられたセンサの追加の詳細は、２０１８年４月１１日出願の国際特許出願ＰＣＴ／ＥＰ２０１８／０５９３３３号に開示されており、参照によりその全体が本明細書に援用される。
【０２６４】
アライメント機能
図４Ａ〜図４Ｃは、いくつかの実施形態による、創傷４０４内またはその上に創傷被覆材４０２を適切に配置することを援助するための、複数のアライメント機能４０６、４１０、４１２を持つ、陰圧創傷療法（ＮＰＷＴ）システムなどのモニタリングまたは治療システム４００の図を示す。システム４００は、図１Ｃ〜図１Ｄの創傷被覆材１００など、本明細書に記載されるように、任意の創傷被覆材でありうる創傷被覆材４０２を含む。さらに、システム４００は、本明細書に記載されるように、創傷被覆材に接続されたポンプ（図示せず）を含み得る。一つまたは複数のアライメント機能４０６、４１０、４１２は、創傷被覆材内または創傷の周辺に含めることができる。一つまたは複数のアライメント機能４０６、４１０、４１２は、創傷４０４に創傷被覆材４０２が不完全または不正確に配置される可能性を低減するのに役立ちうる。
【０２６５】
図４Ａは、創傷４０４内、上または周りにその配置の前に創傷被覆材４０２を図示する。図４Ｂ〜図４Ｃは、一つまたは複数のアライメント機能４０６、４１０、４１２を使用して、創傷４０４内、上、またはその周りに適切に位置付けられた創傷被覆材４０２を図示する。図示したように、アライメント機能はアライメントリング４０６および配向機能４１０、４１２を含む。ただし、一つまたは複数のその他のアライメント機能を追加または代替的に使用できることに留意すべきである。例えば、その他のアライメント機能は、患者の完全なまたは部分的な画像または図を含み得る。例えば、図中の患者の配向が患者の配向と一致する時、創傷被覆材は正しく配向され得る。さらに、アライメント機能には、創傷被覆材コーナーを配置する位置の面積を示すコーナーインジケータが含まれる。アライメント機能はまた、解剖学的機能インジケータを含むことができる。例えば、矢印またはその他の方向要素は、創傷被覆材上にあり、正しく位置付けられた場合、特定の位置（例えば、患者の左足）を示す。いくつかの実施形態では、アライメント機能は、創傷被覆材の正しい配向を示すことができるパターンまたは他のマーキングも含めることができる。例えば、アライメント機能は、創傷被覆材のコーナーに配置された複数のブロックを含むことができる。創傷被覆材は、ブロックが左上コーナーにあるときに正しく配向される。
【０２６６】
アライメント機能は、加速度計、配向センサ、重力センサまたはレベルなどの配向インジケータを含み得る。例えば、アライメント機能は、異なる密度の流体を有するシールされたチャンバまたは気泡（例えば、生理食塩水での空気気泡など）を含み得る。流体の配向または位置は、創傷被覆材の配向を示し得る。一つまたは複数のアライメント機能は、創傷被覆材、創傷充填材料、センサ、またはセンサパッケージの配置または交換における患者または介護者を案内する支援をすることができる。本明細書に記載されるように、一つまたは複数のセンサは、センサパッケージ、創傷被覆材、創傷充填材料などに組み込まれうる。同様に、センサパッケージを創傷被覆材または創傷充填材料に組み込むことができる。
【０２６７】
アライメントリング４０６は、アライメントリング４０６と創傷被覆材４０２が整列された時（例えば、内部に嵌合、一致または対応）に、創傷被覆材または創傷被覆材に統合された任意のセンサが適切に位置付けられるように、構成され得る。アライメントリング４０４は、創傷被覆材４０１が望ましい位置に正しく配置または交換されるのが可能となるよう、創傷４０２内、上またはその周りに、半永久的に取り付けられ得るか、または印刷され得る。アライメントリングは、創傷被覆材４０２の配置を支援できる任意の半永久的または永久的な視覚的またはその他のインジケータとすることができる。例えば、アライメント機能は、一時的なタトゥー、インク（例えば、見えないインク）、テープ、ステッカー、解剖学的機能などとすることができる。
【０２６８】
いくつかの事例では、システム４００は、２次元（２Ｄ）または３次元（３Ｄ）仮想イメージをユーザーに提示するよう構成されたウェアラブルシステムを含み得る。例えば、加えて、または代替的に、（創傷４０２にあるいはその周りに半永久的に取り付けられまたは印刷され得る）物理的なアライメントリング４０６を含むことに追加して、ウェアラブルシステムは、アライメントリング４０６をユーザーに対して仮想イメージとして提示できる。同様に、または別の方法として、本明細書に記載されるその他のアライメント機能の任意の一つまたは複数を、ユーザーへの仮想イメージとして提示することができる。
【０２６９】
画像は、静止画像、ビデオのフレーム、ビデオ、組み合わせまたはこれに類するものとすることができる。ウェアラブルシステムは、仮想現実（例えば、他の実際の現実世界の視覚的入力に対して透明性のないデジタルまたは仮想イメージ情報の提示）、強化現実（例えば、ユーザーの周りの実際の世界の視覚化に対する補強として、デジタルまたは仮想イメージ情報の提示）、または混合現実（例えば、実際のおよび仮想物体が実際の時間に共存し相互関係する新しい環境を生産するために、マージする現実のおよび仮想世界に関する提示）環境を、ユーザーのインタラクションのために、単独でまたは組み合わせて、提示することができる、ウェアラブル機器を含むことができる。ウェアラブル機器は、頭部取り付け機器（ＨＭＤ）またはその他の機器とすることができる。
【０２７０】
アライメントリング４０６は長方形の形状を持つように示されるが、アライメントリング４０６は、長方形、円形、楕円などの他の形状を含む任意の形状を取ることができることが理解されよう。いくつかの実施形態では、アライメントリングの形状は、有利なことに、創傷被覆材４０２の形状と一致して、簡単で正確な配置を可能にする。しかし、一部の例では、アライメントリング４０６の形状は、創傷被覆材４０２の形状とは異なる。
【０２７１】
いくつかの実施形態では、アライメントリング４０６に加えて、またはその代わりにその他のアライメント機能を利用する。例えば、縁部、コーナー、またはセンサの所望の位置を示すインジケータを利用することができる。非限定的な例として、アライメント機能は、創傷被覆材４０２の角がコーナーインジケータに位置付けられているとき、創傷被覆材が正確に配置されるように、二つ以上のコーナーインジケータを含み得る。別の例として、アライメント機能は、創傷被覆材４０２に含めることができ、患者の解剖学的特徴に対応することができる。例えば、創傷被覆材４０２は、適切に整列されたとき、解剖学的特徴（例えば、患者の頭部）で示すよう設計された矢印を含むことができる。
【０２７２】
いくつかの実施形態では、患者、介護者、コンピュータ案内装置などは、創傷被覆材、センサ、センサパッケージ、または患者の身体に一つまたは複数のアライメント機能を描く、配置する、押し付ける、または位置付けることができ、創傷被覆材またはセンサの位置決めを支援する。他の例では、アライメント機能は、仮想または増強された現実の形態を使用して（光源などで）投影されてもよく、または見られてもよい。
【０２７３】
いくつかの実例では、アライメント機能は創傷被覆材４０２の配置の前に決定される。例えば、コンピューティングシステムまたは医師は、創傷被覆材の範囲内の既知のセンサ位置に少なくとも部分的に基づいて、患者にアライメントリングをどこに配置することを決定できる。別の例として、アライメント機能の位置または配向は、創傷のサイズ、位置、形状、深さなどに少なくとも部分的に基づいて決定され得る。別の方法としてまたは追加的に、アライメント機能の位置または配向は、創傷被覆材で使用されるセンサのタイプに少なくとも部分的に基づいて決定され得る。
【０２７４】
アライメント機能は、創傷被覆材またはセンサが初めて患者に取り付けられているか、または患者に配置された後に決定され得る。例えば、いくつかの実例の場合、創傷被覆材は定期的な交換を必要とし得る。例えば、これらの例において、創傷被覆材は、任意のアライメント機能を利用することなく、創傷内またはその上に最初に置かれることができる。例えば、本明細書に記載されるように、創傷被覆材またはセンサは、創傷内またはその上に特定の配置を必要としなくてもよい。代わりに、個別のセンサ構成要素は、創傷内のその位置を理解するために、相互に対してその位置を登録する手段を持ち得る。ただし、創傷被覆材が新しい創傷被覆材と置き換えられた場合、新しい創傷被覆材を（例えば、データの正確性、首尾一貫性のために）古い創傷被覆材と同じまたは実質的に同じ位置に配置できることが望ましい。従って、いくつかの実施形態では、アライメント機能は、センサの初期配置および位置登録後に決定することができる。例えば、創傷被覆材の輪郭線またはその他の表示は、患者の体にマーク付けできる。その後、創傷被覆材が置き換えられると、アライメント機能を使用して新しい創傷被覆材を正確に配置できる。
【０２７５】
いくつかの実施形態ではさらに、不完全または間違った配置の可能性をさらに減少させるために、センサの正確性が回転不整列によって影響を受けないように、創傷被覆材またはセンサパッケージは少なくとも部分的に回転対称でありうる。いくつかの実施形態では、回転対称とは、ある角度だけ回転した時、同じタイプのセンサが同一の位置に配置されたままになるように、センサが、創傷被覆材またはセンサパッケージ内に回転対称的に位置付けられていることを意味する。例えば、図４Ａ〜４Ｃに図示される創傷被覆材４０２は、創傷部４０４における配向の跡（Ａ、Ｂ、Ｂ、Ａ）４１２に対応する配向マーク（Ａ、Ｂ、Ｂ、Ａ）４１０を含む。図４Ｂおよび４Ｃによって示されるように、創傷被覆材４０２は、回転対称であるため、創傷被覆材は、図４Ｂに図示されるように、または図４Ｃに図示されるように配向されているかどうかにかかわらず、正確に位置付けられ得る。配向マーク４１０および４１２は、両方の配向に一致することに留意されたい（例えば、ＡはＡに対応し、ＢはＢに対応する、など）。
【０２７６】
センサの位置または配向
システム（システム４００など）は、センサまたはその他の関心対象物の位置または配向を決定または追跡するための位置検出機器を利用して、センサ、創傷、患者またはこれに類するものの位置を推定する。例えば、システムは、例えば、一つまたは複数の他のセンサに対して、位置または配向データを連続的に、または繰り返しレポートしまたは受信することができるセンサを含み得る。さらに、または別の方法として、システムは、センサパッケージ上の各センサの位置または配向が既知であるか、または決定可能であるセンサパッケージを利用することができ、センサパッケージの位置を登録するために単一またはいくつかのセンサを使用できる。
【０２７７】
本明細書に記載されるように、一つまたは複数のセンサが取り付けられているか交換される時、それぞれの場合にそれぞれの配向が既知であることを確実にするために、位置または配向（または定置とも呼ばれる）の考慮が、一つまたは複数のセンサ（または創傷被覆材）が、創傷内またはその上にどのように配置されるかに関してなされ得る。本明細書で使用される場合、「定置」という用語は、制限なく、位置または配向、または任意のその他の適切な位置情報を指すことができる。創傷またはポイントまたは基準に対する各センサの位置を決定できるように、例えば、データを共参照および相互参照するのに、これらの配置の考慮事項が望まれうる。例えば、個別のセンサ構成要素は、創傷の上または周りまたはその中の位置を理解または記録するために、互いに対してそれらの位置を登録する手段を持ち得る。
【０２７８】
センサ、センサパッケージ、または創傷被覆材の位置または配向は、さまざまな技術を使用して追跡または決定することができる。例えば、一つまたは複数の定置センサを使用またはセンサパッケージ、創傷被覆材などに組み込むことができ、位置検出機器（時には、位置または位置決め検出ユニットと呼ばれる）は、追跡領域内の一つまたは複数の定置センサの位置または配向を追跡または決定できる。位置検出機器は、他のセンサからのデータを共参照または相互参照することができる、ＮＰＷＴシステムのプロセッサまたは遠隔プロセッサなどのプロセッサへ位置決めデータを提供することができる。別の方法として、プロセッサは、追加的な定置情報を決定するために、周知の定置データ（センサパッケージ内のセンサの位置または配向など）を有する受信した定置データを共参照または相互参照することができる。いくつかの事例では、一つまたは複数の定置センサは一つまたは複数の能力を含み得る。例えば、一つまたは複数の定置センサは、慣性測定ユニット（ＩＭＵ）を出力できるように、加速度計、ジャイロスコープ、または磁気計などの配向センサを含み得る。
【０２７９】
非限定的な例として、一つまたは複数の定置センサは、位置検出ユニットなどの位置検出機器に通信可能に結合され得る。位置検出機器は、創傷被覆材の一部とすることも、別個の構成要素とすることもできる。位置検出機器は、定置センサまたは一組のセンサ（例えば、センサアレイ）の定置を決定するために使用できる。例えば、位置検出機器は、部屋座標系に対する一つまたは複数の定置センサの姿勢を決定できる。その後、その他のセンサの姿勢を決定するために、姿勢および部屋座標系を利用することができる。位置検出機器は、さまざまな技術を使用して、一つまたは複数のセンサ、創傷被覆材、基準点または同種のものの定置を決定できる。例えば、位置検出機器は、センサ、創傷、創傷被覆材、関心領域、基準点などを探すために、音響位置、超音波、ソナーを利用できる。さらに、または別の方法として、位置検出機器は、センサ、創傷、創傷被覆材、関心領域、基準点などを見つけるため、グローバル位置決めシステム（ＧＰＳ）、無線周波数識別子（ＲＦＩＤ）技術、撮像（例えば、外部ビデオカメラ）、無線周波数検出、位置決めトラッキング、または同種のものを利用できる。
【０２８０】
いくつかの実施形態に示すように、位置検出機器は、ＨｉＢａｌｌ追跡システム、ＧＰＳ機器、ＲＦＩＤ機器、ＲＦセンサ、アンテナ、超音波、ソナー機器、音響位置機器、または一つまたは複数の定置センサの定置の追跡を可能にする信号発信機器などの一つまたは複数の検出機器を含み得る。いくつかの実施形態では、位置検出機器を創傷被覆材に貼り付けることができる。創傷被覆材組立品は、位置検出機器によって追跡することができる。部屋座標系基準は、部屋座標系に対してセンサまたは創傷被覆材の定置を決定するために、位置検出ユニットによって追跡され得る。加えて、または別の方法として、一つまたは複数のセンサまたは創傷被覆材の定置は、データ、創傷、患者の身体部分などの基準点に対して決定され得る。いくつかの実施形態において、創傷被覆材はまた、一つまたは複数の加速度計を含むか、またはそれに連結されてもよく、これは創傷、患者などの移動、位置、および場所などの推定にも使用できる。
【０２８１】
別の例として、位置検出機器は信号発信機器を含み得る。信号発信機器は、無線周波数識別子（ＲＦＩＤ）を含み得る。こうした実施形態では、信号発信機器は、一つまたは複数の追跡ユニットのＧＰＳ座標を使用することができ、または、創傷被覆材、センサなどの定置を決定するために、例えば、一つまたは複数の追跡ユニットに関連付けられたＲＦＩＤによって放射される無線周波数信号の三角測量をすることができる。別の方法としてまたは追加的に、センサパッケージは、センサパッケージがタグに対してその位置および配向を画定することを可能にする患者の上またはその近くに配置された電磁タグ（例えば、ＲＦＩＤタグ）とともにそれ自体を登録し得る。
【０２８２】
別の例として、位置検出機器は、光学センサ、カメラ、またはスキャナーなどの撮像機器を含み得る。これらの例において、撮像機器は、創傷または創傷被覆材に関連付けられたアライメント機能から。情報を読み取り、スキャンし、撮像し、記録しまたは収集することができる。例えば、一つまたは複数のアライメント機能を創傷被覆材の表面上に印刷することができる。撮像機器は、アライメント機能に少なくとも部分的に基づいて、創傷被覆材（または創傷、身体部分など）の位置または配向を決定するように構成され得る。例えば、撮像機器は、アライメント機能を撮像することができ、位置検出機器に対して、アライメント機能または被覆材の角度を決定できる。加えて、または別の方法として、撮像機器は、撮像機器の画像またはビデオの要素の相対的サイズを決定できる。さらに、または別の方法として、撮像機器は、創傷被覆材上のまたはその近傍のアライメント機能の位置または場所を決定することができる。コード、距離、歪み、視差などのアライメント機能の特性に基づき、システムは一つまたは複数のセンサ、関心の点、創傷被覆材、創傷等の定置を決定することができる。決定された定置は、絶対的な定置または、関心領域、創傷、創傷被覆材、センサ、患者の身体部分、またはこれに類するものなどの基準点に対する定置とすることができる。
【０２８３】
別の例として、システムは、基準点の位置または配向に少なくとも部分的に基づいて、創傷または創傷被覆材の位置または配向を決定できる。決定された位置または配向は、絶対位置または、（例えば、創傷、創傷被覆材、物体、または患者の特定の身体部分に対する）相対位置とすることができる。例えば、センサは固定形状またはストリングとすることができる。一つまたは複数のセンサを含むことができる基準点を位置付けることによって、他のセンサの一つまたは複数の定置を決定することができる。言い換えれば、センサ、創傷被覆材、基準点または同種のものとの間の周知の定置関係を利用して、一つまたは複数のセンサ、創傷被覆材などの定置を決定することができる。
【０２８４】
創傷被覆材は、基準点と関連付けることができる。例えば、基準点は創傷被覆材に取り付けるか、埋め込むことができる。さらに、基準点は創傷被覆材または創傷被覆材の一つまたは複数のさまざまなセンサ間の周知の定置関係を持つことができる。例えば、基準点は、一つまたは複数のセンサ（例えば、創傷被覆材内のセンサ）から周知の距離とすることができる。基準点は、定置センサなどのセンサとすることができる。あるいは、基準点は、点、線、平面、孔、孔の組、物体、または他の非センサとすることができる。位置検出機器は、基準点の定置を追跡または決定することができ、少なくとも部分的に基準点の定置に基づき、一つまたは複数の創傷被覆材、一つまたは複数のセンサ、関心領域、または同種の領域の定置を決定することができる。いくつかの事例では、システムは、複数の基準点を含むことができ、位置検出機器は、基準点のそれぞれの定置を追跡または決定できる。
【０２８５】
さらに、または別の方法として、基準点は創傷被覆材から離れることができる。例えば、基準の点は、身体上の既知の位置、身体の一部分から既知の距離、または創傷から周知の距離とすることができる。いくつかの事例では、基準点は位置検出機器とすることができる。基準点は、基準点の位置または配向に対して、創傷被覆材、関心領域、または一つまたは複数のセンサの定置を決定する。例えば、ポイントまたは基準の一つまたは複数または個別のセンサ構成要素は、センサまたは、創傷の上に、周りに、または創傷内の創傷被覆材の定置を理解または記録するために、それらの位置を基準点とともに、登録するように構成され得る。
【０２８６】
いくつかの実施形態では、一つまたは数個のセンサの定置を追跡または決定し、既知の関係は、他の定置データ（例えば、他のセンサ、創傷被覆材、創傷、患者などの定置データ）を決定するために使用される。本明細書に記載されるように、一つまたは複数のセンサは、センサストリング、センサストリップ、センサアレイ、センサマトリクス、または可撓性回路基板などのセンサパッケージに組み込まれうる。別の方法としてまたは追加的に、一つまたは複数のセンサを創傷被覆材または創傷充填材に組み込むことができる。センサパッケージ、創傷被覆材または創傷充填材内のセンサの位置は周知であり、その他のセンサ、創傷位置などの関係が決定され得る。
【０２８７】
陰圧創傷療法（ＮＰＷＴ）システムなどのシステムは、第一のセンサの定置を決定することができ、次に、少なくとも部分的に、第一のセンサの決定された配置、および第一のセンサとその他のセンサ間の既知の関係に基づいて、他のセンサの定置を決定できる。さらに、または別の方法として、システムは、センサパッケージ全体の定置を決定し、センサパッケージの定置データならびに、既知の関係を使用し、センサパッケージ上の一つまたは複数のセンサの定置を決定することができる。
【０２８８】
いくつかの実施形態において、システムは、一つまたは複数のセンサ、センサパッケージ、創傷等の位置または配向を決定するための基準としての役目をする基準点を含み得る。例えば、システムは、基準点の定置または基準点に対する一つまたは複数のセンサの定置を決定することができる。少なくとも部分的に基準点の定置に基づいて、システムは、例えば、基準点または創傷に対する相対的な一つまたは複数のセンサの定置を決定することができる。基準点は、センサ、ポイント、線、平面、孔、孔の組等とすることができる。
【０２８９】
いくつかの実施形態では、複数のセンサまたは全てのセンサの定置を追跡または決定することができる。いくつかの実例では、システムは、本明細書に記述した複数の技術を使用して、各センサの定置を決定することができる（例えば、センサを追跡する、既知の関係に基づいて決定する）。システムは、複数の技術を使用して決定された定置の間に適切に仲裁することができ、また定置が不正確または信頼性のないものと認識されるかどうかを判断できる。
【０２９０】
図５は、いくつかの実施形態による、複数の組み込まれたセンサ５３０またはセンサパッケージを持つ、創傷充填材料５２０（または創傷充填材）を充填した創傷５２２の断面図を示す。創傷充填材料は、創傷を充填するように構成され得る拡張可能な発泡体またはマトリクスを含む本明細書に記述された任意の材料でありうる。創傷充填材料５２０のセンサ５３０は、創傷または患者に関連するその他の生理学的または健康データに関連するデータを提供するために、創傷被覆材（図４Ａ〜４Ｃに関連して説明したものなど）に組み込まれたセンサと併用して利用できる。別の方法として、センサ５３０を排他的に使用して、創傷データを提供することができる。さらに、他の実施例では、センサ５３０は、創傷の外側の一つまたは複数のセンサまたは構成要素と通信できる。
【０２９１】
いくつかの実施形態では、センサ５３０の特定の配置は必要ない。例えば、一つまたは複数のセンサ５３０を創傷充填材料５２０に組み込むことができ、創傷充填材料５２０を創傷に挿入することができる。一つまたは複数のセンサ５３０の位置または配向は、本明細書に記述した方法のうちの一つを使用して決定され得る。いくつかの実施形態では、センサ５３０は、位置または配向が周知であるように、創傷充填材料５２０内に位置付けられる。例えば、センサ５３０はパターンで位置付けることができ、創傷充填材５２０は、創傷充填材が創傷くぼみ５２２に挿入される間に、センサ５３０が移動しないように、一定の一貫性または密度でありうる。
【０２９２】
図６Ａは、いくつかの実施形態による、創傷部６５０内に位置するセンサのストリングまたはストリップ６４０を持つシステムを図示する。一部の実施では、ストリップ６４０の配置は、医師またはその他の有資格者によって配置されるべきであるように、特定の配置を必要とする場合がある。あるいは、ある一定の場合において、ストリップ６４０は、特定の配置を必要としない場合があり、ストリップ６４０は、医師、ナース、介護者、または患者などの任意の個人によって配置され得る。いくつかの実施形態では、センサのストリップ６４０はストリップでなくてもよく、代わりに、別のセンサパッケージまたは複数の個々のまたは結合されたセンサである。
【０２９３】
システムは、皮膚６４２上（例えば、創傷における皮膚）、または創傷被覆材内のような創傷の外部に存在することができる構成要素６４４を含むことができ、センサストリップ６４０と通信できる６４６。いくつかの実施形態では、構成要素６４４の位置または配向は、システムの既知の入力とすることができる。そのため、構成要素６４４の位置、およびセンサストリップ６４０またはストリップの特定のセンサの位置または配向を決定するために利用される。構成要素６４４は、位置検出ユニットまたは本明細書に記載のその他任意の位置決めモジュールまたは場所決めモジュールでありうる。
【０２９４】
センサ、センサパッケージ、創傷被覆材などの位置または配向は、カメラまたはその他の記録機器を使用して決定することができる。例えば、創傷充填またはパッキング材料の充填の前の創傷について、創傷パッキング材料の充填後、またはセンサの配置後、または創傷被覆材の配置後、一つまたは複数の写真またはビデオを撮影し得る。画像は、センサ、創傷被覆材などの配向が、配置後に計算されることを可能にすることができる。いくつかの実施形態では、創傷または被覆材の画像を利用して、創傷被覆材のセンサからの出力したデータに対しデータ完全性を決定または割り当てることができる。
【０２９５】
図６Ｂは、いくつかの実施形態による、創傷部６５０内に位置するセンサのストリングまたはストリップ６４０を持つシステムを図示する。さらに、図６Ｂは、基準点６６０（データポイントとして言及される場合もある）および関心領域６７０を示す。
【０２９６】
基準点６６０は、一つまたは複数の定置センサなどのセンサを含み得る。さらに、または別の方法として、基準点６６０はセンサでなくてもよい。例えば、基準点６６０は、受動的なデータであり得る。いくつかの事例では、基準点６６０に関連付けられた情報は、各センサの位置を決定できるように、共参照または相互参照することができる。例えば、個別のセンサ構成要素の一つまたは複数は、創傷の上またはその内部の位置を理解または記録するために、相互に対して、それらの位置を登録するように構成され得る。いくつかの事例では、基準点６６０は既知の関係を有することができる。例えば、基準点６６０は、一つまたは複数のセンサ（例えば、創傷被覆材内のセンサ）から周知の距離とすることができる。さらに、または別の方法として、基準点６６０は、身体の一部分からの周知の距離、または身体上の特定の位置、または創傷被覆材上であり得る。
【０２９７】
いくつかの事例では、システムは、基準点の位置または配向に少なくとも部分的に基づいて、創傷または創傷被覆材の位置または配向を決定できる。決定された位置または配向は、絶対位置または、（例えば、創傷、創傷被覆材、物体、または患者の特定の身体部分に対する）相対位置とすることができる。例えば、センサは固定形状またはストリングとすることができる。一つまたは複数のセンサを含むことができる基準点を位置付けることによって、他のセンサの一つまたは複数の定置を決定することができる。言い換えれば、センサ、創傷被覆材、基準点または同種のものとの間の周知の定置関係を利用して、一つまたは複数のセンサ、創傷被覆材などの定置を決定することができる。
【０２９８】
いくつかの実施形態では、システムは、創傷６５０と関連付けられ得る関心領域６７０を監視できる。例えば、関心領域６７０は、創傷６５０の周辺の一部の創傷６５０の一部でありうる。関心領域６７０は、時間の特定の瞬間（例えば、単一の測定）または期間（例えば、多数の測定）で監視され得る。例えば、創傷６５０の治癒時間の期間全体を通して、関心領域６７０を監視することが有利でありうる。
【０２９９】
しかしながら、いくつかの事例では、創傷の治癒期間全体を通して、複数の被覆材またはセンサシステムの変化が予想される。例えば、創傷被覆材は数日ごとに変更される場合があり、創傷は治癒におよそ４週間かかる場合がある。従って、有利なことに、創傷被覆材が、関心領域６７０に対してどのように位置するかを決定することが有利であり得る。例えば、どのセンサが関心領域６７０に対応するか（例えば、計測する）を決定することが有利でありうる。
【０３００】
システムは、例えば、創傷６５０または基準点６６０に対して、創傷被覆材の位置または配向を決定することができる。例えば、創傷被覆材（またはそのセンサ）が関心領域に対してどこであるかを追跡または決定することによって、システムは、どのセンサが関心領域６７０の近位であるかを決定できる（例えば、それに対してまたはそれから測定する）。基準点６６０は、一つまたは複数のセンサ、センサパッケージ、創傷等の位置または配向を決定するための基準としての役割を果たし得る。例えば、システムは、基準点６６０の定置または、基準点６６０に対して一つまたは複数のセンサまたは創傷被覆材の定置を決定することができる。決定された定置に少なくとも部分的に基づいて、システムは、あるとすれば、どのセンサが関心領域６７０に対応するかを判定できる。従って、システムは、創傷被覆材またはセンサの位置または配向を決定することによって、治癒期間全体を通して関心領域６７０を監視できる。
【０３０１】
アライメント機能
図７は、創傷被覆材１００の位置または配向を決定するためのモニタリングまたは治療システム７００を示す。システムは、創傷被覆材１００および位置検出機器７６０を含むことができる。いくつかの事例では、システム７００はＮＰＷＴシステムでありうる。図示するように、アライメント機能７６４は、創傷被覆材１００と関連付けられ得る。位置機器７６０は、アライメント機能７６４に少なくとも部分的に基づいて、創傷被覆材（または創傷、身体部分など）の位置または配向を決定するように構成され得る。
【０３０２】
アライメント機能７６４は、英数字またはその他のコード、標準または不規則形状、またはその他の個別のマーキング（例えば、ベースライン形状と呼ばれる）を含むがこれに限定されない、本明細書に記述されたアライメント機能のいずれかを含み得る。例えば、スターバースト（Ｓｍｉｔｈ＆Ｎｅｐｈｅｗのロゴなど）を数字で使用することができる。さらに、既知のアスペクト比を有する任意の標準形状は、ベースライン形状に使用可能でありうる。一つまたは複数のアライメント機能７６４を、創傷被覆材１００の表面上に印刷することができる。ただし、アライメント機能７６４は、さまざまな方法で創傷被覆材１００と関連付けられ得ることが理解されよう。
【０３０３】
位置検出機器７６０（または関連するプロセッサ）は、創傷被覆材１００、創傷等の位置または配向を決定できる。例えば、位置検出機器７６０は、光学センサ（例えば、赤色、緑色、青色、および透明（ＲＧＢＣ）センサまたは赤色、青緑色、および白色（ＲＧＢＷ）センサ）、カメラまたはスキャナーを含むことができ、位置検出機器７６０はアライメント機能７６４の特性を読み取るまたは決定できる。
【０３０４】
位置検出機器７６０は、アライメント機能７６４から情報を読み取り、スキャンし、または収集することができる。例えば、位置検出機器７６０は、位置検出機器７６０またはビーム７６２（スキャンビームなど）に対して、アライメント機能７６４または被覆材１００の角度を決定できる。さらに、または別の方法として、位置検出機器７６０は、位置検出機器７６０の画像またはビデオで要素の相対的サイズを決定できる。さらに、または別の方法として、位置検出機器７６０は、創傷被覆材１００上のアライメント機能７６４の位置を決定することができる。
【０３０５】
いくつかの実施形態では、一つまたは複数の他の特性を決定するために、アライメント機能７６４の一つまたは複数の特性を使用することができる。例えば、位置検出機器７６０に対するアライメント機能７６４の角度は、位置検出機器７６０の画像またはビデオ内の要素の相対的サイズに少なくとも部分的に基づいて識別され得る。例えば、要素の歪みまたは視差を使用して角度を決定することができる。
【０３０６】
アライメント機能７６４は、さまざまなインクを用いて形成されるか、またはそれを使用して配置され得る。例えば、アライメント機能７６４は、限定されない、ｐＨ感受性染料、ｐＨ感受性顔料等のｐＨ感受性インクを含み得る。ｐＨ感受性インクは、例えば、インクと接触する溶液に基づいて、色を変えるように構成され得る。従って、いくつかの事例では、創傷流体はインクを特定の色に変化させうる。ｐＨ感受性インクに加えて、またはその代わりに、非ｐＨ感受性インクなどの他の物質を利用することができる。幾つかの実施では、複数のマーキングを使用することができる。
【０３０７】
いくつかの実施形態では、アライメント機能７６４は、３Ｄマップなどの創傷被覆材１００のモデルを決定するために使用される。例えば、アライメント機能７６４の３Ｄ配向は、既知の形状の斜視ショートニングによって識別され得る。正方形は、例えば、カメラから傾斜している場合には台形として表現され得る。従って、いくつかの実施形態では、アライメント機能７６４の位置、形状、配向、またはサイズが知られている場合、位置検出機器、患者または別の物体からのアライメント機能７６４の位置、三次元の角度、または距離を計算できる。従って、被覆材形状の３Ｄマップは、アライメント機能７６４の角度および位置などの既知の点間の補間によって生成され得る。この３Ｄモデリングは、ｐＨインクも組み込むアライメント機能７６４と併用することもできる。例えば、３Ｄマップは、ｐＨ素子の位置または色から決定することができる。
【０３０８】
加えて、または別の方法として、アライメント機能７６４を利用して、創傷被覆材１００の圧縮を決定することができる。例えば、アライメント機能７６４の３Ｄ配向、角度、サイズ、形状、またはこれに類するものを識別することができ、この情報からは、創傷被覆材１００の圧縮を決定できる。例えば、小さな形状、特定の角度、破損した形状、またはこれに類するものは、創傷被覆材１００が圧縮されていることを示す。
【０３０９】
いくつかの実施形態では、例えば、創傷を測定、評価、または治療するために、ｐＨセンサを利用することができる。例えば、いくつかの実施形態では、ｐＨ感受性インクを利用して、光学センサをｐＨセンサに変換することができる。例えば、ｐＨ感受性インクは、検出プラットフォームの光学センサなどの光学構成要素に配置または印刷できるｐＨ感受性接着物質を形成するために、接着発泡体またはゲルなどの接着物質に組み込むことができる。検出プラットフォームの残りの部分は、透明または半透明の接着剤で被覆され得る。
【０３１０】
ｐＨ感受性インクを接着物質と組み合わせてｐＨ感受性接着物質を生成することによって、ｐＨ感受性接着物質は、ｐＨ感受性インクの厚さを効果的に増加させる（ｐＨ感受性インク自体の層の厚さと比較して）。従って、ｐＨ感受性接着物質は、より大きな信号対ノイズ比に対してより大きな色デルタを提供する。従って、光学センサ上にｐＨドープ接着剤を印刷し、色応答テーブルを利用するだけで、ほとんど任意の光学センサをｐＨセンサに変えることができる。
【０３１１】
ｐＨ感受性インクは、さまざまな技術を用いて接着発泡体に組み込まれうる。例えば、ｐＨ感受性インクを混合前に未加工の発泡体材料に加えることができる。別の方法として、接着発泡体はｐＨ感受性インクに浸され得る。同様に、ｐＨ感受性インクは、さまざまな技術を用いて接着ゲルに組み込まれうる。例えば、ｐＨ感受性インクを単に接着ゲルと混合することができる。
【０３１２】
いくつかの実施形態では、ｐＨ変化パッドは、創傷環境のｐＨ変化に応答して色を変化させるように構成されたｐＨセンサとして使用できる。次に、色の変化を光学的に測定し、評価することができる。例えば、分光計、および広帯域の白色光源は、ｐＨ染料のスペクトル応答を測定するように使用され得る。照明および撮像は、創傷と接触している創傷被覆材の表面上と、流体適用と同じ側面にある最下表面上とに提供され得る。代替として、いくつかの実施形態では、照明および撮像源は、最下表面に対向し、流体適用から離れた創傷被覆材の表面、または被覆材の最上表面上に提供され得る。
【０３１３】
いくつかの実施形態において、ｐＨセンサは発泡体または環境のｐＨに応じてスペクトル吸収を変化させることができるその他の膨張材料を含む。有利なことに、発泡体は創傷被覆材または創傷パッキング材料に統合され得る。
【０３１４】
いくつかの実施形態では、ｐＨセンサは、ｐＨセンサがｐＨ感受性領域にわたる滲出液の流れをより効果的に流すように構成された組み込み滲出液チャネリングシステムも持ち得る。
【０３１５】
用語
いくつかの事例では、一つまたは複数のセンサを、基材または層上の特定の位置に位置付けることができる。色マーカーなどのマーカーは、どの方法が一つまたは複数のセンサが創傷内に位置付けられるかをユーザーに案内するために含めることができる。
【０３１６】
実施形態によっては、本明細書に記載されるプロセスのいずれかの特定の操作、作用、事象、または機能は、異なる順序で実施され得、また全体として、（プロセスの実践に必要なもの等）、追加、融合、または除外され得る（例えば、本プロセスの実践に全てが必要となるわけではない）。さらに、特定の実施形態では、動作、作用、機能、または事象は、例えば、マルチスレッド処理、割込処理、または複数のプロセッサもしくはプロセッサコアを通じて、または他のパラレルアーキテクチャー上で、シーケンシャルにではなく、同時に実行することができる。
【０３１７】
図示されたシステムのさまざまな構成要素の処理は、複数の機械、ネットワーク、およびその他の演算リソースにわたって分配され得る。さらに、システムの二つ以上の構成要素を、より少ない構成要素に組み合わせることができる。図示されたシステムのさまざまな構成要素を、専用コンピュータハードウェアシステムおよび／またはコンピューティング装置ではなく、一つまたは複数の仮想マシンに実装することができる。同様に、示されるデータレポジトリは、例えば、記憶エリアネットワークまたはその他の分散型記憶システムを含む、物理的および／または論理的データ保存を表すことができる。さらに、いくつかの実施形態では、図示した構成要素間の接続は、ハードウェア間の実際の接続ではなく、データフローの可能な経路を表す。可能な接続のいくつかの実施例が示されているが、図示された構成要素のサブセットのいずれかは、さまざまな実施の構成要素のその他任意のサブセットと通信できる。
【０３１８】
添付の出願書類に記載されている可能性のあるものを含む、上記の特許および用途およびその他の参考文献は、参照により本明細書に組み込まれる。開示の態様は本明細書に記載のさまざまな参照のシステム、機能、概念を使用して、もし必要な場合、変更し、さらなる実施を提供することができる。
【０３１９】
特定の態様、実施形態、または実施例に関連して説明される特性、物質、特徴、または群は、本明細書に記載される他の任意の態様、実施形態、または実施例に、これらと両立できないことがない限り、適用可能であることを理解されたい。本明細書（添付の特許請求の範囲、要約書および図面のいずれをも含む）に開示する特徴の全て、または同様に開示するいずれの方法もしくは過程のステップの全ては、そのような特徴またはステップの少なくとも一部が、互いに排他的である組み合わせを除き、いかなる組み合わせで組み合わせられてもよい。本発明の保護するものは、前述の任意の実施形態の詳細に限定されない。保護するものは、本明細書（添付の任意の特許請求の範囲、要約書、および図面を含む）において開示される特徴のうちの任意の新規なもの、もしくは任意の新規な組み合わせにおよび、または同様に開示される任意の方法またはプロセスのステップのうちの任意の新規なもの、もしくは任意の新規な組み合わせに及ぶ。
【０３２０】
特定の実施形態が説明されてきたが、これらの実施形態は、単に例として提示されており、保護範囲を限定することを意図するものではない。実際、本明細書に記載の新規な方法およびシステムは、さまざまな他の形態で具現化され得る。さらに、本明細書に記載の方法およびシステムの形態において、さまざまな省略、置換、および変形がなされ得る。いくつかの実施形態において、図示または開示されたプロセスにおいて実施される実際のステップは、図に示されたステップとは異なりうることを、当業者は認識するであろう。実施形態によっては、上述したステップのうちの特定のステップが除去される場合があり、別のものが加えられる場合もある。例えば、開示されるプロセスで実施される実際のステップまたはステップの順序は、図で示したものとは異なっていてもよい。実施形態によっては、上述したステップのうちの特定のステップが除去される場合があり、別のものが加えられる場合もある。例えば、図に示したさまざまな構成要素が、プロセッサ、コントローラ、ＡＳＩＣ、ＦＰＧＡ、または専用ハードウェア上のソフトウェアまたはファームウェアとして実装され得る。プロセッサ、ＡＳＩＣ、ＦＰＧＡ等のハードウェア構成要素には論理回路が含まれ得る。さらに、上記に開示された特定の実施形態の特徴および特性は、さまざまな方法で組み合わせることができ、さらなる実施形態を形成することができるが、その全てが本開示の範囲内に収まることになる。
【０３２１】
本開示には、特定の実施形態、実施例、および用途が含まれるが、本開示は、具体的に開示された実施形態の範囲を超えて、他の代替の実施形態または使用ならびにその明らかな変更形およびその等価物にまでおよび、これには本明細書に記載された特徴および利点の全てを提供しているとは限らない実施形態が含まれることは、当業者に理解されるであろう。従って、本開示の範囲は、記述された実施形態によって限定されることを意図するものではなく、本明細書に提示されるまたはこの後に提示される特許請求の範囲によって定義され得る。
【０３２２】
「し得る（ｃａｎ）」、「できる（ｃｏｕｌｄ）」、「可能性がある（ｍｉｇｈｔ）」、または「場合がある（ｍａｙ）」などの条件付き言い回しは、別途具体的に記載されない限り、または使用される文脈の範囲内で別途解釈されない限り、特定の実施形態が、特定の特徴、要素、またはステップを含む一方で、他の実施形態は含まないということの伝達を意図するのが通例である。従って、こうした条件付き言い回しは、特徴、要素、またはステップが一つまたは複数の実施形態に多少なりとも必要とされるという示唆、またはこれらの特徴、要素、もしくはステップが特定の任意の実施形態に含まれているかどうか、もしくは該実施形態で実施されるべきかどうかを、ユーザー入力または命令の有無にかかわらず決定するためのロジックが、一つまたは複数の実施形態に必然的に含まれているという示唆を必ずしも意図するものではない。「備える（ｃｏｍｐｒｉｓｉｎｇ）」、「含む（ｉｎｃｌｕｄｉｎｇ）」、および「有する（ｈａｖｉｎｇ）」等の用語は、同義語であり、包含的に非限定様式で用いられ、追加の要素、特徴、行為、および動作等を排除するものではない。また、用語「または（ｏｒ）」は、包括的な意味で（排他的な意味ではなく）用いられることで、例えば要素の列記をつなぐのに使用される場合、列記の要素のうちの一つ、一部、または全てを意味することになる。同様に、「および（ａｎｄ）／または（ｏｒ）」という用語は、二つ以上の項目の列挙に関して、言葉の以下の解釈の全て：列挙内の項目も任意の一つ、列挙内の全ての項目、および列挙内の項目の任意の組み合わせ、を網羅する。さらに、用語「各々」は、本明細書で使用される場合、通常の意味を有するのに加えて、用語「各々」が適用されている一連の要素の任意のサブセットも意味し得る。さらに、本明細書で使用される場合、「本明細書での（ｈｅｒｅｉｎ）」、「上記（ａｂｏｖｅ）」、「下記（ｂｅｌｏｗ）」および類似する言葉は、本出願で使用される場合、本明細書の全体を指し、本明細書の特定の部分を指すものではないことを意味する。
【０３２３】
語句「Ｘ、Ｙ、およびＺのうちの少なくとも一つ」などの連言的言い回しは、別途具体的に記載されない限り、ある項目や用語などが、Ｘか、Ｙか、Ｚのいずれかであり得ることを伝えるのに一般的に用いられる文脈とともに、別途解釈されるものである。従って、こうした連言的言い回しは、特定の実施形態が、少なくともＸのうちの一つと、少なくともＹのうちの一つと、少なくともＺのうちの一つとを含むことを必要とするという示唆を必ずしも意図するものではない。
【０３２４】
本明細書で使用される「およそ」、「約」、「概して」、および「実質的に」という用語などの、本明細書で使用される程度を表す言い回しは、所望の機能を依然として果たすかまたは所望の結果をもたらす所定の値、量、または特性に近い値、量、または特性を表すものである。例えば、「およそ」、「約」、「概して」、および「実質的に」という用語は、所定の量の１０％未満以内、５％未満以内、１％未満以内、０．１％未満以内、および０．０１％未満以内の量を意味し得る。別の例として、特定の実施形態において、「概して平行」および「実質的に平行」という用語は、丁度平行である状態から１５度以下、１０度以下、５度以下、３度以下、１度以下、または０．１度以下ずれている値、量、または特性を意味する。
【０３２５】
本明細書に記載の実施形態のいずれも、キャニスタあり、または、キャニスタなしで使用することができる。本明細書に記載される被覆材実施形態のいずれかも、創傷滲出液を吸収および保存することができる。
【０３２６】
本開示の範囲は、特定の実施形態の説明によって制限されることは意図されておらず、請求項によって定義され得る。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
【図１Ａ】
2020524544.tif 000004
【図１Ｂ】
2020524544.tif 000005
【図１Ｃ】
2020524544.tif 000006
【図１Ｄ】
2020524544.tif 000007
【図１Ｅ】
2020524544.tif 000008
【図１Ｆ】
2020524544.tif 000009
【図１Ｇ】
2020524544.tif 000010
【図２】
2020524544.tif 000011
【図３Ａ】
2020524544.tif 000012
【図３Ｂ−１】
2020524544.tif 000013
【図３Ｂ−２】
2020524544.tif 000014
【図３Ｃ】
2020524544.tif 000015
【図３Ｄ】
2020524544.tif 000016
【図３Ｅ−１】
2020524544.tif 000017
【図３Ｅ−２】
2020524544.tif 000018
【図３Ｅ−３】
2020524544.tif 000019
【図４】
2020524544.tif 000020
【図５】
2020524544.tif 000021
【図６Ａ】
2020524544.tif 000022
【図６Ｂ】
2020524544.tif 000023
【図７】
2020524544.tif 000024
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
創傷と接触して位置付けられるように構成された創傷被覆材であって、複数の創傷特性を測定するように構成された複数のセンサを含む、創傷被覆材と、
一つまたは複数のプロセッサを含むコントローラであって、前記複数のセンサの少なくとも一部と通信し、
基準点の位置または配向に関連付けられた定置データを受信し、
前記受信した定置データに少なくとも部分的に基づいて、前記創傷に対する前記少なくとも一つの基準点の位置および／または配向を決定し、
前記少なくとも一つの基準点の前記決定された位置および／または配向に少なくとも部分的に基づいて、前記複数のセンサの第一のセンサの前記創傷の位置および／または配向を決定し、
前記複数のセンサの前記第一のセンサの前記位置および／または配向を、前記複数のセンサの前記第一のセンサの前記創傷の正しい位置および／または配向を示す閾値定置データと比較し、
少なくとも前記比較に基づいて、前記複数のセンサの前記第一のセンサが前記創傷内に正しく位置付けられるという表示を提供するように、さらに構成されたコントローラとを含む、創傷モニタリングおよび／または治療システム。
【請求項２】
前記複数のセンサが、少なくとも一つのナノセンサ、サーミスタ、伝導度センサ、Ｓｐ０２センサ、ｐＨセンサ、色センサ、光学センサ、インピーダンスセンサ、または電極を含む、請求項１に記載のシステム。
【請求項３】
前記光学センサが、赤、緑、青、および透明（ＲＧＢＣ）センサまたは赤、緑青、および白（ＲＧＢＷ）センサのうちの少なくとも一つを含む、請求項２に記載のシステム。
【請求項４】
前記第一のセンサが、前記定置データを検出するように構成された定置センサ以外のセンサである、請求項１〜３のいずれかに記載のシステム。
【請求項５】
前記第一のセンサが、前記定置データを検出するように構成された定置センサである、請求項１〜４のいずれかに記載のシステム。
【請求項６】
前記定置データを検出するように構成された定置センサをさらに備え、前記定置センサが、外部ビデオカメラまたは無線周波数（ＲＦ）センサのうち少なくとも一つを備える、請求項３または４のいずれかに記載のシステム。
【請求項７】
前記定置データを検出するよう構成された定置センサをさらに備え、前記定置センサが前記創傷被覆材に埋め込まれている、請求項３または４のいずれかに記載のシステム。
【請求項８】
前記基準点が、前記定置データを検出するように構成された定置センサの位置または配向に対応する、請求項１〜７のいずれかに記載のシステム。
【請求項９】
前記基準点が、前記創傷被覆材から離れた位置に対応する、請求項１〜８のいずれかに記載のシステム。
【請求項１０】
前記コントローラが、少なくとも前記受信した定置データおよび、前記創傷被覆材および／または第一および第二のセンサの前記創傷の位置および／または配向の間の関係に基づき、前記複数のセンサの第二のセンサの前記創傷の位置および／または配向を決定するように、さらに構成される、請求項１〜９のいずれかに記載のシステム。
【請求項１１】
前記関係が、第一のセンサと第二のセンサとの間の少なくとも既知の位置および／または配向オフセットを含む、請求項１０に記載のシステム。
【請求項１２】
前記複数のセンサの少なくとも一部が、互いに通信および／または共登録するよう構成され、前記コントローラが、共登録データに基づいてさらに前記表示を提供するよう構成されている、請求項１〜１１のいずれかに記載のシステム。
【請求項１３】
前記複数のセンサの少なくとも一つが、調節可能センサ設定で構成され、前記調節可能センサ設定が、少なくとも部分的に前記受信した定置データに基づいて調整されるように構成されている、請求項１〜１２のいずれかに記載のシステム。
【請求項１４】
前記創傷被覆材が、前記創傷に陰圧を伝達するように構成されている、請求項１〜１３のいずれかに記載のシステム。
【請求項１５】
請求項１４に記載のシステムおよび前記創傷被覆材に流体接続されるよう構成される陰圧源を含む、キット。
【請求項１６】
複数の創傷特性を測定するよう構成された複数のセンサを含む創傷被覆材を含む、創傷モニタリングおよび／または治療システムを操作する方法であって、
少なくとも一つの基準点に関連付けられた定置データを受信することと、
少なくとも部分的に前記受信した定置データに基づいて、前記複数のセンサの第一のセンサの位置および／または配向を決定することと、
前記複数のセンサの前記第一のセンサの前記位置および／または配向を、前記複数のセンサの前記第一のセンサの前記創傷の正しい位置および／または配向を示す閾値定置データと比較することと、
少なくとも部分的に前記比較に基づいて、前記複数のセンサの前記第一のセンサが前記創傷内に正しく位置付けられているという表示を提供することと、を含み、
前記方法が、前記創傷モニタリングおよび／または治療システムのコントローラによって実施される、方法。
【請求項１７】
前記複数のセンサが、少なくとも一つのナノセンサ、サーミスタ、伝導度センサ、Ｓｐ０２センサ、ｐＨセンサ、色センサ、光学センサ、インピーダンスセンサ、前記定置データを検出するように構成された定置センサ、または電極を含む、請求項１６に記載の方法。
【請求項１８】
前記第一のセンサが、定置センサ以外のセンサである、請求項１６〜１７のいずれかに記載の方法。
【請求項１９】
前記第一のセンサが、前記定置データを検出するように構成された定置センサである、請求項１６〜１８のいずれかに記載の方法。
【請求項２０】
前記基準点が、前記定置データを検出するように構成された定置センサの位置または配向に対応する、請求項１６〜１９のいずれかに記載の方法。
【請求項２１】
前記基準点が、前記創傷被覆材から離れた位置に対応する、請求項１６〜２０のいずれかに記載の方法。
【請求項２２】
少なくとも前記受信した定置データ、ならびに前記創傷被覆材および／または第一および第二のセンサの前記創傷の位置および／または配向との間の関係に基づいて、前記複数のセンサの第二のセンサの前記創傷の位置および／または配向を決定することをさらに含む、請求項１６〜２１のいずれかに記載の方法。
【請求項２３】
前記関係が、第一のセンサと第二のセンサとの間の少なくとも既知の位置および／または配向オフセットを含む、請求項２２に記載の方法。
【請求項２４】
前記複数のセンサの少なくとも一部が、互いに通信および／または共登録するように構成され、前記方法がさらに、共登録データに基づいて前記表示を提供することを含む、請求項１６〜２３のいずれかに記載の方法。
【請求項２５】
前記複数のセンサの少なくとも一つが、調節可能センサ設定で構成され、前記方法が、前記調節可能センサ設定を、少なくとも部分的に前記受信した定置データに基づいて調整することを含む、請求項１６〜２４のいずれかに記載の方法。
【請求項２６】
陰圧を前記創傷に伝達することをさらに含む、請求項１６〜２５のいずれかに記載の方法。
【請求項２７】
創傷と接触して位置づけられるように構成された創傷被覆材であって、創傷被覆材は、複数の創傷特性を測定するように構成された複数のセンサを含み、少なくとも一つのアライメント機能は、創傷被覆材の位置および／または配向に関連付けられる、創傷被覆材と、
センサおよび一つまたは複数のプロセッサを含むコントローラを備える位置検出機器であって、前記コントローラが、前記センサと通信し、
少なくとも部分的に前記センサから受信したデータに基づいて、前記少なくとも一つのアライメント機能の位置および／または配向を決定し、
前記少なくとも一つのアライメント機能の前記決定された位置および／または配向に少なくとも部分的に基づいて、前記創傷被覆材の前記複数のセンサから、少なくとも一つのセンサの前記創傷の位置および／または配向を決定し、
前記創傷に対する前記複数のセンサからの前記少なくとも一つのセンサの前記位置の状態の表示を提供するようにさらに構成された、位置検出機器と、を含む、創傷モニタリングおよび／または治療システム。
【請求項２８】
前記少なくとも一つのアライメント機能がマーキングを含む、請求項２７に記載のシステム。
【請求項２９】
前記マーキングが前記創傷被覆材上に位置付けられる、請求項２８に記載のシステム。
【請求項３０】
前記マーキングが、前記創傷の周辺上またはその近くに位置付けられる、請求項２８に記載のシステム。
【請求項３１】
前記マーキングがｐＨ感受性インクを含む、請求項２８〜３０のいずれかに記載のシステム。
【請求項３２】
前記ｐＨ感受性インクが、ｐＨ感受性インク、染料、または顔料のうちの少なくとも一つを含み、かつ創傷環境のｐＨ変化に応答して色を変化させるように構成されている、請求項３１に記載のシステム。
【請求項３３】
前記位置検出機器の前記コントローラが、前記ｐＨ感受性インクの色の変化を測定するようにさらに構成されている、請求項３２に記載のシステム。
【請求項３４】
前記位置検出機器の前記センサが、光ｐＨセンサまたはスキャナーの少なくとも一つを備える、請求項２７〜３３のいずれかに記載のシステム。
【請求項３５】
前記位置検出機器の前記センサから受信した前記データは、前記位置検出機器に対する前記少なくとも一つのアライメント機能の角度、前記位置検出機器のスキャンビームの軌道に対する前記少なくとも一つのアライメント機能の角度、前記少なくとも一つのアライメント機能と前記位置検出機器との間の距離、前記少なくとも一つのアライメント機能に対応するサイズ、前記少なくとも一つのアライメント機能に対応する歪み、または前記少なくとも一つのアライメント機能に対応する視差の角度量のうちの少なくとも一つを含む、請求項２７〜３４のいずれかに記載のシステム。
【請求項３６】
前記少なくとも一つのアライメント機能が、バーコード、数字、文字、英数字コード、標準形状、不規則形状、またはロゴのうち少なくとも一つを含む、請求項２７〜３５のいずれかに記載のシステム。
【請求項３７】
前記創傷に対する前記少なくとも一つのアライメント機能の前記位置および／または配向は、前記創傷の前記複数のセンサの少なくとも一つのセンサの深さ、前記創傷の一部分からの前記少なくとも一つのセンサの距離、前記少なくとも一つのセンサの配向、または前記創傷上の前記少なくとも一つのセンサの位置のうち少なくとも一つを含む、請求項２７〜３６のいずれかに記載のシステム。
【請求項３８】
前記少なくとも一つのアライメント機能が値と関連付けられ、前記値が平坦な被覆材に対して前記少なくとも一つのアライメント機能のベースライン位置を識別できる、請求項２７〜３７のいずれかに記載のシステム。
【請求項３９】
前記少なくとも一つのアライメント機能が二つのアライメント機能を備える、請求項２７〜３８のいずれかに記載のシステム。
【請求項４０】
前記状態が、前記少なくとも一つのセンサが前記創傷内に正しく位置付けられているという表示を含む、請求項２７〜３９のいずれかに記載のシステム。
【請求項４１】
前記状態が、前記少なくとも一つのセンサが前記創傷内に正しく位置付けられていないという表示を含む、請求項２７〜４０のいずれかに記載のシステム。
【請求項４２】
複数の創傷特性を測定するように構成された複数のセンサと、前記創傷被覆材の上に位置付けられたマーキングとを含む創傷被覆材を含む、創傷モニタリングおよび／または治療システムを操作する方法であって、
位置検出機器から、基準点の位置または配向に関連付けられた定置データを受信し、前記創傷被覆材は、患者の創傷と接触し、複数の創傷特性を測定するように構成された複数のセンサを含むように受信することと、
前記受信した定置データに少なくとも部分的に基づいて、前記創傷に対する前記少なくとも一つの基準点の位置および／または配向を決定することと、
前記少なくとも一つの基準点の前記決定された位置および／または配向に少なくとも部分的に基づいて、前記創傷被覆材の前記複数のセンサから第一のセンサの前記創傷の位置および／または配向を決定することと、
前記少なくとも一つのセンサの前記創傷の前記位置および／または配向の状態を示すことと、を含む、方法。
【請求項４３】
前記複数のセンサが、少なくとも一つのナノセンサ、サーミスタ、伝導度センサ、Ｓｐ０２センサ、ｐＨセンサ、色センサ、光学センサ、インピーダンスセンサ、または電極を含む、請求項４２に記載の方法。
【請求項４４】
前記光学センサが、赤、緑、青、および透明（ＲＧＢＣ）センサまたは赤、緑青、および白（ＲＧＢＷ）センサのうちの少なくとも一つを含む、請求項４３に記載の方法。
【請求項４５】
前記第一のセンサが、前記定置データを検出するように構成された定置センサ以外のセンサである、請求項４２〜４４のいずれかに記載の方法。
【請求項４６】
前記第一のセンサが、前記定置データを検出するように構成された定置センサである、請求項４２〜４４のいずれかに記載の方法。
【請求項４７】
前記定置センサが、外部ビデオカメラまたは無線周波数（ＲＦ）センサのうち少なくとも一つを備える、請求項４５〜４６のいずれかに記載の方法。
【請求項４８】
前記定置センサが前記創傷被覆材に埋め込まれている、請求項４５〜４７のいずれかに記載の方法。
【請求項４９】
前記基準点が、前記定置データを検出するように構成された定置センサの位置または配向に対応する、請求項４２〜４８のいずれかに記載の方法。
【請求項５０】
前記基準点が、前記創傷被覆材から離れた位置に対応する、請求項４２〜４９のいずれかに記載の方法。
【請求項５１】
少なくとも前記創傷被覆材および／または第一および第二のセンサの前記創傷の位置および／または配向との間の関係に基づいて、前記複数のセンサの第二のセンサの前記創傷の位置および／または配向を決定することをさらに含む、請求項４２〜５０のいずれかに記載の方法。
【請求項５２】
前記関係が、第一のセンサと第二のセンサとの間の少なくとも既知の位置および／または配向オフセットを含む、請求項５１に記載の方法。
【請求項５３】
前記複数のセンサの少なくとも一部が、互いに通信および／または共登録するように構成されており、前記方法が、共登録データに基づいて前記表示を提供することをさらに含む、請求項４２〜５２のいずれかに記載の方法。
【請求項５４】
前記複数のセンサの少なくとも一つが、調節可能センサ設定で構成され、方法が、前記調節可能センサ設定を、前記受信した定置データに少なくとも部分的に基づいて調整することをさらに含む、請求項４２〜５３のいずれかに記載の方法。
【請求項５５】
前記創傷被覆材が前記創傷に陰圧を伝達するように構成される、請求項４２〜５４のいずれかに記載の方法。
【請求項５６】
前記位置検出機器のセンサが、光ｐＨセンサまたはスキャナーの少なくとも一つを備える、請求項４２〜５５のいずれかに記載の方法。
【請求項５７】
少なくとも一つのアライメント機能が、前記創傷被覆材の位置および／または配向と関連付けられている、請求項４２〜５６のいずれかに記載の方法。
【請求項５８】
前記位置検出機器から受信した前記定置データは、前記位置検出機器に対する前記少なくとも一つのアライメント機能の角度、前記位置検出機器のスキャンビームの軌道に対する前記少なくとも一つのアライメント機能の角度、前記少なくとも一つのアライメント機能と前記位置検出機器との間の距離、前記少なくとも一つのアライメント機能に対応するサイズ、前記少なくとも一つのアライメント機能に対応する歪み、または前記少なくとも一つのアライメント機能に対応する視差の角度量のうちの少なくとも一つを含む、請求項５７に記載の方法。
【請求項５９】
前記少なくとも一つのアライメント機能が、バーコード、数字、文字、英数字コード、標準形状、不規則形状、またはロゴのうち少なくとも一つを含む、請求項５７〜５８のいずれかに記載の方法。
【請求項６０】
前記創傷に対する前記少なくとも一つのアライメント機能の前記位置および／または配向が、前記創傷内の前記少なくとも一つのセンサの深さ、前記創傷の一部分からの前記少なくとも一つのセンサの距離、前記少なくとも一つのセンサの配向、または前記創傷上の前記少なくとも一つのセンサの位置のうち少なくとも一つを含む、請求項５７〜５９のいずれかに記載の方法。
【請求項６１】
前記少なくとも一つのアライメント機能が値と関連付けられ、前記値が平坦な被覆材に対して前記アライメント機能のベースライン位置を識別できる、請求項５７〜６０のいずれかに記載の方法。
【請求項６２】
前記アライメント機能がｐＨ感受性インクを含む、請求項５７〜６０のいずれかに記載の方法。
【請求項６３】
前記ｐＨ感受性インクが、創傷環境のｐＨ変化に応答して色を変化させるように構成されている、請求項６２に記載の方法。
【請求項６４】
前記ｐＨ感受性インクの色の変化を測定することをさらに含む、請求項６２〜６３のいずれかに記載の方法。
【請求項６５】
前記少なくとも一つのアライメント機能が二つのマーキングを含む、請求項５７〜６４のいずれかに記載の方法。
【請求項６６】
前記状態を示すことが、前記少なくとも一つのセンサが前記創傷内に正しく位置付けられていることを示すことをさらに含む、請求項４２〜６５のいずれかに記載の方法。
【請求項６７】
前記状態を示すことが、前記少なくとも一つのセンサが前記創傷内に正しく位置付けられていないことを示すことをさらに含む、請求項４２〜６６のいずれかに記載の方法。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
創傷と接触して位置付けられるように構成された創傷被覆材であって、複数の創傷特性を測定するように構成された複数のセンサを含む、創傷被覆材と、
一つまたは複数のプロセッサを含むコントローラであって、前記複数のセンサの少なくとも一部と通信し、
基準点の位置または配向に関連付けられた定置データを受信し、
前記受信した定置データに少なくとも部分的に基づいて、前記創傷に対する前記少なくとも一つの基準点の位置および／または配向を決定し、
前記少なくとも一つの基準点の前記決定された位置および／または配向に少なくとも部分的に基づいて、前記複数のセンサの第一のセンサの前記創傷の位置および／または配向を決定し、
前記複数のセンサの前記第一のセンサの前記位置および／または配向を、前記複数のセンサの前記第一のセンサの前記創傷の正しい位置および／または配向を示す閾値定置データと比較し、
少なくとも前記比較に基づいて、前記複数のセンサの前記第一のセンサが前記創傷内に正しく位置付けられるという表示を提供するように、さらに構成されたコントローラとを含む、創傷モニタリングおよび／または治療システム。
【請求項２】
前記複数のセンサが、少なくとも一つのナノセンサ、サーミスタ、伝導度センサ、Ｓｐ０２センサ、ｐＨセンサ、色センサ、光学センサ、インピーダンスセンサ、または電極を含む、請求項１に記載のシステム。
【請求項３】
前記光学センサが、赤、緑、青、および透明（ＲＧＢＣ）センサまたは赤、緑青、および白（ＲＧＢＷ）センサのうちの少なくとも一つを含む、請求項２に記載のシステム。
【請求項４】
前記第一のセンサが、前記定置データを検出するように構成された定置センサ以外のセンサである、請求項１〜３のいずれかに記載のシステム。
【請求項５】
前記第一のセンサが、前記定置データを検出するように構成された定置センサである、請求項１〜４のいずれかに記載のシステム。
【請求項６】
前記定置データを検出するように構成された定置センサをさらに備え、前記定置センサが、外部ビデオカメラまたは無線周波数（ＲＦ）センサのうち少なくとも一つを備える、請求項３または４のいずれかに記載のシステム。
【請求項７】
前記定置データを検出するよう構成された定置センサをさらに備え、前記定置センサが前記創傷被覆材に埋め込まれている、請求項３または４のいずれかに記載のシステム。
【請求項８】
前記基準点が、前記定置データを検出するように構成された定置センサの位置または配向に対応する、請求項１〜７のいずれかに記載のシステム。
【請求項９】
前記基準点が、前記創傷被覆材から離れた位置に対応する、請求項１〜８のいずれかに記載のシステム。
【請求項１０】
前記コントローラが、少なくとも前記受信した定置データおよび、前記創傷被覆材および／または第一および第二のセンサの前記創傷の位置および／または配向の間の関係に基づき、前記複数のセンサの第二のセンサの前記創傷の位置および／または配向を決定するように、さらに構成される、請求項１〜９のいずれかに記載のシステム。
【請求項１１】
前記関係が、第一のセンサと第二のセンサとの間の少なくとも既知の位置および／または配向オフセットを含む、請求項１０に記載のシステム。
【請求項１２】
前記複数のセンサの少なくとも一部が、互いに通信および／または共登録するよう構成され、前記コントローラが、共登録データに基づいてさらに前記表示を提供するよう構成されている、請求項１〜１１のいずれかに記載のシステム。
【請求項１３】
前記複数のセンサの少なくとも一つが、調節可能センサ設定で構成され、前記調節可能センサ設定が、少なくとも部分的に前記受信した定置データに基づいて調整されるように構成されている、請求項１〜１２のいずれかに記載のシステム。
【請求項１４】
前記創傷被覆材が、前記創傷に陰圧を伝達するように構成されている、請求項１〜１３のいずれかに記載のシステム。
【請求項１５】
請求項１４に記載のシステムおよび前記創傷被覆材に流体接続されるよう構成される陰圧源を含む、キット。
【請求項１６】
複数の創傷特性を測定するよう構成された複数のセンサを含む創傷被覆材を含む、創傷モニタリングおよび／または治療システムを操作する方法であって、
少なくとも一つの基準点に関連付けられた定置データを受信することと、
少なくとも部分的に前記受信した定置データに基づいて、前記複数のセンサの第一のセンサの位置および／または配向を決定することと、
前記複数のセンサの前記第一のセンサの前記位置および／または配向を、前記複数のセンサの前記第一のセンサの前記創傷の正しい位置および／または配向を示す閾値定置データと比較することと、
少なくとも部分的に前記比較に基づいて、前記複数のセンサの前記第一のセンサが前記創傷内に正しく位置付けられているという表示を提供することと、を含み、
前記方法が、前記創傷モニタリングおよび／または治療システムのコントローラによって実施される、方法。
【請求項１７】
前記複数のセンサが、少なくとも一つのナノセンサ、サーミスタ、伝導度センサ、Ｓｐ０２センサ、ｐＨセンサ、色センサ、光学センサ、インピーダンスセンサ、前記定置データを検出するように構成された定置センサ、または電極を含む、請求項１６に記載の方法。
【請求項１８】
前記第一のセンサが、定置センサ以外のセンサである、請求項１６〜１７のいずれかに記載の方法。
【請求項１９】
前記第一のセンサが、前記定置データを検出するように構成された定置センサである、請求項１６〜１８のいずれかに記載の方法。
【請求項２０】
前記基準点が、前記定置データを検出するように構成された定置センサの位置または配向に対応する、請求項１６〜１９のいずれかに記載の方法。
【請求項２１】
前記基準点が、前記創傷被覆材から離れた位置に対応する、請求項１６〜２０のいずれかに記載の方法。
【請求項２２】
少なくとも前記受信した定置データ、ならびに前記創傷被覆材および／または第一および第二のセンサの前記創傷の位置および／または配向との間の関係に基づいて、前記複数のセンサの第二のセンサの前記創傷の位置および／または配向を決定することをさらに含む、請求項１６〜２１のいずれかに記載の方法。
【請求項２３】
前記関係が、第一のセンサと第二のセンサとの間の少なくとも既知の位置および／または配向オフセットを含む、請求項２２に記載の方法。
【請求項２４】
前記複数のセンサの少なくとも一部が、互いに通信および／または共登録するように構成され、前記方法がさらに、共登録データに基づいて前記表示を提供することを含む、請求項１６〜２３のいずれかに記載の方法。
【請求項２５】
前記複数のセンサの少なくとも一つが、調節可能センサ設定で構成され、前記方法が、前記調節可能センサ設定を、少なくとも部分的に前記受信した定置データに基づいて調整することを含む、請求項１６〜２４のいずれかに記載の方法。
【請求項２６】
陰圧を前記創傷に伝達することをさらに含む、請求項１６〜２５のいずれかに記載の方法。
【請求項２７】
創傷と接触して位置づけられるように構成された創傷被覆材であって、創傷被覆材は、複数の創傷特性を測定するように構成された複数のセンサを含み、少なくとも一つのアライメント機能は、創傷被覆材の位置および／または配向に関連付けられる、創傷被覆材と、
センサおよび一つまたは複数のプロセッサを含むコントローラを備える位置検出機器であって、前記コントローラが、前記センサと通信し、
少なくとも部分的に前記センサから受信したデータに基づいて、前記少なくとも一つのアライメント機能の位置および／または配向を決定し、
前記少なくとも一つのアライメント機能の前記決定された位置および／または配向に少なくとも部分的に基づいて、前記創傷被覆材の前記複数のセンサから、少なくとも一つのセンサの前記創傷の位置および／または配向を決定し、
前記創傷に対する前記複数のセンサからの前記少なくとも一つのセンサの前記位置の状態の表示を提供するようにさらに構成された、位置検出機器と、を含む、創傷モニタリングおよび／または治療システム。
【請求項２８】
前記少なくとも一つのアライメント機能がマーキングを含む、請求項２７に記載のシステム。
【請求項２９】
前記マーキングが前記創傷被覆材上に位置付けられる、請求項２８に記載のシステム。
【請求項３０】
前記マーキングが、前記創傷の周辺上またはその近くに位置付けられる、請求項２８に記載のシステム。
【請求項３１】
前記マーキングがｐＨ感受性インクを含む、請求項２８〜３０のいずれかに記載のシステム。
【請求項３２】
前記ｐＨ感受性インクが、ｐＨ感受性インク、染料、または顔料のうちの少なくとも一つを含み、かつ創傷環境のｐＨ変化に応答して色を変化させるように構成されている、請求項３１に記載のシステム。
【請求項３３】
前記位置検出機器の前記コントローラが、前記ｐＨ感受性インクの色の変化を測定するようにさらに構成されている、請求項３２に記載のシステム。
【請求項３４】
前記位置検出機器の前記センサが、光ｐＨセンサまたはスキャナーの少なくとも一つを備える、請求項２７〜３３のいずれかに記載のシステム。
【請求項３５】
前記位置検出機器の前記センサから受信した前記データは、前記位置検出機器に対する前記少なくとも一つのアライメント機能の角度、前記位置検出機器のスキャンビームの軌道に対する前記少なくとも一つのアライメント機能の角度、前記少なくとも一つのアライメント機能と前記位置検出機器との間の距離、前記少なくとも一つのアライメント機能に対応するサイズ、前記少なくとも一つのアライメント機能に対応する歪み、または前記少なくとも一つのアライメント機能に対応する視差の角度量のうちの少なくとも一つを含む、請求項２７〜３４のいずれかに記載のシステム。
【請求項３６】
前記少なくとも一つのアライメント機能が、バーコード、数字、文字、英数字コード、標準形状、不規則形状、またはロゴのうち少なくとも一つを含む、請求項２７〜３５のいずれかに記載のシステム。
【請求項３７】
前記創傷に対する前記少なくとも一つのアライメント機能の前記位置および／または配向は、前記創傷の前記複数のセンサの少なくとも一つのセンサの深さ、前記創傷の一部分からの前記少なくとも一つのセンサの距離、前記少なくとも一つのセンサの配向、または前記創傷上の前記少なくとも一つのセンサの位置のうち少なくとも一つを含む、請求項２７〜３６のいずれかに記載のシステム。
【請求項３８】
前記少なくとも一つのアライメント機能が値と関連付けられ、前記値が平坦な被覆材に対して前記少なくとも一つのアライメント機能のベースライン位置を識別できる、請求項２７〜３７のいずれかに記載のシステム。
【請求項３９】
前記少なくとも一つのアライメント機能が二つのアライメント機能を備える、請求項２７〜３８のいずれかに記載のシステム。
【請求項４０】
前記状態が、前記少なくとも一つのセンサが前記創傷内に正しく位置付けられているという表示を含む、請求項２７〜３９のいずれかに記載のシステム。
【請求項４１】
前記状態が、前記少なくとも一つのセンサが前記創傷内に正しく位置付けられていないという表示を含む、請求項２７〜４０のいずれかに記載のシステム。
【請求項４２】
複数の創傷特性を測定するように構成された複数のセンサと、前記創傷被覆材の上に位置付けられたマーキングとを含む創傷被覆材を含む、創傷モニタリングおよび／または治療システムを操作する方法であって、
位置検出機器から、基準点の位置または配向に関連付けられた定置データを受信し、前記創傷被覆材は、患者の創傷と接触し、複数の創傷特性を測定するように構成された複数のセンサを含むように受信することと、
前記受信した定置データに少なくとも部分的に基づいて、前記創傷に対する前記少なくとも一つの基準点の位置および／または配向を決定することと、
前記少なくとも一つの基準点の前記決定された位置および／または配向に少なくとも部分的に基づいて、前記創傷被覆材の前記複数のセンサから第一のセンサの前記創傷の位置および／または配向を決定することと、
前記少なくとも一つのセンサの前記創傷の前記位置および／または配向の状態を示すことと、を含む、方法。
【請求項４３】
前記複数のセンサが、少なくとも一つのナノセンサ、サーミスタ、伝導度センサ、Ｓｐ０２センサ、ｐＨセンサ、色センサ、光学センサ、インピーダンスセンサ、または電極を含む、請求項４２に記載の方法。
【請求項４４】
前記光学センサが、赤、緑、青、および透明（ＲＧＢＣ）センサまたは赤、緑青、および白（ＲＧＢＷ）センサのうちの少なくとも一つを含む、請求項４３に記載の方法。
【請求項４５】
前記第一のセンサが、前記定置データを検出するように構成された定置センサ以外のセンサである、請求項４２〜４４のいずれかに記載の方法。
【請求項４６】
前記第一のセンサが、前記定置データを検出するように構成された定置センサである、請求項４２〜４４のいずれかに記載の方法。
【請求項４７】
前記定置センサが、外部ビデオカメラまたは無線周波数（ＲＦ）センサのうち少なくとも一つを備える、請求項４５〜４６のいずれかに記載の方法。
【請求項４８】
前記定置センサが前記創傷被覆材に埋め込まれている、請求項４５〜４７のいずれかに記載の方法。
【請求項４９】
前記基準点が、前記定置データを検出するように構成された定置センサの位置または配向に対応する、請求項４２〜４８のいずれかに記載の方法。
【請求項５０】
前記基準点が、前記創傷被覆材から離れた位置に対応する、請求項４２〜４９のいずれかに記載の方法。
【請求項５１】
少なくとも前記創傷被覆材および／または第一および第二のセンサの前記創傷の位置および／または配向との間の関係に基づいて、前記複数のセンサの第二のセンサの前記創傷の位置および／または配向を決定することをさらに含む、請求項４２〜５０のいずれかに記載の方法。
【請求項５２】
前記関係が、第一のセンサと第二のセンサとの間の少なくとも既知の位置および／または配向オフセットを含む、請求項５１に記載の方法。
【請求項５３】
前記複数のセンサの少なくとも一部が、互いに通信および／または共登録するように構成されており、前記方法が、共登録データに基づいて前記表示を提供することをさらに含む、請求項４２〜５２のいずれかに記載の方法。
【請求項５４】
前記複数のセンサの少なくとも一つが、調節可能センサ設定で構成され、方法が、前記調節可能センサ設定を、前記受信した定置データに少なくとも部分的に基づいて調整することをさらに含む、請求項４２〜５３のいずれかに記載の方法。
【請求項５５】
前記創傷被覆材が前記創傷に陰圧を伝達するように構成される、請求項４２〜５４のいずれかに記載の方法。
【請求項５６】
前記位置検出機器のセンサが、光ｐＨセンサまたはスキャナーの少なくとも一つを備える、請求項４２〜５５のいずれかに記載の方法。
【請求項５７】
少なくとも一つのアライメント機能が、前記創傷被覆材の位置および／または配向と関連付けられている、請求項４２〜５６のいずれかに記載の方法。
【請求項５８】
前記位置検出機器から受信した前記定置データは、前記位置検出機器に対する前記少なくとも一つのアライメント機能の角度、前記位置検出機器のスキャンビームの軌道に対する前記少なくとも一つのアライメント機能の角度、前記少なくとも一つのアライメント機能と前記位置検出機器との間の距離、前記少なくとも一つのアライメント機能に対応するサイズ、前記少なくとも一つのアライメント機能に対応する歪み、または前記少なくとも一つのアライメント機能に対応する視差の角度量のうちの少なくとも一つを含む、請求項５７に記載の方法。
【請求項５９】
前記少なくとも一つのアライメント機能が、バーコード、数字、文字、英数字コード、標準形状、不規則形状、またはロゴのうち少なくとも一つを含む、請求項５７〜５８のいずれかに記載の方法。
【請求項６０】
前記創傷に対する前記少なくとも一つのアライメント機能の前記位置および／または配向が、前記創傷内の前記少なくとも一つのセンサの深さ、前記創傷の一部分からの前記少なくとも一つのセンサの距離、前記少なくとも一つのセンサの配向、または前記創傷上の前記少なくとも一つのセンサの位置のうち少なくとも一つを含む、請求項５７〜５９のいずれかに記載の方法。
【請求項６１】
前記少なくとも一つのアライメント機能が値と関連付けられ、前記値が平坦な被覆材に対して前記アライメント機能のベースライン位置を識別できる、請求項５７〜６０のいずれかに記載の方法。
【請求項６２】
前記アライメント機能がｐＨ感受性インクを含む、請求項５７〜６０のいずれかに記載の方法。
【請求項６３】
前記ｐＨ感受性インクが、創傷環境のｐＨ変化に応答して色を変化させるように構成されている、請求項６２に記載の方法。
【請求項６４】
前記ｐＨ感受性インクの色の変化を測定することをさらに含む、請求項６２〜６３のいずれかに記載の方法。
【請求項６５】
前記少なくとも一つのアライメント機能が二つのマーキングを含む、請求項５７〜６４のいずれかに記載の方法。
【請求項６６】
前記状態を示すことが、前記少なくとも一つのセンサが前記創傷内に正しく位置付けられていることを示すことをさらに含む、請求項４２〜６５のいずれかに記載の方法。
【請求項６７】
前記状態を示すことが、前記少なくとも一つのセンサが前記創傷内に正しく位置付けられていないことを示すことをさらに含む、請求項４２〜６６のいずれかに記載の方法。
【国際調査報告】
2020524544.tif 000025
2020524544.tif 000026
2020524544.tif 000027
2020524544.tif 000028